(57)【要約】【課題】遊技者が不利益を被ることを抑制することが可能な遊技機を提供する。【解決手段】通常遊技状態から第５ＲＴ状態に移行する場合には、第１ＲＴ状態，第２ＲＴ状態，第３ＲＴ状態，第４ＲＴ状態の各遊技状態を経由する。有効ライン上に移行出目が停止した場合には、そのときの遊技状態に関わらず、遊技状態が第１ＲＴ状態に移行する。また、遊技状態が第１ＲＴ状態〜第５ＲＴ状態のいずれかであって、報知フラグがセットされている場合には、有効ライン上に移行出目が停止すると報知フラグがクリアされる。ここで、ベル入賞を成立させることができる操作順序でストップスイッチを操作した場合と、特殊ベル入賞を成立させることができる操作タイミングでストップスイッチを操作した場合と、には、有効ライン上に移行出目が停止することを回避できる。【選択図】      図２８
2015171654.tif 000002
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記絵柄の循環表示を個別に停止させるべく操作される複数の停止操作手段と、
前記役の抽選に当選した当選役と対応する当選絵柄が有効位置に所定の組合せを形成して停止したことに基づいて、入賞成立として遊技者に特典を付与する特典付与手段と
を備えた遊技機において、
前記役の抽選結果が所定結果である場合、前記各停止操作手段に第１所定操作がなされれば前記有効位置に第１所定停止出目を停止させるべく前記各循環表示手段を停止制御し、前記各停止操作手段に第２所定操作がなされれば前記有効位置に第２所定停止出目を停止させるべく前記各循環表示手段を停止制御し、前記各停止操作手段に前記第１所定操作及び前記第２所定操作以外の操作がなされれば前記有効位置に第３所定停止出目を停止させるべく前記各循環表示手段を停止制御する停止制御手段と、
前記役の抽選結果が前記所定結果であることに基づいて、前記第１所定操作と対応する第１報知を実行する第１報知実行手段と、
前記第１所定停止出目又は前記第２所定停止出目が前記有効位置に停止した場合、前記第３所定停止出目が前記有効位置に停止した場合よりも遊技者に有利な有利特典を付与する有利特典付与手段と
を備え、
前記第１所定操作とは、所定停止操作手段を予め定めた操作タイミングで最初に操作するとともに残りの停止操作手段を任意の操作タイミング及び操作順序で操作することであり、前記第２所定操作とは、各停止操作手段の操作順序は任意であって、前記所定停止操作手段を前記予め定めた操作タイミング以外の操作タイミングで操作するとともに残りの停止操作手段の少なくとも１つを所定の操作タイミングで操作することであり、
前記所定結果を、前記第１所定停止出目と対応する第１当選結果と、前記第２所定停止出目の１つである第１特定出目と対応する第２当選結果と、前記第２所定停止出目の１つである第２特定出目と対応する第３当選結果と、前記第２所定停止出目の１つである第３特定出目と対応する第４当選結果と、を含む結果とし、
前記所定停止操作手段と対応する循環表示手段には、前記予め定めた操作タイミングで前記所定停止操作手段を操作された場合、前記第１所定停止出目を形成する第１所定絵柄が前記有効位置に到達するように、前記予め定めた操作タイミング以外のタイミングで前記所定停止操作手段を操作された場合、前記第１特定出目を形成する第１特定絵柄が前記有効位置に到達するように、前記各絵柄を配置し、
他の循環表示手段には、操作タイミングに関わらず前記第１所定絵柄が前記有効位置に到達するように、前記所定の操作タイミングの１つである第１タイミングで対応する停止操作手段を操作された場合、前記第１特定絵柄が前記有効位置に到達し、前記第１タイミングで対応する停止操作手段を操作されなかった場合、前記第１特定絵柄が前記有効位置に到達しないように、前記各絵柄を配置し、
前記停止制御手段は、前記所定停止操作手段が前記予め定めた操作タイミングで最初に操作された場合、前記有効位置に前記第１所定停止出目を停止させるべく前記各循環表示手段を停止制御し、前記所定停止操作手段が前記予め定めた操作タイミング以外の操作タイミングで最初に操作された場合、前記有効位置に前記第１特定出目を停止させるべく前記各循環表示手段を停止制御し、前記所定停止操作手段と異なる第２所定停止操作手段が最初に操作された場合、前記有効位置に前記第２特定出目を停止させるべく前記各循環表示手段を停止制御し、前記所定停止操作手段と異なる第３所定停止操作手段が最初に操作された場合、前記有効位置に前記第３特定出目を停止させるべく前記各循環表示手段を停止制御し、
前記第２所定停止操作手段と対応する循環表示手段には、操作タイミングに関わらず前記第２特定出目を形成する第２特定絵柄が前記有効位置に到達するように配置し、他の循環表示手段には、前記所定の操作タイミングの１つである第２タイミングで対応する停止操作手段を操作された場合、前記第２特定絵柄が前記有効位置に到達し、前記第２タイミングで対応する停止操作手段を操作されなかった場合、前記第２特定絵柄が前記有効位置に到達しないように、前記第２特定絵柄を配置し、
前記第３所定停止操作手段と対応する循環表示手段には、操作タイミングに関わらず前記第３特定出目を形成する第３特定絵柄が前記有効位置に到達するように配置し、他の循環表示手段には、前記所定の操作タイミングの１つである第３タイミングで対応する停止操作手段を操作された場合、前記第３特定絵柄が前記有効位置に到達し、前記第３タイミングで対応する停止操作手段を操作されなかった場合、前記第３特定絵柄が前記有効位置に到達しないように、前記第３特定絵柄を配置したことを特徴とする遊技機。
【発明の詳細な説明】
【技術分野】
【０００１】
本発明は、スロットマシン等の遊技機に関するものである。
【背景技術】
【０００２】
複数のリールを回転させたあとに停止させる遊技機としては、例えばスロットマシンがある。スロットマシンでは、各リールの外周部に複数の図柄が付与されており、表示窓を通じて各リールに付与された図柄の一部が視認可能な構成となっている。そして、遊技者がメダルを投入することで有効ラインが設定され、その後、遊技者がスタートレバーを操作することでスロットマシンの内部にてビッグボーナス（以下、「ＢＢ」と言う）役や小役、再遊技といった役の抽選が行われるとともに各リールが回転を開始し、各リールが回転を開始した後にストップスイッチを操作することで各リールが順次停止して１回のゲームが終了する。そして、全てのリールが回転を停止した際に有効ライン上に当選した役と対応する図柄の組合せが停止すると入賞となり、メダルが払い出される特典や遊技状態が移行される特典等が遊技者に付与される。
【０００３】
かかるスロットマシンには、遊技者に有利な遊技状態として、所定の役に当選した場合に入賞を成立させることができるストップスイッチの操作方法を示唆する確率が高くなるアシストタイム（以下、「ＡＴ」という）状態を備えたものがある（例えば特許文献１参照）。
【先行技術文献】
【特許文献】
【０００４】
【特許文献１】特開２００５−４０４７３号公報
【発明の概要】
【発明が解決しようとする課題】
【０００５】
上記アシストタイム状態を備えたスロットマシンでは、ストップスイッチの操作方法が示唆されていることに気付かずに他の操作方法でストップスイッチを操作してしまう遊技者や、ストップスイッチの操作方法が示唆されていることに気付いていたにも関わらず誤って他の操作方法でストップスイッチを操作してしまう遊技者がいるものと想定され、示唆した操作方法と異なる操作方法でストップスイッチを操作してしまった場合には、遊技者が不利益を被る場合があった。
【０００６】
なお、以上の問題は、上記例示したようなスロットマシンに限らず、複数種の絵柄を循環表示させ、その後の停止操作手段の操作に基づいて循環表示を終了させる他の遊技機にも該当する問題である。
【０００７】
本発明は上記例示した事情等に鑑みてなされたものであり、遊技者が不利益を被ることを抑制することが可能な遊技機を提供することを目的とするものである。
【課題を解決するための手段】
【０００８】
請求項１に記載の発明では、複数種の絵柄を循環表示させる複数の循環表示手段と、前記絵柄の循環表示を開始させるべく操作される開始操作手段と、役の抽選を行う抽選手段と、前記絵柄の循環表示を個別に停止させるべく操作される複数の停止操作手段と、前記役の抽選に当選した当選役と対応する当選絵柄が有効位置に所定の組合せを形成して停止したことに基づいて、入賞成立として遊技者に特典を付与する特典付与手段とを備えた遊技機において、前記役の抽選結果が所定結果である場合、前記各停止操作手段に第１所定操作がなされれば前記有効位置に第１所定停止出目を停止させるべく前記各循環表示手段を停止制御し、前記各停止操作手段に第２所定操作がなされれば前記有効位置に第２所定停止出目を停止させるべく前記各循環表示手段を停止制御し、前記各停止操作手段に前記第１所定操作及び前記第２所定操作以外の操作がなされれば前記有効位置に第３所定停止出目を停止させるべく前記各循環表示手段を停止制御する停止制御手段と、前記役の抽選結果が前記所定結果であることに基づいて、前記第１所定操作と対応する第１報知を実行する第１報知実行手段と、前記第１所定停止出目又は前記第２所定停止出目が前記有効位置に停止した場合、前記第３所定停止出目が前記有効位置に停止した場合よりも遊技者に有利な有利特典を付与する有利特典付与手段とを備え、前記第１所定操作とは、所定停止操作手段を予め定めた操作タイミングで最初に操作するとともに残りの停止操作手段を任意の操作タイミング及び操作順序で操作することであり、前記第２所定操作とは、各停止操作手段の操作順序は任意であって、前記所定停止操作手段を前記予め定めた操作タイミング以外の操作タイミングで操作するとともに残りの停止操作手段の少なくとも１つを所定の操作タイミングで操作することであり、前記所定結果を、前記第１所定停止出目と対応する第１当選結果と、前記第２所定停止出目の１つである第１特定出目と対応する第２当選結果と、前記第２所定停止出目の１つである第２特定出目と対応する第３当選結果と、前記第２所定停止出目の１つである第３特定出目と対応する第４当選結果と、を含む結果とし、前記所定停止操作手段と対応する循環表示手段には、前記予め定めた操作タイミングで前記所定停止操作手段を操作された場合、前記第１所定停止出目を形成する第１所定絵柄が前記有効位置に到達するように、前記予め定めた操作タイミング以外のタイミングで前記所定停止操作手段を操作された場合、前記第１特定出目を形成する第１特定絵柄が前記有効位置に到達するように、前記各絵柄を配置し、他の循環表示手段には、操作タイミングに関わらず前記第１所定絵柄が前記有効位置に到達するように、前記所定の操作タイミングの１つである第１タイミングで対応する停止操作手段を操作された場合、前記第１特定絵柄が前記有効位置に到達し、前記第１タイミングで対応する停止操作手段を操作されなかった場合、前記第１特定絵柄が前記有効位置に到達しないように、前記各絵柄を配置し、前記停止制御手段は、前記所定停止操作手段が前記予め定めた操作タイミングで最初に操作された場合、前記有効位置に前記第１所定停止出目を停止させるべく前記各循環表示手段を停止制御し、前記所定停止操作手段が前記予め定めた操作タイミング以外の操作タイミングで最初に操作された場合、前記有効位置に前記第１特定出目を停止させるべく前記各循環表示手段を停止制御し、前記所定停止操作手段と異なる第２所定停止操作手段が最初に操作された場合、前記有効位置に前記第２特定出目を停止させるべく前記各循環表示手段を停止制御し、前記所定停止操作手段と異なる第３所定停止操作手段が最初に操作された場合、前記有効位置に前記第３特定出目を停止させるべく前記各循環表示手段を停止制御し、前記第２所定停止操作手段と対応する循環表示手段には、操作タイミングに関わらず前記第２特定出目を形成する第２特定絵柄が前記有効位置に到達するように配置し、他の循環表示手段には、前記所定の操作タイミングの１つである第２タイミングで対応する停止操作手段を操作された場合、前記第２特定絵柄が前記有効位置に到達し、前記第２タイミングで対応する停止操作手段を操作されなかった場合、前記第２特定絵柄が前記有効位置に到達しないように、前記第２特定絵柄を配置し、前記第３所定停止操作手段と対応する循環表示手段には、操作タイミングに関わらず前記第３特定出目を形成する第３特定絵柄が前記有効位置に到達するように配置し、他の循環表示手段には、前記所定の操作タイミングの１つである第３タイミングで対応する停止操作手段を操作された場合、前記第３特定絵柄が前記有効位置に到達し、前記第３タイミングで対応する停止操作手段を操作されなかった場合、前記第３特定絵柄が前記有効位置に到達しないように、前記第３特定絵柄を配置したことを特徴とする。
【発明の効果】
【０００９】
遊技者が不利益を被ることを抑制することが可能となる。
【図面の簡単な説明】
【００１０】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】各リールの図柄配列を示す図。
【図７】表示窓から視認可能となる図柄と組合せラインとの関係を示す説明図。
【図８】入賞態様と付与される特典との関係を示す説明図。
【図９】スロットマシンのブロック図。
【図１０】タイマ割込み処理を示すフローチャート。
【図１１】通常処理を示すフローチャート。
【図１２】抽選処理を示すフローチャート。
【図１３】通常遊技状態用抽選テーブルの一例を示す図。
【図１４】リール制御処理を示すフローチャート。
【図１５】ストップスイッチの操作順序と成立する入賞態様との関係を示す説明図。
【図１６】リールの停止制御を説明するための説明図。
【図１７】ＲＴ状態処理を示すフローチャート。
【図１８】第１ＲＴ状態用抽選テーブルの一例を示す図。
【図１９】ストップスイッチの操作順序と成立する入賞態様との関係を示す説明図。
【図２０】第２ＲＴ状態用抽選テーブルの一例を示す図。
【図２１】ストップスイッチの操作順序と成立する入賞態様との関係を示す説明図。
【図２２】第３ＲＴ状態用抽選テーブルの一例を示す図。
【図２３】ストップスイッチの操作順序と成立する入賞態様との関係を示す説明図。
【図２４】第４ＲＴ状態用抽選テーブルの一例を示す図。
【図２５】ストップスイッチの操作順序と成立する入賞態様との関係を示す説明図。
【図２６】第５ＲＴ状態用抽選テーブルの一例を示す図。
【図２７】ストップスイッチの操作順序と成立する入賞態様との関係を示す説明図。
【図２８】遊技状態の移行を説明するための説明図。
【図２９】ＢＢ状態処理を示すフローチャート。
【図３０】状態コマンド処理を示すフローチャート。
【図３１】抽選結果コマンド処理を示すフローチャート。
【図３２】報知抽選処理を示すフローチャート。
【図３３】入賞結果コマンド処理を示すフローチャート。
【図３４】報知中処理を示すフローチャート。
【図３５】停止指令コマンド処理を示すフローチャート。
【図３６】停止リール把握処理を示すフローチャート。
【図３７】救済確認処理を示すフローチャート。
【図３８】他の実施の形態における第５ＲＴ状態用抽選テーブルの一例を示す図。
【図３９】ストップスイッチの操作順序と成立する入賞態様との関係を示す説明図。
【図４０】他の実施の形態における入賞態様と付与される特典との関係を示す説明図。
【図４１】通常遊技状態用抽選テーブルの一例を示す図。
【発明を実施するための形態】
【００１１】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００１２】
図１〜図５に示すように、スロットマシン１０は、その外殻を形成する筐体１１を備えている。筐体１１は、全体として前面を開放した箱状に形成されており、遊技ホールへの設置の際にいわゆる島設備に対し釘を打ち付ける等して取り付けられる。
【００１３】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００１４】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００１５】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００１６】
ここで、リールユニット３１の構成を簡単に説明する。
【００１７】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００１８】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００１９】
次に、各リール３２Ｌ，３２Ｍ，３２Ｒに描かれている図柄について説明する。
【００２０】
図６には、左リール３２Ｌ，中リール３２Ｍ，右リール３２Ｒの図柄配列が示されている。同図に示すように、各リール３２Ｌ，３２Ｍ，３２Ｒには、それぞれ２１個の図柄が一列に配置されている。また、各リール３２Ｌ，３２Ｍ，３２Ｒに対応して番号が０〜２０まで付されているが、これら番号は主制御装置１０１が表示窓２６Ｌ，２６Ｍ，２６Ｒから視認可能な状態となっている図柄を認識するための番号であり、リール３２Ｌ，３２Ｍ，３２Ｒに実際に付されているわけではない。但し、以下の説明では当該番号を使用して説明する。
【００２１】
図柄としては、「赤ベル」図柄（例えば、左リール３２Ｌの２０番目）、「リプレイ」図柄（例えば、左リール３２Ｌの１９番目）、「スイカ」図柄（例えば、左リール３２Ｌの１８番目）、「赤７」図柄（例えば、左リール３２Ｌの１７番目）、「チェリー」図柄（例えば、左リール３２Ｌの１６番目）、「青年」図柄（例えば、左リール３２Ｌの１４番目）、「白７」図柄（例えば、左リール３２Ｌの１０番目）、「ＢＡＲ」図柄（例えば、左リール３２Ｌの８番目）、「白ベル」図柄（例えば、左リール３２Ｌの６番目）、「青７」図柄（例えば、左リール３２Ｌの３番目）の１０種類がある。そして、図６に示すように、各リール３２Ｌ，３２Ｍ，３２Ｒにおいて各種図柄の数や配置順序は全く異なっている。
【００２２】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。
【００２３】
本スロットマシン１０では、各リール３２Ｌ，３２Ｍ，３２Ｒの図柄が視認可能となる位置を結ぶようにして、計４本の組合せラインが設定されている。より詳しくは、図７に示すように、左リール３２Ｌの上段図柄，中リール３２Ｍの中段図柄，右リール３２Ｒの上段図柄を結んだ第１ラインＬ１と、左リール３２Ｌの上段図柄，中リール３２Ｍの中段図柄，右リール３２Ｒの下段図柄を結んだ第２ラインＬ２と、左リール３２Ｌの下段図柄，中リール３２Ｍの中段図柄，右リール３２Ｒの上段図柄を結んだ第３ラインＬ３と、左リール３２Ｌの下段図柄，中リール３２Ｍの中段図柄，右リール３２Ｒの下段図柄を結んだ第４ラインＬ４と、が設定されている。そして、有効化された組合せライン、すなわち有効ライン上に図柄が所定の組合せで停止した場合には、入賞成立として、遊技媒体たるメダルが所定数払い出される特典が付与されたり、遊技状態が移行される特典が付与されたりするようになっている。
【００２４】
図８には、入賞となる図柄の組合せと、入賞となった場合に付与される特典とが示されている。
【００２５】
メダル払出が行われる小役入賞としては、チェリー入賞，第１スイカ入賞，第２スイカ入賞，ベル入賞，第１特殊ベル入賞〜第１２特殊ベル入賞がある。中リール３２Ｍの「チェリー」図柄が有効ライン上に停止した場合には、チェリー入賞として１枚のメダル払出が行われる。すなわち、チェリー入賞の場合には、左リール３２Ｌと右リール３２Ｒについて、有効ライン上に停止する図柄がどのような図柄であっても良い。換言すれば、中リール３２Ｍの「チェリー」図柄と、左リール３２Ｌ及び右リール３２Ｒの任意の図柄との組合せが有効ライン上に停止した場合には、チェリー入賞が成立するとも言える。ここで、中リール３２Ｍの中段は４本の有効ラインが重なる位置であるため、中リール３２Ｍの中段に「チェリー」図柄が停止した場合には、４本全ての有効ライン上にてチェリー入賞が成立することとなり、結果として４（＝１×４）枚のメダル払出が行われる。各リール３２Ｌ，３２Ｍ，３２Ｒの「スイカ」図柄が有効ライン上に停止した場合には、第１スイカ入賞として５枚のメダル払出が行われる。中リール３２Ｍの「青７」図柄と右リール３２Ｒの「スイカ」図柄が有効ライン上に停止した場合には、第２スイカ入賞として１枚のメダル払出が行われる。すなわち、第２スイカ入賞の場合には、左リール３２Ｌについて有効ライン上に停止する図柄がどのような図柄であっても良い。各リール３２Ｌ，３２Ｍ，３２Ｒの「赤ベル」図柄又は「白ベル」図柄が有効ライン上に停止した場合には、ベル入賞として９枚のメダル払出が行われる。また、各リール３２Ｌ，３２Ｍ，３２Ｒのうち２つのリールの「赤ベル」図柄又は「白ベル」図柄が有効ライン上に停止し、残り１つのリールの「リプレイ」図柄が有効ライン上に停止した場合には、特殊ベル入賞として９枚のメダル払出が行われる。例えば、左リール３２Ｌの「リプレイ」図柄と、中リール３２Ｍの「赤ベル」図柄と、右リール３２Ｒの「赤ベル」図柄と、が有効ライン上に停止した場合には、第１特殊ベル入賞として９枚のメダル払出が行われる。
【００２６】
遊技状態の移行のみが行われる状態移行入賞としては、第１ＢＢ入賞と第２ＢＢ入賞がある。
【００２７】
各リール３２Ｌ，３２Ｍ，３２Ｒの「青７」図柄が有効ライン上に停止した場合には、第１ＢＢ入賞となり、左リール３２Ｌ及び中リール３２Ｍの「青７」図柄と右リール３２Ｒの「白７」図柄が有効ライン上に停止した場合には、第２ＢＢ入賞となる。これらＢＢ入賞が成立した場合には、遊技状態がＢＢ状態に移行する。
【００２８】
メダルを投入することなく次ゲームの遊技を行うことが可能な再遊技の特典が付与される入賞としては、第１再遊技入賞〜第１２再遊技入賞がある。左リール３２Ｌの「チェリー」図柄と、中リール３２Ｍ及び右リール３２Ｒの「リプレイ」図柄が有効ライン上に停止した場合、又は左リール３２Ｌの「リプレイ」図柄と、中リール３２Ｍの「青年」図柄と、右リール３２Ｒの「スイカ」図柄と、が有効ライン上に停止した場合には、第１再遊技入賞となる。左リール３２Ｌ及び中リール３２Ｍの「リプレイ」図柄と、右リール３２Ｒの「スイカ」図柄が有効ライン上に停止した場合には、第２再遊技入賞となる。左リール３２Ｌ及び右リール３２Ｒの「リプレイ」図柄と、中リール３２Ｍの「青年」図柄が有効ライン上に停止した場合には、第３再遊技入賞となる。左リール３２Ｌの「チェリー」図柄と、中リール３２Ｍの「リプレイ」図柄と、右リール３２Ｒの「スイカ」図柄と、が有効ライン上に停止した場合には、第４再遊技入賞となる。左リール３２Ｌの「チェリー」図柄と、中リール３２Ｍの「青年」図柄と、右リール３２Ｒの「スイカ」図柄と、が有効ライン上に停止した場合には、第５再遊技入賞となる。各リール３２Ｌ，３２Ｍ，３２Ｒの「リプレイ」図柄が有効ライン上に停止した場合、又は、左リール３２Ｌの「赤７」図柄と、中リール３２Ｍ及び右リール３２Ｒの「リプレイ」図柄が有効ライン上に停止した場合には、第６再遊技入賞となる。左リール３２Ｌ及び中リール３２Ｍの「赤７」図柄と、右リール３２Ｒの「青年」図柄が有効ライン上に停止した場合には、第７再遊技入賞となる。左リール３２Ｌ及び中リール３２Ｍの「赤７」図柄と、右リール３２Ｒの「ＢＡＲ」図柄が有効ライン上に停止した場合には、第８再遊技入賞となる。各リール３２Ｌ，３２Ｍ，３２Ｒの「赤７」図柄が有効ライン上に停止した場合には、第９再遊技入賞となる。左リール３２Ｌの「ＢＡＲ」図柄と、中リール３２Ｍ及び右リール３２Ｒの「リプレイ」図柄が有効ライン上に停止した場合には、第１０再遊技入賞となる。左リール３２Ｌの「赤ベル」図柄と、中リール３２Ｍの「青年」図柄と、右リール３２Ｒの「スイカ」図柄と、が有効ライン上に停止した場合には、第１１再遊技入賞となる。左リール３２Ｌの「白ベル」図柄と、中リール３２Ｍの「青年」図柄と、右リール３２Ｒの「スイカ」図柄と、が有効ライン上に停止した場合には、第１２再遊技入賞となる。
【００２９】
また、第１再遊技入賞，第１０再遊技入賞，第１１再遊技入賞，第１２再遊技入賞のいずれかが成立した場合には、遊技状態が通常遊技状態に移行し、第２再遊技入賞が成立した場合には、遊技状態が第２ＲＴ状態に移行し、第３再遊技入賞が成立した場合には、遊技状態が第３ＲＴ状態に移行し、第４再遊技入賞が成立した場合には、遊技状態が第４ＲＴ状態に移行し、第５再遊技入賞が成立した場合には、遊技状態が第５ＲＴ状態に移行する。加えて、入賞とは異なるものの、有効ライン上に左から「リプレイ」図柄，「赤ベル」図柄，「スイカ」図柄が停止した場合と、「リプレイ」図柄，「白ベル」図柄，「スイカ」図柄が停止した場合と、「リプレイ」図柄，「青年」図柄，「赤ベル」図柄が停止した場合と、「リプレイ」図柄，「青年」図柄，「白ベル」図柄が停止した場合と、には、遊技状態が第１ＲＴ状態に移行する。以下では、これら遊技状態が第１ＲＴ状態に移行する図柄の組合せを移行出目と言う。
【００３０】
なお以下では、各入賞と対応する図柄の組合せを入賞図柄の組合せとも言う。例えば、第３特殊ベル図柄の組合せとは、第３特殊ベル入賞となる図柄の組合せ、すなわち「リプレイ」図柄，「白ベル」図柄，「赤ベル」図柄の組合せである。また、各入賞と対応する各リール３２Ｌ，３２Ｍ，３２Ｒの図柄を入賞図柄とも言う。例えば、第３特殊ベル図柄とは、左リール３２Ｌにおいては「リプレイ」図柄であり、中リール３２Ｍにおいては「白ベル」図柄であり、右リール３２Ｒにおいては「赤ベル」図柄である。
【００３１】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００３２】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００３３】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００３４】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００３５】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００３６】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００３７】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００３８】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００３９】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００４０】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えることができることから、本実施形態では補助表示部６５と称している。補助表示部６５の背面には、上部ランプ６３やスピーカ６４、補助表示部６５を駆動させるための表示制御装置８１が設けられている。
【００４１】
筐体１１の内部においてホッパ装置５１の左方には、電源ボックス７０が設けられている。電源ボックス７０は、その内部に電源装置９１を収容するとともに、電源スイッチ７１やリセットスイッチ７２、設定キー挿入孔７３などを備えている。電源スイッチ７１は、主制御装置１０１を始めとする各部に電源を供給するための起動スイッチである。リセットスイッチ７２は、スロットマシン１０のエラー状態をリセットするためのスイッチである。また、設定キー挿入孔７３は、ホール管理者などがメダルの出玉調整を行うためのものである。すなわち、ホール管理者等が設定キーを設定キー挿入孔７３へ挿入してＯＮ操作することにより、スロットマシン１０の当選確率を設定できるようになっている。なお、リセットスイッチ７２は、エラー状態をリセットする場合の他に、スロットマシン１０の当選確率を変更する場合にも操作される。
【００４２】
リールユニット３１の上方には、遊技を統括管理する主制御装置１０１が筐体１１に取り付けられている。
【００４３】
次に、本スロットマシン１０の電気的構成について、図９のブロック図に基づいて説明する。
【００４４】
主制御装置１０１には、演算処理手段であるＣＰＵ１０２を中心とするマイクロコンピュータが搭載されている。ＣＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【００４５】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５から投入されたメダルを検出する投入メダル検出センサ４５ａ、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されてＯＮ操作されたことを検出する設定キー検出センサ７３ａ等の各種センサが接続されており、これら各種センサからの信号は入出力ポート１０４を介してＣＰＵ１０２へ出力されるようになっている。
【００４６】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【００４７】
停電監視回路９１ｂは電源の遮断状態を監視し、停電時はもとより、電源スイッチ７１による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１０２と入出力ポート１０４のそれぞれに供給され、ＣＰＵ１０２ではこの停電信号を認識することにより後述する停電処理が実行される。また、この停電信号は表示制御装置８１にも供給されるように構成されている。
【００４８】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電処理を実行するに十分な時間が確保されている。
【００４９】
主制御装置１０１の出力側には、リールユニット３１（より詳しくは各リール３２Ｌ，３２Ｍ，３２Ｒを回転させるためのステッピングモータ）、セレクタ４６に設けられたメダル通路切替ソレノイド４６ａ、ホッパ装置５１、クレジット表示部６０、残払出枚数表示部６１、払出枚数表示部６２、表示制御装置８１、図示しないホール管理装置などに情報を送信できる外部集中端子板１２１等が入出力ポート１０４を介して接続されている。
【００５０】
表示制御装置８１は、上部ランプ６３やスピーカ６４、補助表示部６５を駆動させるための制御装置であり、これらを駆動させるためのＣＰＵ、ＲＯＭ、ＲＡＭ等が一体化された基板を備えている。そして、主制御装置１０１からの信号を受け取った上で、表示制御装置８１が独自に上部ランプ６３、スピーカ６４及び補助表示部６５を駆動制御する。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【００５１】
上述したＣＰＵ１０２には、このＣＰＵ１０２によって実行される各種の制御プログラムや固定値データを記憶したＲＯＭ１０５と、このＲＯＭ１０５に記憶されている制御プログラムを実行するにあたって各種のデータを一時的に記憶する作業エリアを確保するためのＲＡＭ１０６の他に、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１０５とＲＡＭ１０６によって記憶手段としてのメインメモリが構成され、図１０〜図２９，図３６のフローチャートに示される各種処理を実行するためのプログラムは、制御プログラムの一部として上述したＲＯＭ１０５に記憶されている。
【００５２】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いる停止情報を記憶するための停止情報格納エリア１０６ｂ、ＢＢ状態等の遊技状態を記憶するための状態情報格納エリア１０６ｃ等の他に、バックアップエリアが設けられている。
【００５３】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電処理（図１０参照）によって電源遮断時に実行され、バックアップエリアに書き込まれた各値の復帰は電源投入時のメイン処理において実行される。
【００５４】
また、ＣＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【００５５】
続いて、主制御装置１０１のＣＰＵ１０２により実行される各制御処理について説明する。かかるＣＰＵ１０２の処理としては、大別して、電源投入に伴い起動されるメイン処理と、定期的に（本実施の形態では１．４９ｍｓｅｃ周期で）起動されるタイマ割込み処理と、ＮＭＩ端子への停電信号の入力に伴い起動されるＮＭＩ割込み処理とがある。以下では、これら各処理のうち遊技の進行に関わる処理、すなわちタイマ割込み処理と、メイン処理にて行われる通常処理とを図１０〜図２９，図３６のフローチャートを参照しながら説明する。
【００５６】
図１０は、主制御装置１０１で定期的に実行されるタイマ割込み処理のフローチャートであり、主制御装置１０１のＣＰＵ１０２により例えば１．４９ｍｓｅｃごとにタイマ割込みが発生する。
【００５７】
先ず、ステップＳ１０１に示すレジスタ退避処理では、後述する通常処理で使用しているＣＰＵ１０２内の全レジスタの値をＲＡＭ１０６のバックアップエリアに退避させる。ステップＳ１０２では停電フラグがセットされているか否かを確認し、停電フラグがセットされているときにはステップＳ１０３に進み、停電処理を実行する。
【００５８】
ここで、停電処理について概略を説明する。
【００５９】
停電の発生等によって電源が遮断されると、電源装置９１の停電監視回路９１ｂから停電信号が出力され、当該停電信号がＮＭＩ端子を介して主制御装置１０１に入力される。主制御装置１０１は、停電信号が入力された場合、即座にＮＭＩ割込み処理を実行し、停電フラグをＲＡＭ１０６に設けられた停電フラグ格納エリアにセットする。
【００６０】
停電処理では、先ずコマンドの送信が終了しているか否かを判定し、送信が終了していない場合には本処理を終了してタイマ割込み処理に復帰し、コマンドの送信を終了させる。コマンドの送信が終了している場合には、ＣＰＵ１０２のスタックポインタの値をＲＡＭ１０６のバックアップエリアに保存する。その後、入出力ポート１０４における出力ポートの出力状態をクリアし、図示しない全てのアクチュエータをオフ状態にする。そして、停電解消時にＲＡＭ１０６のデータが正常か否かを判定するためのＲＡＭ判定値を算出してバックアップエリアに保存することにより、それ以後のＲＡＭアクセスを禁止する。以上の処理を行った後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１０６への書き込みを許可すると共に停電フラグをリセットし、タイマ割込み処理に復帰する。停電信号の出力が継続してなされていれば、そのまま無限ループに入る。ちなみに、無限ループ下においても停電信号が出力されているか否かを確認しており、停電信号が出力されなくなった場合にはメイン処理に移行する。
【００６１】
タイマ割込み処理の説明に戻り、ステップＳ１０２にて停電フラグがセットされていない場合には、ステップＳ１０４以降の各種処理を行う。
【００６２】
すなわち、ステップＳ１０４では、誤動作の発生を監視するためのウオッチドッグタイマの値を初期化するウオッチドッグタイマのクリア処理を行う。ステップＳ１０５では、ＣＰＵ１０２自身に対して次回のタイマ割込みを設定可能とする割込み終了宣言処理を行う。ステップＳ１０６では、各リール３２Ｌ，３２Ｍ，３２Ｒを回転させるために、それぞれの回胴駆動モータであるステッピングモータを駆動させるステッピングモータ制御処理を行う。ステップＳ１０７では、入出力ポート１０４に接続されたストップ検出センサ４２ａ〜４４ａ，投入メダル検出センサ４５ａ，払出検出センサ５１ａ等の各種センサ（図９参照）の状態を読み込むと共に、読み込み結果が正常か否かを監視するセンサ監視処理を行う。ステップＳ１０８では、各カウンタやタイマの値を減算するタイマ演算処理を行う。ステップＳ１０９では、メダルのベット数や、払出枚数をカウントした結果を外部集中端子板１２１へ出力するカウンタ処理を行う。
【００６３】
ステップＳ１１０では、後述する抽選結果コマンド等の各種コマンドを表示制御装置８１へ送信するコマンド出力処理を行う。ステップＳ１１１では、クレジット表示部６０、残払出枚数表示部６１及び払出枚数表示部６２にそれぞれ表示されるセグメントデータを設定するセグメントデータ設定処理を行う。ステップＳ１１２では、セグメントデータ設定処理で設定されたセグメントデータを各表示部６０〜６２に供給して該当する数字、記号などを表示するセグメントデータ表示処理を行う。ステップＳ１１３では、入出力ポート１０４からＩ／Ｏ装置に対応するデータを出力するポート出力処理を行う。ステップＳ１１４では、先のステップＳ１０１にてバックアップエリアに退避させた各レジスタの値をそれぞれＣＰＵ１０２内の対応するレジスタに復帰させる。その後ステップＳ１１５にて次回のタイマ割込みを許可する割込み許可処理を行い、この一連のタイマ割込み処理を終了する。
【００６４】
次に、遊技に関わる主要な制御を行う通常処理について図１１のフローチャートに基づき説明する。
【００６５】
先ずステップＳ２０１では、次回のタイマ割込みを許可する割込み許可処理を行う。ステップＳ２０２では、遊技を可能とするための開始前処理を行う。開始前処理では、表示制御装置８１等が初期化を終了するまで待機する。表示制御装置８１等の初期化が終了した場合には、ステップＳ２０３〜ステップＳ２１３に示す遊技管理処理を行う。
【００６６】
遊技管理処理として、ステップＳ２０３では、ＲＡＭ１０６に格納された各種遊技情報等のデータ（例えば前回の遊技で用いた乱数値等）をクリアする。その後、ステップＳ２０４では開始待ち処理を行う。
【００６７】
開始待ち処理では、前回の遊技で第１再遊技入賞〜第１２再遊技入賞のいずれかが成立したか否かを判定する。いずれかの再遊技入賞が成立していた場合には、前回のベット数と同数の仮想メダルを自動投入する自動投入処理を行い、開始待ち処理を終了する。なお、自動投入処理では、クレジット表示部６０に表示された仮想メダル数を減じることなく仮想メダルの投入を行う。つまり、前回の遊技でいずれかの再遊技入賞が成立した場合には、遊技者は所有するメダルを減らすことなく且つメダルを投入することなく今回の遊技を行うことができる。いずれの再遊技入賞も成立していなかった場合には、タイマ割込み処理のセンサ監視処理ステップＳ１０７にてなされたセンサの読み込み結果に異常が発生していないかを確認するセンサ異常確認処理を行い、異常が発生している場合にはスロットマシン１０をエラー状態とするとともにエラーの発生を報知する異常発生時処理を行う。かかるエラー状態は、リセットスイッチ７２が操作されるまで維持される。センサの読み込み結果が正常である場合には精算スイッチ５９が操作されたか否かを判定し、精算スイッチ５９が操作された場合には、クレジットされた仮想メダルと同数のメダルを払い出すメダル返却処理を行う。メダル返却処理の終了後又は精算スイッチ５９が操作されていない場合には、前回の開始待ち処理から今回の開始待ち処理までの間にメダルの投入又はクレジット投入スイッチ５６〜５８の操作がなされたか否かを判定し、いずれかが行われた場合には、ベット数の変更等を行うメダル投入処理を行い、開始待ち処理を終了する。また、前回の開始待ち処理から今回の開始待ち処理までの間にメダルの投入とクレジット投入スイッチ５６〜５８の操作のいずれもなされていない場合には、そのまま開始待ち処理を終了する。
【００６８】
開始待ち処理の終了後、ステップＳ２０５ではメダルのベット数が規定数（本実施の形態では３）に達しているか否かを判定し、ベット数が規定数に達していない場合には、ステップＳ２０４の開始待ち処理に戻り、当該処理のうちセンサ異常確認処理以降の処理を行う。ベット数が規定数に達している場合には、ステップＳ２０６にてスタートレバー４１が操作されたか否かを判定する。スタートレバー４１が操作されていない場合には、ステップＳ２０４の開始待ち処理に戻り、当該処理のうちセンサ異常確認処理以降の処理を行う。
【００６９】
一方、スタートレバー４１が操作された場合には、規定数のメダルがベットされている状況下でスタートレバー４１が操作されると遊技を開始できる構成となっているため、遊技を開始させるべく開始指令が発生したことを意味する。かかる場合には、ステップＳ２０７にて上述した第１ラインＬ１〜第４ラインＬ４の全ての組合せラインを有効ラインと設定する有効ライン設定処理を行うとともに、ステップＳ２０８にてメダル通路切替ソレノイド４６ａを非励磁状態に切り替えてベット受付を禁止する。その後、ステップＳ２０９の抽選処理、ステップＳ２１０のリール制御処理、ステップＳ２１１のメダル払出処理、ステップＳ２１２のＲＴ状態処理、ステップＳ２１３のＢＢ状態処理を順に実行し、ステップＳ２０３に戻る。
【００７０】
次に、ステップＳ２０９の抽選処理について、図１２のフローチャートに基づき説明する。
【００７１】
ステップＳ３０１では、役の当否判定を行う際に用いる乱数を取得する。本スロットマシン１０では、スタートレバー４１が操作されると、ハード回路がその時点におけるフリーランカウンタの値をラッチする構成となっている。フリーランカウンタは０〜６５５３５の乱数を生成しており、ＣＰＵ１０２は、スタートレバー４１の操作を確認した後、ハード回路がラッチした値をＲＡＭ１０６に格納する。かかる構成とすることにより、スタートレバー４１が操作されたタイミングで速やかに乱数を取得することが可能となり、同期等の問題が発生することを回避することが可能となる。本スロットマシン１０のハード回路は、スタートレバー４１が操作される毎にその都度のフリーランカウンタの値をラッチする構成となっている。
【００７２】
乱数を取得した後、ステップＳ３０２では、役の当否判定を行うための抽選テーブルを選択する。本スロットマシン１０では、大別して通常遊技状態，第１ＲＴ状態，第２ＲＴ状態，第３ＲＴ状態，第４ＲＴ状態，第５ＲＴ状態，ＢＢ状態の７種類の遊技状態を有している。そこでステップＳ３０２では、状態情報格納エリア１０６ｃにセットされている設定フラグに基づいてスロットマシン１０の現在の遊技状態を判別し、遊技状態と対応した抽選テーブルを選択する。例えば、状態情報格納エリア１０６ｃに設定フラグがセットされていない場合には、現在の遊技状態が通常遊技状態であると判別し、通常遊技状態用抽選テーブルを選択する。また、本スロットマシン１０では、「設定１」から「設定６」まで６段階の当選確率が予め用意されており、設定キー挿入孔に設定キーを挿入してＯＮ操作するとともに所定の操作を行うことにより、いずれの当選確率に基づいて内部処理を実行させるのかを設定することができる。ステップＳ３０２では、設定状態が「設定１」のときにメダル払出の期待値が最も低い抽選テーブルを選択し、「設定６」のときにメダル払出の期待値が最も高い抽選テーブルを選択する。
【００７３】
抽選テーブルについて、簡単に説明する。図１３は、「設定３」の通常遊技状態で選択される通常遊技状態用抽選テーブルである。抽選テーブルには、インデックス値ＩＶが設定されており、各インデックス値ＩＶには、当選となる役がそれぞれ一義的に対応付けられるとともにポイント値ＰＶが設定されている。
【００７４】
抽選テーブルを選択した後、ステップＳ３０３ではインデックス値ＩＶを１とし、続くステップＳ３０４では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、ステップＳ３０１にて取得した乱数値を現在の判定値ＤＶとし、この乱数値に現在のインデックス値ＩＶである１と対応するポイント値ＰＶを加算して新たな判定値ＤＶとする。
【００７５】
その後、ステップＳ３０５ではインデックス値ＩＶと対応する役の当否判定を行う。役の当否判定では判定値ＤＶが６５５３５を超えたか否かを判定する。６５５３５を超えた場合には、ステップＳ３０６に進み、そのときのインデックス値ＩＶと対応する当選フラグをＲＡＭ１０６の当選フラグ格納エリア１０６ａにセットする。例えば、ＩＶ＝６のときに判定値ＤＶが６５５３５を超えた場合、ステップＳ３０６では、チェリーと第２スイカに当選したことを示す当選フラグを当選フラグ格納エリア１０６ａにセットする。
【００７６】
ちなみに、セットされた当選フラグが第１ＢＢに当選したことを示す当選フラグ（以下、「第１ＢＢ当選フラグ」という。）又は第２ＢＢに当選したことを示す当選フラグ（以下、「第２ＢＢ当選フラグ」という。）でない場合、当選フラグ格納エリア１０６ａにセットされた当選フラグは該当選フラグがセットされたゲームの終了後にリセットされる（通常処理のＳ２０３参照）。一方、当選フラグが第１ＢＢ当選フラグ又は第２ＢＢ当選フラグである場合、これら当選フラグは対応するＢＢ入賞が成立したことを条件の１つとしてリセットされる。すなわち、第１ＢＢ当選フラグと第２ＢＢ当選フラグは、複数回のゲームにわたって有効とされる場合がある。なお、第１ＢＢ当選フラグ又は第２ＢＢ当選フラグを持ち越した状態におけるステップＳ３０６では、現在のインデックス値ＩＶが３〜２０であればインデックス値ＩＶと対応する当選フラグをセットし、現在のインデックス値ＩＶが１又は２であれば対応する当選フラグをセットしない。つまり、第１ＢＢ当選フラグ又は第２ＢＢ当選フラグが持ち越されているゲームでは、第１ＢＢ及び第２ＢＢ以外の役に当選した場合には対応する当選フラグをセットする一方、第１ＢＢ又は第２ＢＢに当選した場合には対応する当選フラグをセットしない。
【００７７】
ステップＳ３０５にて判定値ＤＶが６５５３５を超えなかった場合には、インデックス値ＩＶと対応する役に外れたことを意味する。かかる場合にはステップＳ３０７にてインデックス値ＩＶを１加算し、続くステップＳ３０８ではインデックス値ＩＶと対応する役があるか否か、すなわち当否判定すべき判定対象があるか否かを判定する。具体的には、１加算されたインデックス値ＩＶが抽選テーブルに設定されたインデックス値ＩＶの最大値を超えたか否かを判定する。当否判定すべき判定対象がある場合にはステップＳ３０４に戻り、役の当否判定を継続する。このとき、ステップＳ３０４では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ３０５では、当該判定値ＤＶに基づいて役の当否判定を行う。ちなみに、図１３に示した抽選テーブルを用いて役の当否判定を行う場合、ＩＶ＝１の際に当選となる確率は約１６４００分の１、ＩＶ＝２の際に当選となる確率は約２０５０分の１、ＩＶ＝３の際に当選となる確率は約９６．４分の１、ＩＶ＝４の際に当選となる確率は約２６２分の１、ＩＶ＝５の際に当選となる確率は約２５６分の１、ＩＶ＝６の際に当選となる確率は約１６４００分の１、ＩＶ＝７の際に当選となる確率は約６５５００分の１である。ＩＶ＝８〜１１の際に当選となる確率はそれぞれ約９１．９分の１であり、ＩＶ＝１２〜１９の際に当選となる確率はそれぞれ約３１．２分の１である。ＩＶ＝２０の際に当選となる確率は約７．３０分の１である。また、いずれの役にも当選しない外れの確率は約１．８０分の１である。
【００７８】
ステップＳ３０６にて当選フラグをセットした後、又はステップＳ３０８にて当否判定すべき判定対象がないと判定した場合には、役の当否判定が終了したことを意味する。かかる場合には、ステップＳ３０９にて抽選結果コマンドをセットする。ここで、抽選結果コマンドとは、役の当否判定の結果を把握させるべく表示制御装置８１に対して送信されるコマンドである。但し、通常処理では、上記抽選結果コマンド等の各種コマンドをリングバッファにセットするのみであって、表示制御装置８１に対してコマンドを送信しない。表示制御装置８１へのコマンド送信は、先述したタイマ割込み処理のコマンド出力処理Ｓ１１０にて行われる。
【００７９】
そして、ステップＳ３１０では、リール停止制御用の停止情報を設定する停止情報設定処理を行い、抽選処理を終了する。
【００８０】
次に、ステップＳ２１０のリール制御処理について、図１４のフローチャートに基づき説明する。
【００８１】
リール制御処理では、先ずステップＳ４０１において各リール３２Ｌ，３２Ｍ，３２Ｒの回転を開始させる回転開始処理を行う。
【００８２】
回転開始処理では、前回の遊技でリールが回転を開始した時点から予め定めたウエイト時間（例えば４．１秒）が経過したか否かを確認し、経過していない場合にはウエイト時間が経過するまで待機する。ウエイト時間が経過した場合には、次回の遊技のためのウエイト時間を再設定するとともに、ＲＡＭ１０６に設けられたモータ制御格納エリアに回転開始情報をセットするモータ制御初期化処理を行う。かかる処理を行うことにより、タイマ割込み処理のステッピングモータ制御処理Ｓ１０６にてステッピングモータの加速処理が開始され、各リール３２Ｌ，３２Ｍ，３２Ｒが回転を開始する。このため、遊技者が規定数のメダルをベットしてスタートレバー４１を操作したとしても、直ちに各リール３２Ｌ，３２Ｍ，３２Ｒが回転を開始しない場合がある。その後、各リール３２Ｌ，３２Ｍ，３２Ｒが所定の回転速度で定速回転するまで待機し、回転開始処理を終了する。また、ＣＰＵ１０２は、各リール３２Ｌ，３２Ｍ，３２Ｒの回転速度が定速となると、各ストップスイッチ４２〜４４の図示しないランプを点灯表示することにより、停止指令を発生させることが可能となったことを遊技者等に報知する。
【００８３】
回転開始処理に続き、ステップＳ４０２では、ストップスイッチ４２〜４４のいずれかが操作されたか否かを判定する。いずれのストップスイッチ４２〜４４も操作されていない場合には、ストップスイッチ４２〜４４のいずれかが操作されるまで待機する。ストップスイッチ４２〜４４のいずれかが操作されたと判定した場合には、ステップＳ４０３に進み、回転中のリールと対応するストップスイッチが操作されたか否か、すなわち停止指令が発生したか否かを判定する。停止指令が発生していない場合には、ステップＳ４０２に戻り、ストップスイッチ４２〜４４のいずれかが操作されるまで待機する。停止指令が発生した場合には、ステップＳ４０４にて停止指令コマンドをセットする。ここで、停止指令コマンドとは、いずれのストップスイッチが操作されて停止指令が発生したのかを把握させるべく表示制御装置８１に対して送信されるコマンドである。停止指令コマンドをセットした場合には、回転中のリールを停止させるべくステップＳ４０５〜ステップＳ４１２に示す停止制御処理を行う。
【００８４】
ステップＳ４０５では、ストップスイッチの操作されたタイミングで基点位置（本実施の形態では下段）に到達している到達図柄の図柄番号を確認する。具体的には、リールインデックスセンサの検出信号が入力された時点から出力した励磁パルス数により、基点位置に到達している到達図柄の図柄番号を確認する。続くステップＳ４０６では、停止情報格納エリア１０６ｂに格納されている停止情報に基づいて、今回停止させるべきリールのスベリ数を算出する。本スロットマシン１０では、各リール３２Ｌ，３２Ｍ，３２Ｒを停止させる停止態様として、ストップスイッチ４２〜４４が操作された場合に、基点位置に到達している到達図柄をそのまま停止させる停止態様と、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンの停止態様が用意されている。そこでステップＳ４０６では、停止情報格納エリア１０６ｂに格納されている停止情報に基づいて、スベリ数として０〜４のいずれかの値を算出する。その後、ステップＳ４０７では、算出したスベリ数を到達図柄の図柄番号に加算し、基点位置に実際に停止させる停止図柄の図柄番号を決定する。ステップＳ４０８では今回停止させるべきリールの到達図柄の図柄番号と停止図柄の図柄番号が等しくなったか否かを判定し、等しくなった場合にはステップＳ４０９にてリールの回転を停止させるリール停止処理を行う。その後、ステップＳ４１０では、全リール３２Ｌ，３２Ｍ，３２Ｒが停止したか否かを判定する。全リール３２Ｌ，３２Ｍ，３２Ｒが停止していない場合には、ステップＳ４１１にて停止情報第２設定処理を行う。
【００８５】
ここで、停止情報第２設定処理とは、ＲＡＭ１０６の停止情報格納エリア１０６ｂに格納された停止情報を、リールの停止後に変更する処理である。停止情報第２設定処理では、セットされている当選フラグと、停止しているリールの停止出目と、に基づいて停止情報を変更する。本スロットマシン１０では、例えばＩＶ＝８〜１９の際に当選となった場合すなわちベルと２種類の特殊ベルに当選となった場合（図１３参照）に、停止指令を発生させたストップスイッチ４２〜４４の操作順序によって成立する入賞態様を変化させるべく停止情報第２設定処理を行う。
【００８６】
図１５は、ＩＶ＝８〜１９の際にセットされる当選フラグと、ストップスイッチ４２〜４４の操作順序と成立する入賞態様との対応関係を示す説明図である。例えばＩＶ＝１２と対応する当選フラグ「１２」がセットされている場合には、左ストップスイッチ４２が最初に操作された場合に第１特殊ベル入賞が成立するよう停止情報を設定し、中ストップスイッチ４３が最初に操作された場合にベル入賞が成立するよう停止情報を設定し、右ストップスイッチ４４が最初に操作された場合に第９特殊ベル入賞が成立するよう停止情報を設定する。但し、このように停止情報を設定した場合であっても、ストップスイッチ４２〜４４の操作タイミングによっては対応する入賞が成立しない場合がある。
【００８７】
各リール３２Ｌ，３２Ｍ，３２Ｒの図柄配列について簡単に説明する。本スロットマシン１０では、リール３２Ｌ，３２Ｍ，３２Ｒをストップスイッチ４２〜４４の操作されたタイミングから最大４図柄分滑らせた後に停止させることができ、左リール３２Ｌと右リール３２Ｒにおいては上段と下段に有効ラインが設定され、中リール３２Ｍにおいては中段に有効ラインが設定される。このため、左リール３２Ｌと右リール３２Ｒに関しては、同種図柄同士の間隔が６図柄以下で配置されていればストップスイッチ４２，４４の操作タイミングに関わらず当選図柄となった際に当該当選図柄を有効ライン上に停止させることができ、中リール３２Ｍに関しては、同種図柄同士の間隔が４図柄以下で配置されていればストップスイッチ４３の操作タイミングに関わらず当選図柄となった際に当該当選図柄を有効ライン上に停止させることができる。左リール３２Ｌには、「リプレイ」図柄，「チェリー」図柄及び「スイカ」図柄が同種図柄同士の間隔が６図柄以下となるようにして配置されており、中リール３２Ｍには、「リプレイ」図柄と「青年」図柄が同種図柄同士の間隔が４図柄以下となるようにして配置されており、右リール３２Ｒには、「リプレイ」図柄と「スイカ」図柄が同種図柄同士の間隔が６図柄以下となるようにして配置されている。このため、上記各図柄が当選図柄となった場合には、ストップスイッチ４２〜４４の操作タイミングに関わらず有効ライン上に当選図柄を停止させることができる。一方、「赤ベル」図柄や「白ベル」図柄等の他の図柄に関しては、上記間隔以上に離れた区間が形成されるようにして配置されているため、有効ライン上に停止させるためには遊技者が図柄を狙ってストップスイッチ４２〜４４を操作する必要がある。
【００８８】
ＩＶ＝１２の際に当選となり、左ストップスイッチ４２→中ストップスイッチ４３→右ストップスイッチ４４の順で操作された場合を例として説明する。かかる場合には、第１特殊ベル入賞を成立させるべく各リール３２Ｌ，３２Ｍ，３２Ｒの停止制御を行う。
【００８９】
左リール３２Ｌには、第１特殊ベル図柄たる「リプレイ」図柄が、同種図柄同士の間隔が６図柄以下となるようにして配置されている。このため、左ストップスイッチ４２が最初に操作された場合には、その操作タイミングに関わらず上段又は下段に「リプレイ」図柄が停止する。例えば左リール３２Ｌの１２番の「リプレイ」図柄が下段に到達しているタイミングで左ストップスイッチ４２が操作された場合には、図１６（ａ）に示すように、当該１２番の「リプレイ」図柄が下段に停止する。この結果、第３ラインＬ３と第４ラインＬ４で第１特殊ベル入賞の成立する余地が残る。
【００９０】
中リール３２Ｍには、第１特殊ベル図柄たる「赤ベル」図柄が、２番，５番，１０番，２０番の位置に配置されている。２０番〜１０番の区間では、「赤ベル」図柄同士の間隔が４図柄以下となるように配置されている一方、１０番〜２０番の区間では「赤ベル」図柄同士の間隔が９図柄となっている。このため、中ストップスイッチ４３の操作タイミングによって「赤ベル」図柄が有効ライン上に停止したりしなかったりする。具体的には、１６番の「赤７」図柄〜１０番の「赤ベル」図柄のいずれかが中段に到達しているタイミングで中ストップスイッチ４３が操作された場合、図１６（ｂ）に示すように、第１特殊ベル図柄たる「赤ベル」図柄が中段に停止する。この結果、第３ラインＬ３と第４ラインＬ４で第１特殊ベル入賞の成立する余地が残る。一方、１１番の「スイカ」図柄〜１５番の「白ベル」図柄のいずれかが中段に到達しているタイミングで中ストップスイッチ４３が操作された場合には、中リール３２Ｍを４図柄分滑らせた後に停止させたとしても第１特殊ベル図柄たる「赤ベル」図柄を中段に停止させることができない。かかるタイミングで中ストップスイッチ４３が操作された場合には、図１６（ｃ）に示すように、１５番の「白ベル」図柄が中段に停止する。「赤ベル」図柄を中段に停止させることができない場合に「白ベル」図柄を中段に停止させることにより、当選役が報知されていない状況において、第３特殊ベル入賞又は第４特殊ベル入賞が成立することを遊技者に期待させることが可能となる。
【００９１】
右リール３２Ｒには、第１特殊ベル図柄たる「赤ベル」図柄が９番と１６番の位置に配置されている。９番〜１６番の区間では「赤ベル」図柄同士の間隔が６図柄となっている一方、１６番〜９番の区間では「赤ベル」図柄同士の間隔が１３図柄となっている。このため、右ストップスイッチ４４の操作タイミングによって「赤ベル」図柄が有効ライン上に停止したりしなかったりする。具体的には、３番の「青７」図柄〜１６番の「赤ベル」図柄のいずれかが下段に到達しているタイミングで右ストップスイッチ４４が操作された場合、第１特殊ベル図柄たる「赤ベル」図柄が上段又は下段に停止する。この結果、第３ラインＬ３又は第４ラインＬ４で第１特殊ベル入賞が成立する。例えば、１６番の「赤ベル」図柄が下段に到達しているタイミングで右ストップスイッチ４４が操作された場合には、図１６（ｄ）に示すように、第４ラインＬ４で第１特殊ベル入賞が成立する。一方、１７番の「赤７」図柄〜２番の「白ベル」図柄のいずれかが下段に到達しているタイミングで右ストップスイッチ４４が操作された場合には、右リール３２Ｒを４図柄分滑らせた後に停止させたとしても第１特殊ベル図柄たる「赤ベル」図柄を上段又は下段に停止させることができない。かかるタイミングで右ストップスイッチ４４が操作された場合には、「スイカ」図柄が上段又は下段に停止する。例えば、２番の「白ベル」図柄が下段に到達しているタイミングで右ストップスイッチ４４が操作された場合には、図１６（ｅ）に示すように、第４ラインＬ４上に左から「リプレイ」図柄，「白ベル」図柄，「スイカ」図柄が停止する。つまり、第１特殊ベル入賞を成立させることができないタイミングでストップスイッチ４２〜４４が操作された場合には、有効ライン上に移行出目（図８参照）が停止する。
【００９２】
次に、ＩＶ＝８の際に当選となり、左ストップスイッチ４２→中ストップスイッチ４３→右ストップスイッチ４４の順で操作された場合を例として説明する。かかる場合には、ベル入賞を成立させるべく各リール３２Ｌ，３２Ｍ，３２Ｒの停止制御を行う。
【００９３】
左リール３２Ｌには、ベル図柄たる「赤ベル」図柄が１３番と２０番の位置に配置されるとともに、ベル図柄たる「白ベル」図柄が６番の位置に配置されている。かかる場合、６番の「白ベル」図柄と１３番の「赤ベル」図柄の間隔は６図柄であり、１３番の「赤ベル」図柄と２０番の「赤ベル」図柄の間隔は６図柄であり、２０番の「赤ベル」図柄と６番の「白ベル」図柄の間隔は６図柄である。つまり、左リール３２Ｌには、ベル図柄同士の間隔が６図柄以下となるようにして「赤ベル」図柄と「白ベル」図柄が配置されている。このため、左ストップスイッチ４２が最初に操作された場合には、その操作タイミングに関わらず上段又は下段に「赤ベル」図柄又は「白ベル」が停止する。
【００９４】
中リール３２Ｍには、ベル図柄たる「赤ベル」図柄が２０番，２番，５番，１０番の位置に配置されるとともに、ベル図柄たる「白ベル」図柄が１５番の位置に配置されている。かかる場合、２０番〜１０番の区間では「赤ベル」図柄同士の間隔が４図柄以下となっており、１０番の「赤ベル」図柄と１５番の「白ベル」図柄の間隔が４図柄となっており、１５番の「白ベル」図柄と２０番の「赤ベル」図柄の間隔が４図柄となっている。つまり、中リール３２Ｍには、ベル図柄同士の間隔が４図柄以下となるようにして「赤ベル」図柄と「白ベル」図柄が配置されている。このため、中ストップスイッチ４３が２番目に操作された場合には、その操作タイミングに関わらず中段に「赤ベル」図柄又は「白ベル」が停止する。
【００９５】
右リール３２Ｒには、ベル図柄たる「赤ベル」図柄が９番と１６番の位置に配置されるとともに、ベル図柄たる「白ベル」図柄が２番の位置に配置されている。かかる場合、２番の「白ベル」図柄と９番の「赤ベル」図柄の間隔は６図柄であり、９番の「赤ベル」図柄と１６番の「赤ベル」図柄の間隔は６図柄であり、１６番の「赤ベル」図柄と２番の「白ベル」図柄の間隔は６図柄である。つまり、右リール３２Ｒには、ベル図柄同士の間隔が６図柄以下となるようにして「赤ベル」図柄と「白ベル」図柄が配置されている。このため、右ストップスイッチ４４が最後に操作された場合には、その操作タイミングに関わらず上段又は下段に「赤ベル」図柄又は「白ベル」が停止する。この結果、各リール３２Ｌ，３２Ｍ，３２Ｒの「赤ベル」図柄又は「白ベル」図柄が有効ライン上に停止し、ベル入賞が成立する。
【００９６】
ＩＶ＝８〜１９の際に当選となった場合には、６通りのストップスイッチ４２〜４４の操作順序のうち２通りの操作順序についてベル入賞が成立するよう停止情報を設定し、４通りの操作順序について特殊ベル入賞が成立するよう停止情報を設定する。上述したとおり、ベル入賞が成立するよう停止情報が設定された場合には、ストップスイッチ４２〜４４の操作タイミングに関わらずベル入賞が成立する。一方、特殊ベル入賞が成立するよう停止情報が設定された場合には、ストップスイッチ４２〜４４の操作タイミングによって特殊ベル入賞が成立したり成立しなかったりする。なお、第５特殊ベル〜第１２特殊ベル入賞が成立するよう停止情報が設定された場合、すなわち中ストップスイッチ４３又は右ストップスイッチ４４が最初に操作された場合には、対応する特殊ベル入賞を成立させることが可能なタイミングでストップスイッチ４２〜４４が操作されれば当該特殊ベル入賞が成立し、対応する特殊ベル入賞を成立させることが不可能なタイミングでストップスイッチ４２〜４４が操作されれば特殊ベル入賞が成立しないのみならず移行出目も有効ライン上に停止しない。つまり、移行出目は、左ストップスイッチ４２が最初に操作されるとともに設定された停止情報と対応する特殊ベル入賞を成立させることができない場合に限り、有効ライン上に停止する。
【００９７】
また、遊技者は、左リール３２Ｌに「リプレイ」図柄が停止した場合、中リール３２Ｍと右リール３２Ｒを停止させる場合に「赤ベル」図柄又は「白ベル」図柄を狙って中ストップスイッチ４３と右ストップスイッチ４４を操作するものと想定される。かかる場合、当選役が報知されていない状況においては、４分の１の確率で特殊ベル入賞が成立し、４分の３の確率で移行出目が有効ライン上に停止することとなる。ちなみに、ＩＶ＝７の際に当選となった場合には、操作順序及び操作タイミングに関わらずベル入賞が成立する。
【００９８】
リール制御処理の説明に戻り、ステップＳ４１１にて停止情報第２設定処理を行った場合には、ステップＳ４１２にて後述する停止リール把握処理を行い、ステップＳ４０２に戻る。ステップＳ４１０にて全リール３２Ｌ，３２Ｍ，３２Ｒが停止していると判定した場合には、ステップＳ４１３にて払出判定処理を行う。払出判定処理とは、当選図柄の組合せが有効ライン上に並んでいることを条件の１つとしてメダルの払出枚数を設定する処理である。払出判定処理では、各リール３２Ｌ，３２Ｍ，３２Ｒの下段に停止した停止図柄の図柄番号から各有効ライン上に形成された図柄の組合せを導出し、有効ライン上で入賞が成立しているか否かを判定する。入賞が成立している場合には、さらに入賞成立役が当選フラグ格納エリア１０６ａにセットされている当選フラグと対応しているか否かを判定する。入賞成立役が当選フラグと対応している場合には、入賞成立役と、当該入賞成立役と対応する払出数と、をＲＡＭ１０６に設けられた払出情報格納エリアにセットする。一方、入賞成立役が当選フラグと対応していない場合には、スロットマシン１０をエラー状態とするとともにエラーの発生を報知する異常発生時処理を行う。かかるエラー状態は、リセットスイッチ７２が操作されるまで維持される。払出判定処理が終了した場合には、ステップＳ４１４にて今回のゲームにおける入賞成立役を表示制御装置８１に把握させるべく入賞結果コマンドをセットし、リール制御処理を終了する。
【００９９】
次に、ステップＳ２１１のメダル払出処理について、概略を説明する。
【０１００】
メダル払出処理では、払出情報格納エリアにセットされた払出数が０か否かを判定する。払出数が０の場合、先の払出判定処理にて小役入賞が成立していないと判定したことを意味する。かかる場合には、払出判定処理にてセットした入賞成立役に基づいて、第１再遊技入賞〜第１２再遊技入賞のいずれかが成立したか否かを判定する。いずれの再遊技入賞も成立していない場合にはそのままメダル払出処理を終了し、いずれかの再遊技入賞が成立している場合には、遊技状態を再遊技状態とする再遊技設定処理を行い、メダル払出処理を終了する。なお、先に説明した開始待ち処理Ｓ２０４では、現在の遊技状態が再遊技状態であると判定した場合に自動投入処理を行っている。
【０１０１】
一方、払出情報格納エリアにセットされた払出数が０でない場合には、当該払出数と同数のメダルを払い出し、メダル払出処理を終了する。メダルの払い出しについて具体的には、クレジットカウンタのカウント値が上限（貯留されているメダル数が５０枚）に達していない場合、クレジットカウンタのカウント値に払出数を加算するとともに加算後の値をクレジット表示部６０に表示させる。また、クレジットカウンタのカウント値が上限に達している場合、又は払出数の加算途中でカウント値が上限に達した場合には、メダル払出用回転板を駆動し、メダルをホッパ装置５１からメダル排出口４９を介してメダル受け皿５０へ払い出す。なお、メダル払出処理では、メダルの払い出しにあわせて払出枚数表示部６２に表示される払出数を変更する処理も行っている。また、現在の遊技状態がＢＢ状態である場合には、後述する残払出数カウンタの値から払出数を減算するとともに、残払出枚数表示部６１に表示される残払出数を減算する処理を行う。
【０１０２】
次に、ステップＳ２１２のＲＴ状態処理を図１７のフローチャートに基づいて説明する。
【０１０３】
ステップＳ５０１では、有効ライン上に移行出目が停止したか否かを判定する。移行出目が停止した場合には、ステップＳ５０２に進み、現在の遊技状態が通常遊技状態であるか否かを判定する。現在の遊技状態が通常遊技状態である場合には、ステップＳ５０３にてＲＡＭ１０６の状態情報格納エリア１０６ｃに第１ＲＴ設定フラグをセットし、本処理を終了する。また、ステップＳ５０２にて現在の遊技状態が通常遊技状態でないと判定した場合には、状態情報格納エリア１０６ｃに第１ＲＴ設定フラグ〜第５ＲＴ設定フラグのいずれかがセットされていることを意味する。かかる場合には、ステップＳ５０４にて状態情報格納エリア１０６ｃにセットされているＲＴ設定フラグをクリアするとともに、ステップＳ５０３にてＲＡＭ１０６の状態情報格納エリア１０６ｃに第１ＲＴ設定フラグをセットし、本処理を終了する。
【０１０４】
ステップＳ５０３にて第１ＲＴ設定フラグをセットした場合には、遊技状態が第１ＲＴ状態に移行する。そして、抽選処理のステップＳ３０２では、状態情報格納エリア１０６ｃに第１ＲＴ設定フラグがセットされていることに基づいて現在の遊技状態が第１ＲＴ状態であると判別し、第１ＲＴ状態用抽選テーブルを選択する。
【０１０５】
図１８は、「設定３」の第１ＲＴ状態で選択される第１ＲＴ状態用抽選テーブルである。第１ＲＴ状態用抽選テーブルには、２６個のインデックス値ＩＶが設定されている。ＩＶ＝１〜１９には、通常遊技状態用抽選テーブル（図１３参照）と同一の当選役及びポイント値ＰＶが設定されており、ＩＶ＝２０〜２６には、当選役として第１再遊技又は第１再遊技を含む複数の再遊技が設定されるとともにポイント値ＰＶが設定されている。そして、かかる抽選テーブルを用いて役の当否判定を行った場合、ＩＶ＝１〜１９の際に当選となる確率は通常遊技状態における各当選確率と等しく、ＩＶ＝２０の際に当選となる確率は約３６．９分の１、ＩＶ＝２１〜２６の際に当選となる確率はそれぞれ約５４．６分の１である。また、いずれの役にも当選しない外れの確率は約１．８０分の１である。
【０１０６】
ここで、図１３に示すように、通常遊技状態では、ＩＶ＝２０の際に当選となった場合、第６再遊技に当選となる。ＩＶ＝２０の当選確率は約７．３０分の１である。第１ＲＴ状態では、ＩＶ＝２０の際に当選となった場合、第１再遊技に当選となり、ＩＶ＝２１の際に当選となった場合、第１再遊技と第２再遊技に当選となり、ＩＶ＝２２の際に当選となった場合、第１再遊技，第２再遊技及び第１０再遊技に当選となり、ＩＶ＝２３の際に当選となった場合、第１再遊技，第２再遊技及び第１１再遊技に当選となり、ＩＶ＝２４の際に当選となった場合、第１再遊技，第２再遊技及び第１２再遊技に当選となり、ＩＶ＝２５の際に当選となった場合、第１再遊技，第２再遊技，第１０再遊技及び第１１再遊技に当選となり、ＩＶ＝２６の際に当選となった場合、第１再遊技，第２再遊技，第１０再遊技及び第１２再遊技に当選となる。ＩＶ＝２０〜２６のいずれかで当選となる確率は約７．３０分の１である。つまり、遊技状態が第１ＲＴ状態に移行した場合には、小役，再遊技，ＢＢの各役種について通常遊技状態と同一の確率で当選となる一方、再遊技の特典が付与される入賞態様が通常遊技状態と異なるものに変化する。より詳しくは、通常遊技状態では、遊技状態の移行しない第６再遊技入賞のみが成立し、第１ＲＴ状態では、第２ＲＴ状態に移行する第２再遊技入賞と、通常遊技状態に移行する第１再遊技入賞，第１０再遊技入賞，第１１再遊技入賞，第１２再遊技入賞と、が成立する。
【０１０７】
また、第１ＲＴ状態下における停止情報第２設定処理Ｓ４１１では、上述したＩＶ＝８〜１９の際に当選となった場合に加えてＩＶ＝２１〜２６の際に当選となった場合にも、停止指令を発生させたストップスイッチ４２〜４４の操作順序によって成立する入賞態様を変化させるべく停止情報を設定する。
【０１０８】
図１９は、第１ＲＴ状態下でＩＶ＝２０〜２６の際に当選となった場合にセットされる当選フラグと、ストップスイッチ４２〜４４の操作順序と成立する入賞態様との対応関係を示す説明図である。左リール３２Ｌには、「リプレイ」図柄と「チェリー」図柄が同種図柄同士の間隔が６図柄以下となるようにして配置されており、中リール３２Ｍには、「リプレイ」図柄と「青年」図柄が同種図柄同士の間隔が４図柄以下となるようにして配置されており、右リール３２Ｒには、「リプレイ」図柄と「スイカ」図柄が同種図柄同士の間隔が６図柄以下となるようにして配置されている。このため、第１再遊技入賞を成立させるべく停止情報を設定した場合には、ストップスイッチ４２〜４４の操作タイミングに関わらず、第１再遊技入賞成立となる「チェリー」図柄，「リプレイ」図柄，「リプレイ」図柄の組合せ又は「リプレイ」図柄，「青年」図柄，「スイカ」図柄の組合せが有効ライン上に停止する。同様に、第２再遊技入賞を成立させるべく停止情報を設定した場合には、ストップスイッチ４２〜４４の操作タイミングに関わらず、第２再遊技入賞成立となる「リプレイ」図柄，「リプレイ」図柄，「スイカ」図柄の組合せが有効ライン上に停止する。なお、第１０再遊技入賞，第１１再遊技入賞，第１２再遊技入賞については、所定のタイミングでストップスイッチ４２〜４４が操作された場合に限って成立する。当選フラグ「２２」〜当選フラグ「２７」には、６通りの操作順序のうち１通りの操作順序にのみ第２再遊技が対応付けられており、他の操作順序には第２再遊技以外の再遊技が対応付けられている。したがって、ストップスイッチ４２〜４４の操作順序が報知されていないゲームでは、当選フラグ「２２」〜当選フラグ「２７」のいずれかがセットされている場合、６分の１の確率で第２再遊技入賞が成立し、６分の５の確率で第２再遊技以外の再遊技入賞が成立する。
【０１０９】
ＲＴ状態処理の説明に戻り、ステップＳ５０１にて有効ライン上に移行出目が停止していないと判定した場合には、ステップＳ５０５に進み、先の払出判定処理にてセットした入賞成立役に基づいて、第１再遊技入賞，第１０再遊技入賞，第１１再遊技入賞，第１２再遊技入賞のいずれかが成立したか否かを判定する。いずれかの再遊技入賞が成立した場合には、ステップＳ５０６にて状態情報格納エリア１０６ｃにセットされているＲＴ設定フラグをクリアし、本処理を終了する。この結果、第１再遊技入賞，第１０再遊技入賞，第１１再遊技入賞，第１２再遊技入賞のいずれかが成立した場合には、遊技状態が通常遊技状態に移行することとなる。
【０１１０】
第１再遊技入賞，第１０再遊技入賞，第１１再遊技入賞，第１２再遊技入賞のいずれも成立していない場合には、ステップＳ５０７に進み、先の払出判定処理にてセットした入賞成立役に基づいて、第２再遊技入賞が成立したか否かを判定する。第２再遊技入賞が成立した場合には、ステップＳ５０８にてＲＡＭ１０６の状態情報格納エリア１０６ｃに第２ＲＴ設定フラグをセットし、本処理を終了する。
【０１１１】
ステップＳ５０８にて第２ＲＴ設定フラグをセットした場合には、遊技状態が第２ＲＴ状態に移行する。そして、抽選処理のステップＳ３０２では、状態情報格納エリア１０６ｃに第２ＲＴ設定フラグがセットされていることに基づいて現在の遊技状態が第２ＲＴ状態であると判別し、第２ＲＴ状態用抽選テーブルを選択する。
【０１１２】
図２０は、「設定３」の第２ＲＴ状態で選択される第２ＲＴ状態用抽選テーブルである。第２ＲＴ状態用抽選テーブルには、２５個のインデックス値ＩＶが設定されている。ＩＶ＝１〜１９には、通常遊技状態用抽選テーブル（図１３参照）と同一の当選役及びポイント値ＰＶが設定されており、ＩＶ＝２０〜２５には、当選役として第１再遊技と第３再遊技を含む複数の再遊技が設定されるとともにポイント値ＰＶが設定されている。そして、かかる抽選テーブルを用いて役の当否判定を行った場合、ＩＶ＝１〜１９の際に当選となる確率は通常遊技状態における各当選確率と等しく、ＩＶ＝２０〜２５の際に当選となる確率はそれぞれ約２４．０分の１である。また、いずれの役にも当選しない外れの確率は約２．３０分の１である。つまり、第２ＲＴ状態に移行した場合には、通常遊技状態と比して外れの確率が低くなり、遊技者に有利となる。そして、第２ＲＴ状態では、第３ＲＴ状態に移行する第３再遊技入賞と、通常遊技状態に移行する第１再遊技入賞，第１０再遊技入賞，第１１再遊技入賞，第１２再遊技入賞と、が成立する。
【０１１３】
第２ＲＴ状態下における停止情報第２設定処理Ｓ４１１では、上述したＩＶ＝８〜１９の際に当選となった場合に加えてＩＶ＝２０〜２５の際に当選となった場合にも、停止指令を発生させたストップスイッチ４２〜４４の操作順序によって成立する入賞態様を変化させるべく停止情報を設定する。
【０１１４】
図２１は、第２ＲＴ状態下でＩＶ＝２０〜２５の際に当選となった場合にセットされる当選フラグと、ストップスイッチ４２〜４４の操作順序と成立する入賞態様との対応関係を示す説明図である。左リール３２Ｌと右リール３２Ｒには、「リプレイ」図柄が同種図柄同士の間隔が６図柄以下となるようにして配置されており、中リール３２Ｍには、「青年」図柄が同種図柄同士の間隔が４図柄以下となるようにして配置されている。このため、第３再遊技入賞を成立させるべく停止情報を設定した場合には、ストップスイッチ４２〜４４の操作タイミングに関わらず、第３再遊技入賞成立となる「リプレイ」図柄，「青年」図柄，「リプレイ」図柄の組合せが有効ライン上に停止する。第１再遊技入賞，第１０再遊技入賞，第１１再遊技入賞，第１２再遊技入賞については、上述したとおりである。当選フラグ「２８」〜当選フラグ「３３」には、６通りの操作順序のうち１通りの操作順序にのみ第３再遊技が対応付けられており、他の操作順序には第３再遊技以外の再遊技が対応付けられている。したがって、ストップスイッチ４２〜４４の操作順序が報知されていないゲームでは、当選フラグ「２８」〜当選フラグ「３３」のいずれかがセットされている場合、６分の１の確率で第３再遊技入賞が成立し、６分の５の確率で第３再遊技以外の再遊技入賞が成立する。
【０１１５】
ＲＴ状態処理の説明に戻り、第２再遊技入賞が成立していない場合には、ステップＳ５０９に進み、先の払出判定処理にてセットした入賞成立役に基づいて、第３再遊技入賞が成立したか否かを判定する。第３再遊技入賞が成立した場合には、ステップＳ５１０にてＲＡＭ１０６の状態情報格納エリア１０６ｃに第３ＲＴ設定フラグをセットし、本処理を終了する。
【０１１６】
ステップＳ５１０にて第３ＲＴ設定フラグをセットした場合には、遊技状態が第３ＲＴ状態に移行する。そして、抽選処理のステップＳ３０２では、状態情報格納エリア１０６ｃに第３ＲＴ設定フラグがセットされていることに基づいて現在の遊技状態が第３ＲＴ状態であると判別し、第３ＲＴ状態用抽選テーブルを選択する。
【０１１７】
図２２は、「設定３」の第３ＲＴ状態で選択される第３ＲＴ状態用抽選テーブルである。第３ＲＴ状態用抽選テーブルには、２５個のインデックス値ＩＶが設定されている。ＩＶ＝１〜１９には、通常遊技状態用抽選テーブル（図１３参照）と同一の当選役及びポイント値ＰＶが設定されており、ＩＶ＝２０〜２５には、当選役として第１再遊技と第４再遊技を含む複数の再遊技が設定されるとともにポイント値ＰＶが設定されている。そして、かかる抽選テーブルを用いて役の当否判定を行った場合、ＩＶ＝１〜１９の際に当選となる確率は通常遊技状態における各当選確率と等しく、ＩＶ＝２０〜２５の際に当選となる確率はそれぞれ約８．８０分の１である。また、いずれの役にも当選しない外れの確率は約４２３分の１である。つまり、第３ＲＴ状態に移行した場合には、通常遊技状態と比して外れの確率が低くなり、遊技者に有利となる。そして、第３ＲＴ状態では、第４ＲＴ状態に移行する第４再遊技入賞と、通常遊技状態に移行する第１再遊技入賞，第１０再遊技入賞，第１１再遊技入賞，第１２再遊技入賞と、が成立する。
【０１１８】
第３ＲＴ状態下における停止情報第２設定処理Ｓ４１１では、上述したＩＶ＝８〜１９の際に当選となった場合に加えてＩＶ＝２０〜２５の際に当選となった場合にも、停止指令を発生させたストップスイッチ４２〜４４の操作順序によって成立する入賞態様を変化させるべく停止情報を設定する。
【０１１９】
図２３は、第３ＲＴ状態下でＩＶ＝２０〜２５の際に当選となった場合にセットされる当選フラグと、ストップスイッチ４２〜４４の操作順序と成立する入賞態様との対応関係を示す説明図である。左リール３２Ｌの「チェリー」図柄と右リール３２Ｒの「スイカ」図柄は、同種図柄同士の間隔が６図柄以下となるようにして配置されており、中リール３２Ｍの「リプレイ」図柄は、同種図柄同士の間隔が４図柄以下となるようにして配置されている。このため、第４再遊技入賞を成立させるべく停止情報を設定した場合には、ストップスイッチ４２〜４４の操作タイミングに関わらず、第４再遊技入賞成立となる「チェリー」図柄，「リプレイ」図柄，「スイカ」図柄の組合せが有効ライン上に停止する。第１再遊技入賞，第１０再遊技入賞，第１１再遊技入賞，第１２再遊技入賞については、上述したとおりである。当選フラグ「３４」〜当選フラグ「３９」には、６通りの操作順序のうち１通りの操作順序にのみ第４再遊技が対応付けられており、他の操作順序には第４再遊技以外の再遊技が対応付けられている。したがって、ストップスイッチ４２〜４４の操作順序が報知されていないゲームでは、当選フラグ「３４」〜当選フラグ「３９」のいずれかがセットされている場合、６分の１の確率で第４再遊技入賞が成立し、６分の５の確率で第４再遊技以外の再遊技入賞が成立する。
【０１２０】
ＲＴ状態処理の説明に戻り、第３再遊技入賞が成立していない場合には、ステップＳ５１１に進み、先の払出判定処理にてセットした入賞成立役に基づいて、第４再遊技入賞が成立したか否かを判定する。第４再遊技入賞が成立した場合には、ステップＳ５１２にてＲＡＭ１０６の状態情報格納エリア１０６ｃに第４ＲＴ設定フラグをセットし、本処理を終了する。
【０１２１】
ステップＳ５１２にて第４ＲＴ設定フラグをセットした場合には、遊技状態が第４ＲＴ状態に移行する。そして、抽選処理のステップＳ３０２では、状態情報格納エリア１０６ｃに第４ＲＴ設定フラグがセットされていることに基づいて現在の遊技状態が第４ＲＴ状態であると判別し、第４ＲＴ状態用抽選テーブルを選択する。
【０１２２】
図２４は、「設定３」の第４ＲＴ状態で選択される第４ＲＴ状態用抽選テーブルである。第４ＲＴ状態用抽選テーブルには、２５個のインデックス値ＩＶが設定されている。ＩＶ＝１〜１９には、通常遊技状態用抽選テーブル（図１３参照）と同一の当選役及びポイント値ＰＶが設定されており、ＩＶ＝２０〜２５には、当選役として第１再遊技と第５再遊技を含む複数の再遊技が設定されるとともにポイント値ＰＶが設定されている。そして、かかる抽選テーブルを用いて役の当否判定を行った場合、ＩＶ＝１〜１９の際に当選となる確率は通常遊技状態における各当選確率と等しく、ＩＶ＝２０〜２５の際に当選となる確率はそれぞれ約８．８０分の１である。また、いずれの役にも当選しない外れの確率は約４２３分の１である。つまり、第４ＲＴ状態に移行した場合には、通常遊技状態と比して外れの確率が低くなり、遊技者に有利となる。そして、第４ＲＴ状態では、第５ＲＴ状態に移行する第５再遊技入賞と、通常遊技状態に移行する第１再遊技入賞，第１０再遊技入賞，第１１再遊技入賞，第１２再遊技入賞と、が成立する。
【０１２３】
第４ＲＴ状態下における停止情報第２設定処理Ｓ４１１では、上述したＩＶ＝８〜１９の際に当選となった場合に加えてＩＶ＝２０〜２５の際に当選となった場合にも、停止指令を発生させたストップスイッチ４２〜４４の操作順序によって成立する入賞態様を変化させるべく停止情報を設定する。
【０１２４】
図２５は、第４ＲＴ状態下でＩＶ＝２０〜２５の際に当選となった場合にセットされる当選フラグと、成立する入賞態様との対応関係を示す説明図である。左リール３２Ｌの「チェリー」図柄と右リール３２Ｒの「スイカ」図柄は、同種図柄同士の間隔が６図柄以下となるようにして配置されており、中リール３２Ｍの「青年」図柄は、同種図柄同士の間隔が４図柄以下となるようにして配置されている。このため、第５再遊技入賞を成立させるべく停止情報を設定した場合には、ストップスイッチ４２〜４４の操作タイミングに関わらず、第５再遊技入賞成立となる「チェリー」図柄，「青年」図柄，「スイカ」図柄の組合せが有効ライン上に停止する。第１再遊技入賞，第１０再遊技入賞，第１１再遊技入賞，第１２再遊技入賞については、上述したとおりである。当選フラグ「４０」〜当選フラグ「４５」には、６通りの操作順序のうち１通りの操作順序にのみ第５再遊技が対応付けられており、他の操作順序には第５再遊技以外の再遊技が対応付けられている。したがって、ストップスイッチ４２〜４４の操作順序が報知されていないゲームでは、当選フラグ「４０」〜当選フラグ「４５」のいずれかがセットされている場合、６分の１の確率で第５再遊技入賞が成立し、６分の５の確率で第５再遊技以外の再遊技入賞が成立する。
【０１２５】
ＲＴ状態処理の説明に戻り、第４再遊技入賞が成立していない場合には、ステップＳ５１３に進み、先の払出判定処理にてセットした入賞成立役に基づいて、第５再遊技入賞が成立したか否かを判定する。第５再遊技入賞が成立していない場合には、そのまま本処理を終了し、第５再遊技入賞が成立した場合には、ステップＳ５１４にてＲＡＭ１０６の状態情報格納エリア１０６ｃに第５ＲＴ設定フラグをセットし、本処理を終了する。
【０１２６】
ステップＳ５１４にて第５ＲＴ設定フラグをセットした場合には、遊技状態が第５ＲＴ状態に移行する。そして、抽選処理のステップＳ３０２では、状態情報格納エリア１０６ｃに第５ＲＴ設定フラグがセットされていることに基づいて現在の遊技状態が第５ＲＴ状態であると判別し、第５ＲＴ状態用抽選テーブルを選択する。
【０１２７】
図２６は、「設定３」の第５ＲＴ状態で選択される第５ＲＴ状態用抽選テーブルである。第５ＲＴ状態用抽選テーブルには、２９個のインデックス値ＩＶが設定されている。ＩＶ＝１〜１９には、通常遊技状態用抽選テーブル（図１３参照）と同一の当選役及びポイント値ＰＶが設定されており、ＩＶ＝２０〜２９には、当選役として第６再遊技又は第６再遊技を含む複数の再遊技が設定されるとともにポイント値ＰＶが設定されている。そして、かかる抽選テーブルを用いて役の当否判定を行った場合、ＩＶ＝１〜１９の際に当選となる確率は通常遊技状態における各当選確率と等しく、ＩＶ＝２０の際に当選となる確率は約３．４０分の１、ＩＶ＝２１の際に当選となる確率は約５１．８分の１、ＩＶ＝２２の際に当選となる確率は約６５５分の１、ＩＶ＝２３の際に当選となる確率は約６５５０分の１、ＩＶ＝２４〜２９の際に当選となる確率はそれぞれ約１６．４分の１である。また、いずれの役にも当選しない外れの確率は約４１７分の１である。つまり、第５ＲＴ状態に移行した場合には、通常遊技状態と比して外れの確率が低くなり、遊技者に有利となる。そして、第５ＲＴ状態では、遊技状態が移行しない第６再遊技入賞，第７再遊技入賞，第８再遊技入賞，第９再遊技入賞と、通常遊技状態に移行する第１再遊技入賞，第１０再遊技入賞，第１１再遊技入賞，第１２再遊技入賞と、が成立する。
【０１２８】
第５ＲＴ状態下における停止情報第２設定処理Ｓ４１１では、上述したＩＶ＝８〜１９の際に当選となった場合に加えてＩＶ＝２１〜２９の際に当選となった場合にも、停止指令を発生させたストップスイッチ４２〜４４の操作順序によって成立する入賞態様を変化させるべく停止情報を設定する。
【０１２９】
図２７は、第５ＲＴ状態下でＩＶ＝２０〜２９の際に当選となった場合にセットされる当選フラグと、成立する入賞態様との対応関係を示す説明図である。左リール３２Ｌ及び右リール３２Ｒには、同種図柄同士の間隔が６図柄以下となるようにして「リプレイ」図柄が配置されており、中リール３２Ｍには、同種図柄同士の間隔が４図柄以下となるようにして「リプレイ」図柄が配置されている。このため、第６再遊技入賞を成立させるべく停止情報を設定した場合には、ストップスイッチ４２〜４４の操作タイミングに関わらず、第６再遊技入賞成立となる「リプレイ」図柄，「リプレイ」図柄，「リプレイ」図柄の組合せが有効ライン上に停止する。また、各リール３２Ｌ，３２Ｍ，３２Ｒには、「赤７」図柄が上記各図柄間隔より離れた区間が形成されるようにして配置されている。このため、第６再遊技入賞成立となる「赤７」図柄，「リプレイ」図柄，「リプレイ」図柄の組合せや第７再遊技入賞，第８再遊技入賞，第９再遊技入賞については、各ストップスイッチ４２〜４４が所定のタイミングで操作された場合に限って成立する。第１再遊技入賞，第１０再遊技入賞，第１１再遊技入賞，第１２再遊技入賞については、上述したとおりである。当選フラグ「５０」〜当選フラグ「５５」には、６通りの操作順序のうち１通りの操作順序にのみ第６再遊技が対応付けられており、他の操作順序には第６再遊技以外の再遊技が対応付けられている。したがって、ストップスイッチ４２〜４４の操作順序が報知されていないゲームでは、当選フラグ「４０」〜当選フラグ「４５」のいずれかがセットされている場合、６分の１の確率で第６再遊技入賞が成立し、６分の５の確率で第６再遊技以外の再遊技入賞が成立する。
【０１３０】
ここで、通常遊技状態及び各ＲＴ状態に関する遊技状態の移行について、図２８を用いて説明する。
【０１３１】
遊技状態が通常遊技状態である場合、移行出目が有効ライン上に停止することによって遊技状態が第１ＲＴ状態に移行する。移行出目は、第１特殊ベル入賞〜第４特殊ベル入賞のいずれかを成立させるべく停止情報が設定されるとともに、対応する特殊ベル入賞を成立させることができない場合に有効ライン上に停止する。つまり、移行出目は、ＩＶ＝１２〜１９の際に当選となり、左ストップスイッチ４２を最初に操作するとともに特殊ベル入賞が成立しなかった場合に有効ライン上に停止する。ＩＶ＝１２〜１９のいずれかで当選となる確率は約３．９０分の１である。また、ストップスイッチ４２〜４４の操作順序が報知されていない状況において遊技者が「赤ベル」図柄と「白ベル」図柄の一方を狙って中ストップスイッチ４３及び右ストップスイッチ４４を操作した場合には、４分の１の確率で第１特殊ベル入賞〜第４特殊ベル入賞が成立し、４分の３の確率で移行出目が有効ライン上に停止する。したがって、遊技状態が通常遊技状態であってストップスイッチ４２〜４４の操作順序が報知されていない場合には、約５．２０分の１の確率で第１ＲＴ状態に移行する。なお、通常遊技状態では第２再遊技、第３再遊技，第４再遊技及び第５再遊技に関して役の当否判定が行われないため、通常遊技状態から第２ＲＴ状態，第３ＲＴ状態，第４ＲＴ状態，第５ＲＴ状態に移行する事象は発生しない。
【０１３２】
遊技状態が第１ＲＴ状態である場合、第２再遊技入賞が成立することによって遊技状態が第２ＲＴ状態に移行し、第１再遊技入賞，第１０再遊技入賞，第１１再遊技入賞，第１２再遊技入賞（以下、これら４つの再遊技入賞を総称して「転落再遊技入賞」という。）が成立することによって遊技状態が通常遊技状態に移行する。上述したとおり、ＩＶ＝２１〜２６の際に当選となった場合には、６通りの操作順序のうち１通りの操作順序において第２再遊技入賞を成立させるべく停止情報が設定され、他の操作順序において転落再遊技入賞を成立させるべく停止情報が設定される。ＩＶ＝２１〜２６のいずれかで当選となる確率は約９．１０分の１である。また、ＩＶ＝２０の際に当選となった場合には、ストップスイッチ４２〜４４の操作順序に関わらず転落再遊技入賞が成立する。ＩＶ＝２０の際に当選となる確率は約３６．９分の１である。したがって、遊技状態が第１ＲＴ状態であってストップスイッチ４２〜４４の操作順序が報知されていない場合には、約５４．６分の１の確率で第２ＲＴ状態に移行し、約８．４８分の１の確率で通常遊技状態に移行する。つまり、第１ＲＴ状態では、第２ＲＴ状態に移行する確率よりも通常遊技状態に移行する確率の方が高い。なお、第１ＲＴ状態では第３再遊技，第４再遊技及び第５再遊技に関して役の当否判定が行われないため、第１ＲＴ状態から第２ＲＴ状態，第３ＲＴ状態，第４ＲＴ状態，第５ＲＴ状態に移行する事象は発生しない。
【０１３３】
遊技状態が第２ＲＴ状態である場合、第３再遊技入賞が成立することによって遊技状態が第３ＲＴ状態に移行し、移行出目が有効ライン上に停止することによって第１ＲＴ状態に移行し、転落再遊技入賞が成立することによって遊技状態が通常遊技状態に移行する。上述したとおり、ＩＶ＝２０〜２５の際に当選となった場合には、６通りの操作順序のうち１通りの操作順序において第３再遊技入賞を成立させるべく停止情報が設定され、他の操作順序において転落再遊技入賞を成立させるべく停止情報が設定される。ＩＶ＝２０〜２５のいずれかで当選となる確率は約４．００分の１である。また、移行出目が有効ライン上に停止する確率は約５．２０分の１である。したがって、遊技状態が第２ＲＴ状態であってストップスイッチ４２〜４４の操作順序が報知されていない場合には、約２４．０分の１の確率で第３ＲＴ状態に移行し、約５．２０分の１の確率で第１ＲＴ状態に移行し、約４．８０分の１の確率で通常遊技状態に移行する。つまり、第２ＲＴ状態では、第３ＲＴ状態に移行する確率よりも第１ＲＴ状態や通常遊技状態に移行する確率の方が高い。なお、第２ＲＴ状態では第４再遊技及び第５再遊技に関して役の当否判定が行われないため、第２ＲＴ状態から第４ＲＴ状態や第５ＲＴ状態に移行する事象は発生しない。
【０１３４】
遊技状態が第３ＲＴ状態である場合、第４再遊技入賞が成立することによって遊技状態が第４ＲＴ状態に移行し、移行出目が有効ライン上に停止することによって第１ＲＴ状態に移行し、転落再遊技入賞が成立することによって遊技状態が通常遊技状態に移行する。上述したとおり、ＩＶ＝２０〜２５の際に当選となった場合には、６通りの操作順序のうち１通りの操作順序において第４再遊技入賞を成立させるべく停止情報が設定され、他の操作順序において転落再遊技入賞を成立させるべく停止情報が設定される。ＩＶ＝２０〜２５のいずれかで当選となる確率は約１．４７分の１である。また、移行出目が有効ライン上に停止する確率は約５．２０分の１である。したがって、遊技状態が第３ＲＴ状態であってストップスイッチ４２〜４４の操作順序が報知されていない場合には、約８．８２分の１の確率で第４ＲＴ状態に移行し、約５．２０分の１の確率で第１ＲＴ状態に移行し、約１．７７分の１の確率で通常遊技状態に移行する。つまり、第３ＲＴ状態では、第４ＲＴ状態に移行する確率よりも第１ＲＴ状態や通常遊技状態に移行する確率の方が高い。なお、第３ＲＴ状態では第５再遊技に関して役の当否判定が行われないため、第３ＲＴ状態から第５ＲＴ状態に移行する事象は発生しない。
【０１３５】
遊技状態が第４ＲＴ状態である場合、第５再遊技入賞が成立することによって遊技状態が第５ＲＴ状態に移行し、移行出目が有効ライン上に停止することによって第１ＲＴ状態に移行し、転落再遊技入賞が成立することによって遊技状態が通常遊技状態に移行する。上述したとおり、ＩＶ＝２０〜２５の際に当選となった場合には、６通りの操作順序のうち１通りの操作順序において第５再遊技入賞を成立させるべく停止情報が設定され、他の操作順序において転落再遊技入賞を成立させるべく停止情報が設定される。ＩＶ＝２０〜２５のいずれかで当選となる確率は約１．４７分の１である。また、移行出目が有効ライン上に停止する確率は約５．２０分の１である。したがって、遊技状態が第４ＲＴ状態であってストップスイッチ４２〜４４の操作順序が報知されていない場合には、約８．８２分の１の確率で第５ＲＴ状態に移行し、約５．２０分の１の確率で第１ＲＴ状態に移行し、約１．７７分の１の確率で通常遊技状態に移行する。つまり、第４ＲＴ状態では、第５ＲＴ状態に移行する確率よりも第１ＲＴ状態や通常遊技状態に移行する確率の方が高い。
【０１３６】
遊技状態が第５ＲＴ状態である場合、移行出目が有効ライン上に停止することによって第１ＲＴ状態に移行し、転落再遊技入賞が成立することによって遊技状態が通常遊技状態に移行する。上述したとおり、ＩＶ＝２４〜２９の際に当選となった場合には、６通りの操作順序のうち１通りの操作順序において第６再遊技入賞を成立させるべく停止情報が設定され、他の操作順序において転落再遊技入賞を成立させるべく停止情報が設定される。ＩＶ＝２４〜２９のいずれかで当選となる確率は約２．７３分の１である。また、移行出目が有効ライン上に停止する確率は約５．２０分の１である。したがって、遊技状態が第５ＲＴ状態であってストップスイッチ４２〜４４の操作順序が報知されていない場合には、約５．２０分の１の確率で第１ＲＴ状態に移行し、約３．２８分の１の確率で通常遊技状態に移行する。
【０１３７】
このように、遊技状態を通常遊技状態から第５ＲＴ状態に移行させるためには、第１ＲＴ状態〜第４ＲＴ状態の４つのＲＴ状態を経由する必要がある。また、第２ＲＴ状態〜第４ＲＴ状態において転落再遊技入賞が成立した場合には、先のＲＴ状態（すなわち１つ前に滞在していたＲＴ状態）に移行するのではなく通常遊技状態に移行し、移行出目が有効ライン上に停止した場合には、先のＲＴ状態（すなわち１つ前に滞在していたＲＴ状態）に移行するのではなく第１ＲＴ状態に移行する。このため、ストップスイッチ４２〜４４の操作順序が報知されていない場合には、第５ＲＴ状態に移行させることが困難なものとなっている。ちなみに、ストップスイッチ４２〜４４の操作順序が報知されていない状況で通常遊技状態から第５ＲＴ状態に移行する確率は、約５００００分の１である。
【０１３８】
次に、ステップＳ２１３のＢＢ状態処理を図２９のフローチャートに基づいて説明する。
【０１３９】
先ずステップＳ６０１では、現在の遊技状態がＢＢ状態か否かを判定する。ＢＢ状態でない場合には、ステップＳ６０２〜ステップＳ６０５に示すＢＢ判定処理を行う。
【０１４０】
ＢＢ判定処理では、ステップＳ６０２にて第１ＢＢ当選フラグ又は第２ＢＢ当選フラグがセットされているか否かを判定する。いずれかのＢＢ当選フラグがセットされている場合には、ステップＳ６０３に進み、先の払出判定処理にてセットした入賞成立役に基づいて、第１ＢＢ入賞又は第２ＢＢ入賞が成立したか否かを判定する。そして、いずれかのＢＢ入賞が成立した場合には、ステップＳ６０４にてＲＡＭ１０６の状態情報格納エリア１０６ｃにＢＢ設定フラグがセットする。またこのとき、ＲＡＭ１０６の当選フラグ格納エリア１０６ａにセットされているＢＢ当選フラグをクリアする。ステップＳ６０５では、状態情報格納エリア１０６ｃに設けられたＢＢ状態中に払出可能な残りのメダル数をカウントするための残払出数カウンタに４４２をセットし、残払出枚数表示部６１に４４２を表示させる処理を行う。ステップＳ６０４及びステップＳ６０５の処理を行うことにより、遊技状態がＢＢ状態に移行する。そして、抽選処理のステップＳ３０２では、状態情報格納エリア１０６ｃにＢＢ設定フラグがセットされていることに基づいて現在の遊技状態がＢＢ状態であると判別し、ＢＢ状態用抽選テーブルを選択する。
【０１４１】
遊技状態がＢＢ状態に移行した場合には、ステップＳ６０１にて肯定判定をし、ステップＳ６０６にて終了判定処理を行う。終了判定処理では、例えば残払出数カウンタの値が０となったか否かを判定し、０となった場合にＢＢ設定フラグをクリアして遊技状態を通常遊技状態とする処理を行う。
【０１４２】
いずれのＢＢ当選フラグもセットされていない場合（ステップＳ６０２がＮＯの場合）と、いずれのＢＢ入賞も成立していない場合（ステップＳ６０３がＮＯの場合）と、ステップＳ６０５にて残払出数カウンタに４４２をセットした場合と、ステップＳ６０６にて終了判定処理を行った場合と、には、ステップＳ６０７に進み、状態コマンドをセットする。ここで、状態コマンドとは、ゲーム終了時点での遊技状態（すなわち次回のゲームの遊技状態）を把握させるべく表示制御装置８１に対して送信されるコマンドであり、ステップＳ６０７では、状態情報格納エリア１０６ｃにセットされている設定フラグと対応する状態コマンドをセットする。
【０１４３】
状態コマンドをセットした後、ステップＳ６０８〜ステップＳ６１４では、ホール管理装置等に大当たりが発生したことを示す大当たり信号を出力する信号出力処理を行う。具体的には、先ずステップＳ６０８にて外部集中端子板１２１からホール管理装置等に大当たり信号を出力しているか否かを判定する。大当たり信号を出力していない場合には、ステップＳ６０９に進み、現在の遊技状態がＢＢ状態であるか否かを判定する。ＢＢ状態でない場合には、さらにステップＳ６１０にて現在の遊技状態が第５ＲＴ状態であるか否かを判定する。現在の遊技状態がＢＢ状態と第５ＲＴ状態のいずれでもない場合には、そのまま本処理を終了し、現在の遊技状態がＢＢ状態又は第５ＲＴ状態である場合には、ステップＳ６１１にて外部集中端子板１２１から大当たり信号の出力を開始する出力開始処理を行い、本処理を終了する。
【０１４４】
このように、本スロットマシン１０では、遊技状態がＢＢ状態に移行した場合と、第５ＲＴ状態に移行した場合と、に大当たり信号を出力する。このため、スロットマシン１０と当該スロットマシン１０の大当たり回数を表示する大当たりカウンタとを接続して設置する遊技場等においては、ＢＢ状態に移行した場合に加えて、第５ＲＴ状態に移行した場合にも大当たりカウンタに表示することができる。なお、ＢＢ状態に移行した場合の大当たり信号と、第５ＲＴ状態に移行した場合の大当たり信号と、を外部集中端子板１２１の異なる出力部から出力する構成としても良い。かかる構成とした場合には、大当たりカウンタにおいて、ＢＢ状態に移行した回数と、第５ＲＴ状態に移行した回数と、を別個に表示することが可能となる。
【０１４５】
ステップＳ６０８にて大当たり信号を出力していると判定した場合には、ステップＳ６１２に進み、現在の遊技状態がＢＢ状態であるか否かを判定する。ＢＢ状態でない場合には、さらにステップＳ６１３にて現在の遊技状態が第５ＲＴ状態であるか否かを判定する。現在の遊技状態がＢＢ状態又は第５ＲＴ状態である場合には、そのまま本処理を終了する。一方、現在の遊技状態がＢＢ状態とＲＴ状態のいずれでもない場合には、ＢＢ状態又は第５ＲＴ状態が終了したことを意味するため、ステップＳ６１４にて大当たり信号の出力を停止する出力停止処理を行い、本処理を終了する。
【０１４６】
本スロットマシン１０では、表示制御装置８１がストップスイッチ４２〜４４の操作順序を報知したりしなかったりすることにより、遊技状態が通常遊技状態から第５ＲＴ状態に移行しやすい状況となったり、遊技状態が通常遊技状態から第５ＲＴ状態に移行し難い状況となったりする。つまり、本スロットマシン１０では、ストップスイッチ４２〜４４の操作順序が報知されるか否かにより、通常遊技状態から第５ＲＴ状態に移行する移行確率が変化する。そこで以下では、表示制御装置８１が行う各種処理について、図３０〜図３５，図３７のフローチャートを参照しながら説明する。
【０１４７】
状態コマンド処理を図３０のフローチャートに基づいて説明する。
【０１４８】
ステップＳ７０１では、主制御装置１０１から状態コマンドを受信したか否かを判定し、受信していない場合にはそのまま本処理を終了する。状態コマンドを受信した場合には、ステップＳ７０２に進み、状態コマンドの示す遊技状態を表示制御装置８１のＲＡＭに記憶する。ステップＳ７０３では、今回のゲームがＢＢ状態の終了したゲームであるか否かを判定する。具体的には、先のゲームでＢＢ状態であることを示す状態コマンドを受信し、今回のゲームで通常遊技状態であることを示す状態コマンドを受信したか否かを判定する。今回のゲームがＢＢ状態の終了したゲームである場合には、ステップＳ７０４に進み、待機ゲーム数抽選処理を行う。待機ゲーム数抽選処理では、表示制御装置８１が取得する乱数に基づいて、１〜１２８０のいずれかの値を取得する。ステップＳ７０５では、待機ゲーム数抽選処理にて取得した値を、表示制御装置８１のＲＡＭに設けられた待機ゲーム数カウンタにセットする。その後、本処理を終了する。
【０１４９】
ステップＳ７０３にて今回のゲームがＢＢ状態の終了したゲームでないと判定した場合には、ステップＳ７０６に進み、罰則フラグがセットされているか否かを判定する。罰則フラグがセットされている場合には、ステップＳ７０７〜ステップＳ７０９に示す罰則ゲーム数減算処理を行った後に本処理を終了する。また、罰則フラグがセットされていない場合には、ステップＳ７１０〜ステップＳ７１３に示す待機ゲーム数減算処理を行った後に本処理を終了する。罰則ゲーム数減算処理については後述することとし、待機ゲーム数減算処理について説明する。
【０１５０】
待機ゲーム数減算処理では、ステップＳ７１０にて待機ゲーム数カウンタの値が０であるか否かを判定する。待機ゲーム数カウンタの値が０である場合には、そのまま本処理を終了し、待機ゲーム数カウンタの値が０でない場合には、ステップＳ７１１にて待機ゲーム数カウンタの値を１減算する。続くステップＳ７１２では、減算後の待機ゲーム数カウンタの値が０であるか否かを判定する。待機ゲーム数カウンタの値が０でない場合には、そのまま本処理を終了し、待機ゲーム数カウンタの値が０である場合には、ステップＳ７１３にてストップスイッチ４２〜４４の操作順序を報知するための報知フラグをセットし、本処理を終了する。
【０１５１】
このように、表示制御装置８１は、ＢＢ状態が終了した場合、１〜１２８０のいずれかの値を待機ゲーム数としてセットする。そして、罰則フラグがセットされていない場合には、状態コマンドを受信する毎に（すなわち１回のゲームが終了する毎に）待機ゲーム数を１減算し、待機ゲーム数が０となった場合に報知フラグをセットする。
【０１５２】
次に、抽選結果コマンド処理を、図３１のフローチャートに基づいて説明する。
【０１５３】
ステップＳ８０１では、主制御装置１０１から抽選結果コマンドを受信したか否かを判定し、受信していない場合にはそのまま本処理を終了する。抽選結果コマンドを受信した場合には、ステップＳ８０２に進み、何らかの役に当選しているか否かを判定する。いずれの役にも当選していない場合には、そのまま本処理を終了し、いずれかの役に当選している場合には、ステップＳ８０３にて罰則フラグがセットされているか否かを判定する。罰則フラグがセットされていない場合には、ステップＳ８０４に進み、報知フラグがセットされているか否かを判定する。
【０１５４】
報知フラグがセットされている場合には、ステップＳ８０５及びステップＳ８０６にてベル又は転落再遊技に当選しているか否かを判定する。ベル又は転落再遊技に当選している場合には、ステップＳ８０７に進み、現在の遊技状態が通常遊技状態であるか否かを判定する。現在の遊技状態が通常遊技状態でない場合すなわち第１ＲＴ状態〜第５ＲＴ状態のいずれかである場合には、ステップＳ８０８に進み、ストップスイッチ４２〜４４の操作順序を報知すべく補助表示部６５の駆動制御を開始し、本処理を終了する。このとき、ステップＳ８０５にてベルに当選していると判定した場合には、ベル入賞を成立させることができるストップスイッチ４２〜４４の操作順序を報知し、ステップＳ８０６にて転落再遊技に当選していると判定した場合には、転落再遊技入賞ではなく第２再遊技入賞〜第６再遊技入賞のいずれかを成立させることができるストップスイッチ４２〜４４の操作順序を報知する。一方、現在の遊技状態が通常遊技状態である場合には、ストップスイッチ４２〜４４の操作順序を報知することなくそのまま本処理を終了する。これは以下の理由による。すなわち、通常遊技状態から第１ＲＴ状態に移行させるためには、有効ライン上に移行出目が停止するようストップスイッチ４２〜４４が操作される必要がある。移行出目は特殊ベル入賞を成立させることができない場合に有効ライン上に停止するものであるため、ベル入賞を成立させることができるストップスイッチ４２〜４４の操作順序を報知した場合には、遊技状態を通常遊技状態から第１ＲＴ状態に移行させることができないからである。
【０１５５】
ステップＳ８０４にて報知フラグがセットされていないと判定した場合、又はステップＳ８０６にて転落再遊技に当選していないと判定した場合には、ステップＳ８０９に進み、特定役に当選しているか否かを判定する。具体的には、チェリー，第１スイカ，第２スイカ，第７再遊技，第９再遊技のいずれかに当選しているか否かを判定する。特定役に当選していない場合には、そのまま本処理を終了し、特定役に当選している場合には、ステップＳ８１０にて報知抽選処理を行う。
【０１５６】
報知抽選処理では、図３２のフローチャートに示すように、ステップＳ９０１にて現在の遊技状態が第５ＲＴ状態であるか否かを判定する。現在の遊技状態が第５ＲＴ状態でない場合には、ステップＳ９０２に進み、表示制御装置８１が取得する乱数に基づいて報知抽選を行う。ステップＳ９０３では報知抽選に当選したか否かを判定し、当選していない場合にはそのまま本処理を終了する。一方、報知抽選に当選した場合には、ステップＳ９０４にて待機ゲーム数カウンタの値を０とするとともに、ステップＳ９０５にて報知フラグをセットし、本処理を終了する。また、ステップＳ９０１にて現在の遊技状態が第５ＲＴ状態であると判定した場合には、ステップＳ９０６にて表示制御装置８１のＲＡＭに設けられた蓄積カウンタの値に１を加算し、本処理を終了する。
【０１５７】
次に、入賞結果コマンド処理を、図３３のフローチャートに基づいて説明する。
【０１５８】
ステップＳ１００１では、主制御装置１０１から入賞結果コマンドを受信したか否かを判定し、受信していない場合にはそのまま本処理を終了する。入賞結果コマンドを受信した場合には、ステップＳ１００２に進み、第５再遊技入賞が成立したか否かを判定する。第５再遊技入賞が成立した場合には、ステップＳ１００３にて報知フラグがセットされているか否かを判定する。報知フラグがセットされていない場合には、ステップＳ１００４にて報知フラグをセットした後にステップＳ１００５に進み、報知フラグがセットされている場合には、そのままステップＳ１００５に進む。ステップＳ１００５では、表示制御装置８１が取得する乱数に基づいて、ストップスイッチ４２〜４４の操作順序を報知する報知回数を決定するための報知回数抽選処理を行う。ステップＳ１００６では、報知回数抽選処理にて決定した報知回数を、表示制御装置８１のＲＡＭに設けられた報知回数カウンタにセットする。その後、本処理を終了する。ちなみに、本スロットマシン１０では、上記報知回数抽選処理を行うことにより、報知回数カウンタに１６，３３，５０，７５のいずれかの値がセットされる。
【０１５９】
ステップＳ１００２にて第５再遊技入賞が成立していないと判定した場合には、ステップＳ１００７に進み、報知フラグがセットされているか否かを判定する。報知フラグがセットされていない場合には、そのまま本処理を終了し、報知フラグがセットされている場合には、ステップＳ１００８にて転落再遊技入賞が成立したか否かを判定するとともに、ステップＳ１００９にて移行出目が有効ライン上に停止したか否かを判定する。転落再遊技入賞が成立した場合と、移行出目が有効ライン上に停止した場合と、には、遊技状態が通常遊技状態又は第１ＲＴ状態に移行したことを意味する。かかる場合には、ステップＳ１０１０にて報知フラグをクリアするとともに、ステップＳ１０１１にて上述した待機ゲーム数抽選処理を行う。ステップＳ１０１２では、待機ゲーム数抽選処理にて取得した値を待機ゲーム数カウンタにセットする。その後、本処理を終了する。但し、ステップＳ１００９にて移行出目が有効ライン上に停止したと判定した際の遊技状態が通常遊技状態である場合には、ステップＳ１０１０〜ステップＳ１０１２の処理を行うことなくそのまま本処理を終了する。遊技状態が通常遊技状態である場合には、報知フラグがセットされている場合であってもベル入賞を成立させることができるストップスイッチ４２〜４４の操作順序を報知しないためである。
【０１６０】
一方、報知フラグがセットされている状況で転落再遊技入賞が成立せず、且つ有効ライン上に移行出目が停止しなかった場合には、ステップＳ１０１３にて報知中処理を行った後に本処理を終了する。
【０１６１】
報知中処理では、図３４のフローチャートに示すように、ステップＳ１１０１にて報知回数カウンタの値が０でないか否かを判定する。報知回数カウンタの値が０である場合には、そのまま本処理を終了し、０でない場合には、ステップＳ１１０２にて小役入賞が成立したか否かを判定する。小役入賞が成立していない場合には、そのまま本処理を終了し、小役入賞が成立した場合には、ステップＳ１１０３にて９枚のメダル払出が行われる９枚小役入賞、すなわちベル入賞又は第１特殊ベル入賞〜第１２特殊ベル入賞のいずれかが成立したか否かを判定する。９枚小役入賞が成立していない場合にはそのまま本処理を終了し、９枚小役入賞が成立した場合には、ステップＳ１１０４にて報知回数カウンタの値を１減算する。その後、ステップＳ１１０５では、報知回数カウンタの値が０であるか否かを判定する。報知回数カウンタの値が０でない場合にはそのまま本処理を終了し、０である場合には、ステップＳ１１０６にて報知フラグをクリアする。続くステップＳ１１０７では、蓄積カウンタの値が０でないか否かを判定し、０である場合にはそのまま本処理を終了する。一方、蓄積カウンタの値が０でない場合には、ステップＳ１１０８にて蓄積カウンタの値を１減算するとともに、ステップＳ１１０９にて上述した報知回数抽選処理を行う。その後、ステップＳ１１１０にて報知回数抽選処理にて決定した値を報知回数カウンタにセットし、本処理を終了する。
【０１６２】
次に、停止指令コマンド処理を、図３５のフローチャートに基づいて説明する。
【０１６３】
ステップＳ１２０１では、停止指令コマンドを受信したか否かを判定し、受信していない場合には、そのまま本処理を終了する。停止指令コマンドを受信した場合には、ステップＳ１２０２に進み、報知フラグがセットされているか否かを判定する。報知フラグがセットされている場合には、ステップＳ１２０３にて後述する救済確認処理を行った後に本処理を終了し、報知フラグがセットされていない場合には、ステップＳ１２０４〜ステップＳ１２０８に示す罰則判定処理を行った後に本処理を終了する。
【０１６４】
罰則判定処理では、ステップＳ１２０４にて今回の停止指令が第１停止指令であるか否か、すなわち全リール３２Ｌ，３２Ｍ，３２Ｒが回転している最中に発生した停止指令であるか否かを判定する。第１停止指令でない場合には、そのまま本処理を終了し、第１停止指令である場合には、ステップＳ１２０５にて第１停止指令として左ストップスイッチ４２が操作されたか否かを判定する。左ストップスイッチ４２が操作されて第１停止指令が発生した場合には、そのまま本処理を終了する。一方、中ストップスイッチ４３又は右ストップスイッチ４４が操作されて第１停止指令が発生した場合には、ステップＳ１２０６に進み、罰則フラグがセットされているか否かを判定する。罰則フラグがセットされていない場合には、ステップＳ１２０７にて罰則フラグをセットする。その後、又は既に罰則フラグがセットされている場合には、ステップＳ１２０８にて表示制御装置８１のＲＡＭに設けられた罰則ゲーム数カウンタの値に２を加算し、本処理を終了する。
【０１６５】
このように、本スロットマシン１０では、報知フラグがセットされていない状況で左ストップスイッチ４２が最初に操作されなかった場合、罰則フラグがセットされるとともに罰則ゲーム数カウンタの値に２が加算されるようになっている。
【０１６６】
罰則フラグがセットされている場合、状態コマンド処理（図３０参照）では、ステップＳ７０６にて肯定判定をし、待機ゲーム数減算処理ではなくステップＳ７０７〜ステップＳ７０９に示す罰則ゲーム数減算処理を行う。罰則ゲーム数減算処理では、ステップＳ７０７にて罰則ゲーム数カウンタの値を１減算するとともに、ステップＳ７０８にて罰則ゲーム数カウンタの値が０であるか否かを判定する。罰則ゲーム数カウンタの値が０でない場合には、そのまま本処理を終了し、０である場合には、ステップＳ７０９にて罰則フラグをクリアした後に本処理を終了する。そして、抽選結果コマンド処理（図３１参照）では、罰則フラグがセットされている場合、ステップＳ８０３にて肯定判定をしてそのまま抽選結果コマンド処理を終了する。この結果、罰則フラグがセットされている場合には、仮に特定役に当選したとしても報知抽選処理が行われない。
【０１６７】
つまり、報知フラグがセットされていない状況で中ストップスイッチ４３又は右ストップスイッチ４４を最初に操作した場合には、当該ゲームの終了後に待機ゲーム数カウンタの値が減算されない。また、次回のゲームにおいては、仮に特定役に当選したとしても報知抽選処理が行われないことに加えて、待機ゲーム数カウンタの値が減算されない。したがって、報知フラグがセットされていない状況で中ストップスイッチ４３又は右ストップスイッチ４４を最初に操作した場合には、遊技者にとって不利な状況が発生する。
【０１６８】
ここで、本スロットマシン１０のゲームの流れを説明する。本スロットマシン１０では、第１ＢＢ当選確率が約１６４００分の１、第２ＢＢ当選確率が約２０５０分の１と非常に低いため、ＢＢ非当選下での遊技が中心となる。そこで、理解を容易なものとするため、ＢＢ状態終了後からのゲームの流れを説明することとする。
【０１６９】
ＢＢ状態が終了した場合、主制御装置１０１は、遊技状態をＢＢ状態から通常遊技状態に移行させる。このとき表示制御装置８１は、待機ゲーム数抽選処理を行い、待機ゲーム数カウンタに１〜１２８０のいずれかの値をセットする。ストップスイッチ４２〜４４の操作順序が報知されることとなる報知フラグは、待機ゲーム数が０となった場合にセットされる。つまり、待機ゲーム数が０でない場合には、ストップスイッチ４２〜４４の操作順序が報知されない。
【０１７０】
ストップスイッチ４２〜４４の操作順序が報知されない場合、１の遊技状態から他の遊技状態への移行確率は上述したとおりである。すなわち、遊技状態が通常遊技状態である場合には、約５．２０分の１の確率で第１ＲＴ状態に移行する。遊技状態が第１ＲＴ状態である場合には、約５４．６分の１の確率で第２ＲＴ状態に移行し、約８．４８分の１の確率で通常遊技状態に移行する。遊技状態が第２ＲＴ状態である場合には、約２４．０分の１の確率で第３ＲＴ状態に移行し、約５．２０分の１の確率で第１ＲＴ状態に移行し、約４．８０分の１の確率で通常遊技状態に移行する。遊技状態が第３ＲＴ状態である場合には、約８．８２分の１の確率で第４ＲＴ状態に移行し、約５．２０分の１の確率で第１ＲＴ状態に移行し、約１．７７分の１の確率で通常遊技状態に移行する。遊技状態が第４ＲＴ状態である場合には、約８．８２分の１の確率で第５ＲＴ状態に移行し、約５．２０分の１の確率で第１ＲＴ状態に移行し、約１．７７分の１の確率で通常遊技状態に移行する。以上の結果、ストップスイッチ４２〜４４の操作順序が報知されない場合には、通常遊技状態から第５ＲＴ状態に移行する確率が約５００００分の１、すなわち通常遊技状態から第５ＲＴ状態に移行するまでに要するゲーム数の期待値が約５００００回となり、第５ＲＴ状態に移行させることが非常に困難となる。
【０１７１】
このため、遊技者は、待機ゲーム数が０となるように毎回のゲームを行う必要がある。待機ゲーム数は、罰則フラグがセットされていない状況で左ストップスイッチ４２を最初に操作して遊技を行った場合に１減算される。また、罰則フラグがセットされていない状況で特定役に当選するとともに報知抽選に当選した場合には、待機ゲーム数が０とされる。罰則フラグは、報知フラグがセットされていない状況で中ストップスイッチ４３又は右ストップスイッチ４４を最初に操作した場合にセットされる。つまり、待機ゲーム数を０とするためには、毎回のゲームにおいて左ストップスイッチ４２を最初に操作する必要がある。
【０１７２】
待機ゲーム数が０となった場合、表示制御装置８１は報知フラグをセットする。そして、第１ＲＴ状態〜第４ＲＴ状態においてベル又は転落再遊技に当選となった場合には、ストップスイッチ４２〜４４の操作順序を報知する。遊技者は、報知された操作順序でストップスイッチ４２〜４４を操作することにより、図柄を狙ってストップスイッチ４２〜４４を操作せずともベル入賞や第２再遊技入賞〜第５再遊技入賞（以下、「昇格再遊技入賞」ともいう。）を成立させることができる。また、ベル入賞や昇格再遊技入賞を成立させることにより、転落再遊技入賞が成立することや有効ライン上に移行出目が停止することを回避でき、比較的速やかに遊技状態を第５ＲＴ状態に移行させることが可能となる。
【０１７３】
ストップスイッチ４２〜４４の操作順序が報知される場合、１の遊技状態から他の遊技状態への移行確率は以下のとおりである。遊技状態が通常遊技状態である場合には、約５．２０分の１の確率で第１ＲＴ状態に移行する。つまり、遊技状態が通常遊技状態である場合には、第１ＲＴ状態に移行するまでに要するゲーム数の期待値が約５．２０回である。遊技状態が第１ＲＴ状態である場合には、約９．１０分の１の確率で第２ＲＴ状態に移行する。つまり、遊技状態が第１ＲＴ状態である場合には、第２ＲＴ状態に移行するまでに要するゲーム数の期待値が約９．１０回である。遊技状態が第２ＲＴ状態である場合には、約４．００分の１の確率で第３ＲＴ状態に移行する。つまり、遊技状態が第２ＲＴ状態である場合には、第３ＲＴ状態に移行するまでに要するゲーム数の期待値が約４．００回である。遊技状態が第３ＲＴ状態である場合には、約１．４７分の１の確率で第４ＲＴ状態に移行する。つまり、遊技状態が第３ＲＴ状態である場合には、第４ＲＴ状態に移行するまでに要するゲーム数の期待値が約１．４７回である。遊技状態が第４ＲＴ状態である場合には、約１．４７分の１の確率で第５ＲＴ状態に移行する。つまり、遊技状態が第４ＲＴ状態である場合には、第５ＲＴ状態に移行するまでに要するゲーム数の期待値が約１．４７回である。以上の結果、ストップスイッチ４２〜４４の操作順序が報知される場合には、通常遊技状態から第５ＲＴ状態に移行する確率が約２１．２分の１、すなわち通常遊技状態から第５ＲＴ状態に移行するまでに要するゲーム数の期待値が約２１．２ゲームとなり、第５ＲＴ状態に移行させることが非常に容易となる。ちなみに、ストップスイッチ４２〜４４の操作順序が報知される状況となった際の遊技状態が第１ＲＴ状態である場合には、第５ＲＴ状態に移行するまでに要するゲーム数の期待値が約１６．０ゲームとなり、ストップスイッチ４２〜４４の操作順序が報知される状況となった際の遊技状態が第２ＲＴ状態である場合には、第５ＲＴ状態に移行するまでに要するゲーム数の期待値が約６．９４ゲームとなり、ストップスイッチ４２〜４４の操作順序が報知される状況となった際の遊技状態が第３ＲＴ状態である場合には、第５ＲＴ状態に移行するまでに要するゲーム数の期待値が約２．９４ゲームとなり、ストップスイッチ４２〜４４の操作順序が報知される状況となった際の遊技状態が第４ＲＴ状態である場合には、第５ＲＴ状態に移行するまでに要するゲーム数の期待値が約１．４７ゲームとなる。
【０１７４】
表示制御装置８１は、遊技状態が第５ＲＴ状態に移行した場合、報知回数抽選処理を行い、報知回数カウンタに１６，３３，５０，７５のいずれかの値をセットする。そして、ベル入賞又は特殊ベル入賞が成立した場合に報知回数カウンタの値が１減算され、報知回数カウンタの値が０となった場合に報知フラグがクリアされる。つまり、第５ＲＴ状態では、ベル入賞を成立させるためのストップスイッチ４２〜４４の操作順序が報知回数分だけ報知された場合に、ストップスイッチ４２〜４４の操作順序が報知されなくなる。
【０１７５】
第５ＲＴ状態における１ゲームあたりのメダル払出の期待値は、報知された操作順序でストップスイッチ４２〜４４を操作した場合、約４．８０枚である。１回のゲームを行うために３枚のメダルをベットする必要があるため、第５ＲＴ状態では１ゲームあたりにメダルが約１．８０枚増加することを期待できる。ちなみに、通常遊技状態では、ストップスイッチ４２〜４４の操作順序が報知されないため、左ストップスイッチ４２を最初に操作した場合、１ゲームあたりのメダル払出の期待値が約１．４４枚となる。つまり、第５ＲＴ状態に移行した場合には、ストップスイッチ４２〜４４の操作順序が報知される場合、通常遊技状態よりも遊技者に有利となる。なお、各抽選テーブルには、中ストップスイッチ４３又は右ストップスイッチ４４を最初に操作した場合にベル入賞が成立するインデックス値ＩＶ＝１２〜１９のポイント値ＰＶが、左ストップスイッチ４２を最初に操作した場合にベル入賞が成立するインデックス値ＩＶ＝８〜１１のポイント値ＰＶよりも高く設定されている（例えば図１３参照）。このため、通常遊技状態において左ストップスイッチ４２以外のストップスイッチ４３，４４を最初に操作した場合には、１ゲームあたりのメダル払出の期待値が約２．０２枚となる。但し、左ストップスイッチ４２以外のストップスイッチ４３，４４を最初に操作した場合には、表示制御装置８１が罰則フラグをセットするため、繰り返しゲームを行っても待機ゲーム数が０とならない。また、左ストップスイッチ４２以外のストップスイッチ４３，４４を最初に操作した場合には、主制御装置１０１が有効ライン上に移行出目が停止しないように各リール３２Ｌ，３２Ｍ，３２Ｒの停止制御を行う。したがって、左ストップスイッチ４２以外のストップスイッチ４３，４４を最初に操作した場合には、１ゲームあたりのメダル払出の期待値が高くなるものの、結果的に遊技者に不利となる。
【０１７６】
ちなみに、報知回数として１６回がセットされた場合には、報知フラグがクリアされるまでに約１００枚のメダルの増加が期待でき、報知回数として３３回がセットされた場合には、報知フラグがクリアされるまでに約２００枚のメダルの増加が期待でき、報知回数として５０回がセットされた場合には、報知フラグがクリアされるまでに約３００枚のメダルの増加が期待でき、報知回数として７５回がセットされた場合には、報知フラグがクリアされるまでに約４５０枚のメダルの増加が期待できる。
【０１７７】
表示制御装置８１は、第５ＲＴ状態下で報知回数カウンタの値が０となった場合、蓄積カウンタの値が０であるか否かを判定する。蓄積カウンタの値が０でない場合には、報知回数抽選処理を行い、報知回数カウンタに１６，３３，５０，７５のいずれかの値を再度セットする。蓄積カウンタの値は、第５ＲＴ状態下で特定役に当選した場合に１加算される。かかる観点からも第５ＲＴ状態は通常遊技状態と比して遊技者に有利であると言える。
【０１７８】
表示制御装置８１は、蓄積カウンタの値が０である場合、待機ゲーム数抽選処理を行い、待機ゲーム数カウンタに１〜１２８０のいずれかの値をセットする。この結果、待機ゲーム数が０となるまでの間、再びストップスイッチ４２〜４４の操作順序が報知されなくなる。第５ＲＴ状態における１ゲームあたりのメダル払出の期待値は、ストップスイッチ４２〜４４の操作順序が報知されない場合、約３．０７枚である。１回のゲームを行うために３枚のメダルをベットする必要があるため、第５ＲＴ状態では１ゲームあたりにメダルが約０．０７枚増加することを期待できる。したがって、ストップスイッチ４２〜４４の操作順序が報知されない状況であっても、第５ＲＴ状態は通常遊技状態よりも遊技者に有利である。但し、かかる状況では、約５．２０分の１の確率で移行出目が有効ライン上に停止して第１ＲＴ状態に移行し、約３．２８分の１の確率で転落再遊技入賞が成立して通常遊技状態に移行する。このため、待機ゲーム数が０となる前に移行出目が有効ライン上に停止したり転落再遊技入賞が成立したりした場合には、遊技者に有利な状況が終了することとなる。
【０１７９】
以上のとおり、本スロットマシン１０では、報知された操作順序でストップスイッチ４２〜４４を操作することにより、通常遊技状態や第１ＲＴ状態への移行を回避させつつ所有メダルを増加させる遊技性となっている。かかる一方、報知された操作順序と異なる操作順序でストップスイッチ４２〜４４を操作してしまった場合には、転落再遊技入賞が成立したり移行出目が有効ライン上に停止したりする可能性が生じ、報知フラグがクリアされてしまう、すなわち次ゲーム以降においてストップスイッチ４２〜４４の操作順序が報知されなくなってしまう可能性が生じる。そこで本スロットマシン１０では、報知した操作順序でストップスイッチ４２〜４４が操作されなかった場合に、主制御装置１０１及び表示制御装置８１が遊技者を救済すべく救済処理を行うようになっている。
【０１８０】
主制御装置１０１は、救済処理として停止リール把握処理を行う。停止リール把握処理とは、停止情報第２設定処理を行った後に行われる処理、すなわち１つ又は２つのリールが回転している状況において行われる処理である（図１４参照）。
【０１８１】
停止リール把握処理では、図３６のフローチャートに示すように、ステップＳ１３０１において、現在の遊技状態が第５ＲＴ状態であるか否かを判定する。現在の遊技状態が第５ＲＴ状態である場合には、ステップＳ１３０２に進み、特殊ベルに当選しているか否かを判定する。特殊ベルに当選している場合には、ステップＳ１３０３に進み、停止しているリールが１つであるか否かを判定する。停止しているリールが１つである場合には、ステップＳ１３０４に進み、ベル入賞の成立するリールが停止しているか否かを判定する。上述したとおり、特殊ベルに当選している場合としては、ＩＶ＝８〜１９の際に当選となった場合がある。そして、ＩＶ＝８〜１１の際に当選となった場合には、左リール３２Ｌを最初に停止させればベル入賞が成立し、ＩＶ＝１２〜１５の際に当選となった場合には、中リール３２Ｍを最初に停止させればベル入賞が成立し、ＩＶ＝１６〜１９の際に当選となった場合には、右リール３２Ｒを最初に停止させればベル入賞が成立する（図１５参照）。そこでステップＳ１３０４では、当選フラグ格納エリア１０６ａにセットされている当選フラグと、停止しているリールと、に基づいて、ベル入賞の成立するリールが停止しているか否かを判定する。ベル入賞の成立するリールが停止している場合には、有効ライン上に移行出目の停止する可能性がないため、そのまま本処理を終了する。一方、ベル入賞の成立するリールが停止していない場合には、ステップＳ１３０５に進み、ＲＡＭ１０６に設けられた待機タイマに３３５５をセットする。ステップＳ１３０６では、待機タイマの減算を許可する。これにより、待機タイマの値は、タイマ割込み処理において１ずつ減算されることとなる。ステップＳ１３０７では、待機タイマの値が０となったか否かを判定し、０となっていない場合には、そのまま待機する。タイマ割込み処理は１．４９ｍｓｅｃ周期で行われるため、ステップＳ１３０７では、約５秒間待機することとなる。待機タイマの値が０となった場合には、ステップＳ１３０８にて待機タイマの減算を禁止し、本処理を終了する。現在の遊技状態が第５ＲＴ状態でない場合と、特殊ベルに当選していない場合と、停止リールが１つでなく２つである場合と、には、待機タイマに値をセットすることなくそのまま本処理を終了する。
【０１８２】
表示制御装置８１は、救済処理として救済確認処理を行う。救済確認処理とは、報知フラグがセットされている状況において主制御装置１０１から停止指令コマンドを受信した場合に行われる処理である（図３５参照）。
【０１８３】
救済確認処理では、図３７のフローチャートに示すように、ステップＳ１４０１において、現在の遊技状態が通常遊技状態でないか否か、すなわち第１ＲＴ状態〜第５ＲＴ状態のいずれかであるか否かを判定する。現在の遊技状態が通常遊技状態でない場合には、ステップＳ１４０２に進み、特殊ベルに当選しているか否かを判定する。特殊ベルに当選している場合には、ステップＳ１４０３に進み、今回の停止指令が第１停止指令であるか否かを判定する。今回の停止指令が第１停止指令である場合には、ステップＳ１４０４に進み、ベル入賞の成立する操作がなされたか否かを判定する。具体的には、ＩＶ＝８〜１１の際に当選となった場合、第１停止指令として左ストップスイッチ４２が操作されたか否かを判定し、ＩＶ＝１２〜１５の際に当選となった場合、第１停止指令として中ストップスイッチ４３が操作されたか否かを判定し、ＩＶ＝１６〜１９の際に当選となった場合、第１停止指令として右ストップスイッチ４４が操作されたか否かを判定する。ベル入賞の成立する操作がなされた場合には、有効ライン上に移行出目の停止する可能性がないため、そのまま本処理を終了する。一方、ベル入賞の成立する操作がなされなかった場合には、ステップＳ１４０５にて操作順序の報知を終了するとともに、ステップＳ１４０６にて入賞を成立させることができる特殊ベル図柄を報知し、本処理を終了する。現在の遊技状態が通常遊技状態である場合と、特殊ベルに当選していない場合と、今回の停止指令が第２停止指令又は第３停止指令である場合と、には、そのまま本処理を終了する。なお、遊技状態が通常遊技状態である場合にそのまま本処理を終了するのは、報知フラグがセットされている場合であってもベル入賞を成立させることができるストップスイッチ４２〜４４の操作順序を報知しないためである。
【０１８４】
ここで、上記救済処理の理解を容易なものとするため、ＩＶ＝１９の際に当選となった場合を例として説明する。
【０１８５】
表示制御装置８１は、現在の遊技状態が第１ＲＴ状態〜第５ＲＴ状態のいずれかであるとともに報知フラグがセットされている場合、第１停止指令を発生させることが可能となる前までに、ベル入賞を成立させることができるストップスイッチ４２〜４４の操作順序を報知する。ＩＶ＝１９の際に当選となった場合には、右ストップスイッチ４４を最初に操作した場合にベル入賞が成立するため、「右ストップスイッチ４４→中ストップスイッチ４３→左ストップスイッチ４２」の操作順序、又は「右ストップスイッチ４４→左ストップスイッチ４２→中ストップスイッチ４３」の操作順序を補助表示部６５に表示する。なお、いずれの操作順序を補助表示部６５に表示するのかは、表示制御装置８１が所定の抽選を行って決定している。
【０１８６】
上記操作順序を補助表示部６５に表示している状況で左ストップスイッチ４２が最初に操作された場合、主制御装置１０１は、停止情報第２設定処理において第４特殊ベル入賞を成立させるべく停止情報を設定するとともに、そのときの遊技状態が第５ＲＴ状態であれば停止リール把握処理において約５秒間待機する処理を行う。この結果、第５ＲＴ状態では、リール制御処理のステップＳ４０２におけるストップスイッチ４２〜４４のいずれかを操作されたか否かの判定（図１４参照）が、左リール３２Ｌが停止してから約５秒間が経過するまで行われなくなる。したがって、遊技者が仮に第２停止指令を発生させるべく中ストップスイッチ４３又は右ストップスイッチ４４を操作したとしても、左リール３２Ｌが停止してから約５秒間経過した後でなければ前記操作が無効とされる。これにより、遊技者に操作順序を誤ったことを気付かせることができる。
【０１８７】
また、表示制御装置８１は、左ストップスイッチ４２が最初に操作されたことを示す停止指令コマンドを受信した場合、現在の遊技状態が第１ＲＴ状態〜第５ＲＴ状態のいずれかであれば、補助表示部６５に表示している操作順序を非表示とするとともに、第４特殊ベル図柄の組合せ、すなわち「リプレイ」図柄，「白ベル」図柄，「白ベル」図柄の組合せを補助表示部６５に表示する。この表示内容の変更は、主制御装置１０１が約５秒間待機する処理を行っている間に実行される。したがって遊技者は、補助表示部６５に表示された「白ベル」図柄を狙って中ストップスイッチ４３及び右ストップスイッチ４４を操作することにより、移行出目が有効ライン上に停止することを回避しつつ第４特殊ベル入賞を成立させることができる。また特に、現在の遊技状態が第５ＲＴ状態である場合には、補助表示部６５の報知内容が変更されることに加えて、停止指令を発生させるための停止操作が所定時間無効とされるため、遊技者が操作順序のみならず狙うべき図柄（すなわち操作タイミング）も誤ってしまうことを抑制することができる。
【０１８８】
以上詳述した本実施の形態によれば、以下の優れた効果を奏する。
【０１８９】
通常遊技状態から第５ＲＴ状態に移行させる場合には、第１ＲＴ状態〜第４ＲＴ状態を経由する構成とした。そして、通常遊技状態から第１ＲＴ状態への移行は、有効ライン上に移行出目が停止した場合に行われる構成とし、第１ＲＴ状態〜第４ＲＴ状態における第５ＲＴ状態側への移行は、昇格再遊技入賞が成立した場合に行われる構成とした。移行出目は、ＩＶ＝１２〜１９の際に当選となり、左ストップスイッチ４２が最初に操作されるとともに対応する特殊ベル入賞を成立させることができない場合に、有効ライン上に停止する。昇格再遊技入賞は、昇格再遊技を含むインデックス値ＩＶにおいて当選となり、セットされた当選フラグと対応する操作順序でストップスイッチ４２〜４４が操作された場合に成立する。かかる構成とすることにより、通常遊技状態から第５ＲＴ状態に至るまでの間に複数回の特定操作を遊技者に行わせることが可能となり、遊技者を遊技に積極参加させることが可能となる。
【０１９０】
表示制御装置８１を、待機ゲーム数が０となった場合に報知フラグをセットする構成とした。そして、報知フラグがセットされている状況でベル又は転落再遊技に当選となった場合には、そのときの遊技状態が第１ＲＴ状態〜第４ＲＴ状態であれば、ベル入賞又は昇格再遊技入賞を成立させることができるストップスイッチ４２〜４４の操作順序を報知する構成とした。かかる構成とすることにより、待機ゲーム数が０となる前となった後とにおいて、第５ＲＴ状態に移行する確率を変化させることが可能となる。この結果、第５ＲＴ状態への移行が単調となることを抑制することが可能となる。さらに、通常遊技状態から第１ＲＴ状態〜第４ＲＴ状態を経由して第５ＲＴ状態に移行する構成とすることにより、待機ゲーム数が０となってから第５ＲＴ状態に移行するまでに要するゲーム数の期待値を短縮させることが可能となり、遊技が間延びしてしまうことを回避することが可能となる。
【０１９１】
ここで、具体例を挙げて説明する。
【０１９２】
例えば通常遊技状態から第５ＲＴ状態に直接移行する構成について考える。かかる場合、例えば第５ＲＴ状態の移行契機となる役の当選確率が３６０分の１であって、ストップスイッチの操作タイミング及び操作順序に関わらず移行契機となる入賞が成立する又は所定の停止出目が停止する場合、通常遊技状態から第５ＲＴ状態への移行確率は３６０分の１となり、通常遊技状態から第５ＲＴ状態に移行するまでに要するゲーム数の期待値が３６０ゲームとなる。つまり、かかる構成とした場合には、役の抽選結果によってランダム性は生じるものの、通常遊技状態から第５ＲＴ状態への移行確率が一定なものとなり、第５ＲＴ状態への移行が単調なものとなる。
【０１９３】
上記懸念を解消すべく、例えば第５ＲＴ状態の移行契機となる役の当選確率を６０分の１と設定し、６通りのストップスイッチの操作順序のうち１通りのストップスイッチの操作順序がなされた場合に移行契機となる入賞が成立する又は所定の停止出目が停止する構成とすることが考えられる。かかる構成とした場合には、ストップスイッチの操作順序が報知されない状況において第５ＲＴ状態への移行確率が３６０分の１となり、第５ＲＴ状態への移行確率が上述した例と同一になる。これに加えて、ストップスイッチの操作順序が報知される状況においては、第５ＲＴ状態への移行確率が６０分の１となる。このため、ストップスイッチの操作順序を報知するか否かによって通常遊技状態から第５ＲＴ状態への移行確率を変化させることが可能となり、第５ＲＴ状態への移行が単調なものとなることを抑制することが可能となる。しかしながら、かかる構成においては、ストップスイッチの操作順序を報知する状況となった場合であっても、第５ＲＴ状態の移行契機となる役に当選しない限りは第５ＲＴ状態に移行しない。当該役の当選確率は６０分の１であるため、ストップスイッチの操作順序を報知する状況となった場合であっても、第５ＲＴ状態に移行するまでに要するゲーム数の期待値として６０ゲームが必要である。これは、第５ＲＴ状態に移行するまでの遊技が間延びしてしまう可能性が考えられる。さらにいうと、ストップスイッチの操作順序を報知する状況となったことを演出等によって報知する構成とした場合には、上記懸念がより顕著なものとなる。
【０１９４】
次に、通常遊技状態から第１ＲＴ状態を経由して第５ＲＴ状態に移行する構成について考える。かかる場合、例えば第１ＲＴ状態の移行契機となる役の当選確率を１０分の１と設定し、６通りのストップスイッチの操作順序のうち１通りのストップスイッチの操作順序がなされた場合に移行契機となる入賞が成立する又は所定の停止出目が停止する構成とする。そして、第５ＲＴ状態の移行契機となる役の当選確率を１０分の１と設定し、６通りのストップスイッチの操作順序のうち１通りのストップスイッチの操作順序がなされた場合に移行契機となる入賞が成立する又は所定の停止出目が停止する構成とする。かかる構成とした場合には、ストップスイッチの操作順序が報知されない状況において第５ＲＴ状態への移行確率が３６０分の１となる。つまり、ストップスイッチの操作順序が報知されない状況において、第５ＲＴ状態への移行確率が上述した各例と同一になる。しかしながら、ストップスイッチの操作順序が報知される状況において、第５ＲＴ状態への移行確率が２０分の１となる。つまり、ストップスイッチの操作順序を報知する状況となった場合の第５ＲＴ状態に移行するまでに要するゲーム数の期待値を２０ゲームと短縮することができ、第５ＲＴ状態に移行するまでの遊技が間延びしてしまうことを回避することが可能となる。さらにいうと、かかる構成においては、ストップスイッチの操作順序を報知する状況となった際の遊技状態によって第５ＲＴ状態に移行するまでに要するゲーム数の期待値が変化する。ストップスイッチの操作順序を報知する状況となった際の遊技状態が通常遊技状態であれば、第５ＲＴ状態に移行するまでに要するゲーム数の期待値は２０ゲームである一方、ストップスイッチの操作順序を報知する状況となった際の遊技状態が第１ＲＴ状態であれば、第５ＲＴ状態に移行するまでに要するゲーム数の期待値は１０ゲームとなるからである。
【０１９５】
このように、通常遊技状態から他の遊技状態を経由して第５ＲＴ状態に移行する構成とすることにより、待機ゲーム数が０となってから第５ＲＴ状態に移行するまでに要するゲーム数の期待値を短縮させることが可能となり、遊技が間延びしてしまうことを回避することが可能となる。また、本スロットマシン１０では、第５ＲＴ状態に移行するまでに経由する遊技状態として第１ＲＴ状態〜第４ＲＴ状態の４つの遊技状態を設けたため、待機ゲーム数が０となる前となった後とにおいて、第５ＲＴ状態に移行する確率を大きく変化させることが可能となる。
【０１９６】
第１ＲＴ状態〜第４ＲＴ状態では、転落再遊技入賞が成立した場合、遊技状態が通常遊技状態に移行する構成とした。かかる構成とすることにより、第１ＲＴ状態〜第４ＲＴ状態のいずれかに移行した場合に通常遊技状態側の遊技状態に移行しない構成と比して、ストップスイッチ４２〜４４の操作順序が報知されない状況で遊技状態が第５ＲＴ状態に移行することを困難なものとすることができる。この結果、昇格再遊技に当選となる確率を高く設定することが可能となり、待機ゲーム数が０となる前となった後とにおいて、第５ＲＴ状態に移行する確率を大きく変化させることが可能となる。また、遊技者に現在の遊技状態を推測させながら遊技を行わせることが可能となり、遊技者を遊技に積極参加させることが可能となる。
【０１９７】
第１ＲＴ状態用抽選テーブル〜第４ＲＴ状態用抽選テーブルには、昇格再遊技と転落再遊技に共に当選となるよう当選役を設定し、６通りの操作順序のうち１通りの操作順序でストップスイッチ４２〜４４が操作された場合には昇格再遊技入賞が成立し、他の操作順序でストップスイッチ４２〜４４が操作された場合には転落再遊技入賞が成立する構成とした。このように１の遊技回におけるストップスイッチ４２〜４４の操作順序によって昇格再遊技入賞が成立したり転落再遊技入賞が成立したりする構成とすることにより、遊技者に転落再遊技入賞ではなく昇格再遊技入賞が成立するよう慎重にストップスイッチ４２〜４４を操作させることが可能となる。故に、遊技者を遊技に積極参加させることが可能となる。
【０１９８】
昇格再遊技と転落再遊技に共に当選となった場合、６通りの操作順序のうち１通りの操作順序で昇格再遊技入賞が成立し、他の５通りの操作順序で転落再遊技入賞が成立する構成とした。このように、昇格再遊技入賞が成立する確率よりも転落再遊技入賞が成立する確率の方が高い構成とすることにより、待機ゲーム数が０でない状況において第５ＲＴ状態に移行することを困難なものとすることが可能となり、待機ゲーム数が０となる前となった後とにおいて、第５ＲＴ状態に移行する確率を大きく変化させることが可能となる。
【０１９９】
通常遊技状態における昇格再遊技の当選確率を０とし、第１ＲＴ状態における昇格再遊技の当選確率を約９．１０分の１とし、第２ＲＴ状態における昇格再遊技の当選確率を約４．００分の１とし、第３ＲＴ状態における昇格再遊技の当選確率を約１．４７分の１とし、第４ＲＴ状態における昇格再遊技の当選確率を約１．４７分の１とした。このように、第５ＲＴ状態側の遊技状態に移行するほど昇格再遊技の当選確率が高くなる構成とすることにより、待機ゲーム数が０となってから第５ＲＴ状態に移行するまでに要するゲーム数を少なくすることが可能となる。
【０２００】
昇格再遊技に当選となった場合には、昇格再遊技入賞を成立させることができる操作順序でストップスイッチ４２〜４４を操作すれば、ストップスイッチ４２〜４４の操作タイミングに関わらず昇格再遊技入賞が成立する構成とした。かかる構成とすることにより、待機ゲーム数が０となった場合には、報知された操作順序でストップスイッチ４２〜４４を操作することで遊技状態を第５ＲＴ状態に移行させることができる。故に、図柄を狙ってストップスイッチ４２〜４４を操作する技量の優劣によって第５ＲＴ状態への移行確率に差異が生じることを回避することが可能となり、例えば遊技の初心者等であっても積極的に遊技を行うことが可能となる。
【０２０１】
再遊技の特典を付与する場合に、通常遊技状態では遊技状態が移行しない第６再遊技入賞が成立し、第１ＲＴ状態〜第４ＲＴ状態では昇格再遊技入賞又は転落再遊技入賞が成立する構成とした。また、第１ＲＴ状態〜第４ＲＴ状態では、昇格再遊技入賞となる図柄の組合せが異なる構成とした。このように、再遊技の特典を付与する場合にそのときの遊技状態によって入賞態様が変化する構成とすることにより、再遊技入賞が成立した際の遊技状態がいずれであったかを示唆することが可能となる。また、遊技者に現在の遊技状態がいずれの遊技状態であるかを推測させながら遊技を行わせることが可能となり、遊技者を遊技に積極参加させることが可能となる。
【０２０２】
移行出目が有効ライン上に停止した場合には、そのときの遊技状態に関わらず遊技状態が第１ＲＴ状態に移行する構成とした。かかる構成においては、例えば遊技状態が通常遊技状態である場合、第１ＲＴ状態に移行することで第５ＲＴ状態に近づくこととなり、遊技者にとって有利な遊技状態の移行となる。また、例えば遊技状態が第４ＲＴ状態である場合、第１ＲＴ状態に移行することで第５ＲＴ状態が遠のくこととなり、遊技者にとって不利な遊技状態の移行となる。つまり、移行出目が有効ライン上に停止した場合には、そのときの遊技状態によって遊技者に有利となる場合と不利となる場合とが生じる。この結果、遊技者に現在の遊技状態を推測させながら遊技を行わせることが可能となり、遊技者を遊技に積極参加させることが可能となる。また、待機ゲーム数が０でない状況において、遊技状態が第５ＲＴ状態に移行することを困難なものとすることが可能となる。この結果、昇格再遊技に当選となる確率を高く設定することが可能となり、待機ゲーム数が０となる前となった後とにおいて、第５ＲＴ状態に移行する確率を大きく変化させることが可能となる。
【０２０３】
転落再遊技入賞が成立した場合には、そのときの遊技状態が第１ＲＴ状態〜第５ＲＴ状態のいずれであっても通常遊技状態に移行する構成とした。かかる構成とすることにより、待機ゲーム数が０でない状況において、遊技状態が第５ＲＴ状態に移行することを困難なものとすることが可能となる。この結果、昇格再遊技に当選となる確率を高く設定することが可能となり、待機ゲーム数が０となる前となった後とにおいて、第５ＲＴ状態に移行する確率を大きく変化させることが可能となる。
【０２０４】
昇格再遊技入賞が成立した場合には、第１ＲＴ状態から第２ＲＴ状態というように第５ＲＴ状態側に１段階だけＲＴ状態が移行する構成とした。かかる構成とすることにより、待機ゲーム数が０でない状況において、遊技状態が第５ＲＴ状態に移行することを困難なものとすることが可能となる。この結果、昇格再遊技に当選となる確率を高く設定することが可能となり、待機ゲーム数が０となる前となった後とにおいて、第５ＲＴ状態に移行する確率を大きく変化させることが可能となる。
【０２０５】
通常遊技状態用抽選テーブル，第１ＲＴ状態用抽選テーブル〜第５ＲＴ状態用抽選テーブルの各抽選テーブルには、ベルと特殊ベルに共に当選となるよう当選役を設定した。そして、６通りの操作順序のうち２通りの操作順序でストップスイッチ４２〜４４が操作された場合には、ベル入賞が成立し、他の操作順序でストップスイッチ４２〜４４が操作された場合には、所定の操作タイミングで第２停止指令及び第３停止指令を発生させることができれば特殊ベル入賞が成立し、所定の操作タイミングで第２停止指令又は第３停止指令を発生させることができなければ移行出目が有効ライン上に停止し得る構成とした。かかる構成とすることにより、遊技者は、ベル入賞を成立させることができる操作順序以外の操作順序でストップスイッチ４２〜４４を操作してしまったとしても、特殊ベル入賞を成立させることができる操作タイミングで第２停止指令及び第３停止指令を発生させることにより、移行出目が有効ライン上に停止することを回避でき、報知フラグがクリアされる等によって遊技者に有利な状況が終了してしまうことを抑制することが可能となる。故に、遊技者に不利益が生じる機会を低減させることが可能となる。
【０２０６】
確かに、停止情報設定処理及び停止情報第２設定処理においてストップスイッチ４２〜４４の操作順序に関係なくベル入賞を成立させるための停止情報を設定すること、すなわちストップスイッチ４２〜４４の操作順序を報知する一方でストップスイッチ４２〜４４の操作順序と無関係にベル入賞を成立させる構成とすることも可能である。しかしながら、かかる構成とした場合には、遊技者に不利益が生じることを確実に回避できるものの、遊技者が報知された操作順序を気にすることなく漠然とストップスイッチ４２〜４４を操作する可能性が生じ、遊技が単調化することに繋がり得る。一方、ベル入賞を成立させることができない操作順序でストップスイッチ４２〜４４を操作してしまった場合に、所定の操作タイミングで第２停止指令及び第３停止指令を発生させることができれば遊技者に有利な状況が終了してしまうことを回避できる構成においては、仮に操作順序を誤ってしまったとしても第３停止指令を発生させるまで遊技者を遊技に積極参加させることが可能となり、遊技が単調化することを抑制することが可能となる。
【０２０７】
報知した操作順序でストップスイッチ４２〜４４が操作されなかった場合、主制御装置１０１及び表示制御装置８１が救済処理を行う構成とした。かかる構成とすることにより、遊技者が報知された操作順序と異なる操作順序で誤ってストップスイッチ４２〜４４を操作したとしても、報知フラグがクリアされる等によって遊技者に有利な状況が終了してしまうことを抑制することが可能となる。
【０２０８】
表示制御装置８１を、報知した操作順序でストップスイッチ４２〜４４が操作されなかった場合、操作順序の報知に代えて、入賞を成立させることができる特殊ベル図柄を報知する構成とした。かかる構成とすることにより、遊技者は、報知された操作順序を見落とした等の理由によって操作順序を誤ったとしても、新たに報知された特殊ベル図柄を狙ってストップスイッチを操作することにより、有効ライン上に移行出目が停止することを回避できる。
【０２０９】
主制御装置１０１を、第５ＲＴ状態下でベル入賞の成立するリールが最初に停止しなかった場合、リールが停止してから約５秒間が経過するまで停止指令を発生させるための操作を無効とする構成とした。かかる構成とすることにより、停止指令を発生させるための操作が無効とされたことを通じて、ベル入賞を成立させることができる操作順序と異なる操作順序でストップスイッチ４２〜４４を操作してしまったことを遊技者に気付かせることができる。また、第５ＲＴ状態でベル入賞を成立させることができる操作順序と異なる操作順序でストップスイッチ４２〜４４を操作した場合には、第５ＲＴ状態から第１ＲＴ状態に移行してしまう、すなわち遊技者に有利な状況が終了してしまう可能性が生じる。故に、停止指令を発生させるための操作が無効とされたことを通じて、遊技者に有利な状況が終了してしまう可能性が生じたことを遊技者に気付かせることができる。さらに、例えばベル入賞を成立させることができる操作順序が報知されている状況において、報知された操作順序と異なる操作順序で第１停止指令を発生させたことに気付くことなく第２停止指令まで発生させ、ベル入賞に加えて特殊ベル入賞の成立する余地も無くなってしまうことを回避することが可能となる。
【０２１０】
遊技状態が第５ＲＴ状態である場合に限って停止指令を発生させるための操作を無効とする構成とした。かかる構成とすることにより、遊技が間延びして遊技者が遊技意欲を減退させてしまうことを抑制することが可能となる。すなわち、停止指令を発生させるための操作を無効とした場合には、停止指令を発生させるための操作を無効としなかった場合と比して１ゲームに要する時間が長くなる。本スロットマシン１０では、特殊ベルに当選となる確率すなわちＩＶ＝８〜１９の際に当選となる確率が約３．３３分の１であるため、遊技状態に関わらず停止指令を発生させるための操作を無効とした場合、遊技者が速やかに第２停止指令を発生させることができないことに対して苛立ちを覚える可能性が考えられる。しかしながら、遊技状態が第５ＲＴ状態である場合に限って停止指令を発生させるための操作を無効とする構成においては、停止指令を発生させるための操作が無効とされる機会を低減させることができ、遊技が間延びして遊技者が遊技意欲を減退させてしまうことを抑制することが可能となる。さらにいうと、第５ＲＴ状態で有効ライン上に移行出目が停止した場合には第５ＲＴ状態が終了してしまうため、第５ＲＴ状態が終了してしまうことと、停止指令を発生させるための操作が無効とされて１ゲームに要する時間が長くなることと、を比較した場合、遊技者の被る不利益は前者の方が大きくなる。故に、第５ＲＴ状態では、停止指令を発生させるための操作を無効とした場合であっても、遊技が間延びすることで遊技者が遊技意欲を減退させてしまうことを回避することが可能となる。第５ＲＴ状態が終了する可能性を察知した遊技者は、遊技が間延びすることに対して苛立ちを覚えるよりも、第５ＲＴ状態の終了を回避することに集中するものと考えられるからである。
【０２１１】
なお、上述した実施の形態の記載内容に限定されず、例えば次のように実施してもよい。
【０２１２】
（１）上記実施の形態では、通常遊技状態から第５ＲＴ状態に移行する場合、第１ＲＴ状態〜第４ＲＴ状態の４つの遊技状態を介する構成としたが、少なくとも１つの遊技状態を介する構成であれば、その数は任意である。このとき、中継する遊技状態を少なくした場合には、報知フラグがセットされてから第５ＲＴ状態に移行するまでに要するゲーム数が多くなり、中継する遊技状態を多くした場合には、報知フラグがセットされてから第５ＲＴ状態に移行するまでに要するゲーム数が少なくなる。
【０２１３】
（２）上記実施の形態では、待機ゲーム数が０となった場合に報知フラグをセットし、ストップスイッチ４２〜４４の操作順序を報知する構成としたが、これに加えて、報知フラグがセットされていない状況の所定確率でストップスイッチ４２〜４４の操作順序を報知する構成としても良い。
【０２１４】
（３）上記実施の形態では、待機ゲーム数が０となった場合に報知フラグをセットする構成としたが、かかる構成に限定されるものではなく、所定条件が成立した場合に報知フラグをセットする構成としても良い。所定条件としては、例えばチェリー入賞が成立した場合やチェリーに当選した場合等が代表例として挙げられる。
【０２１５】
（４）上記実施の形態では、ＢＢ状態が終了したゲームにおいて待機ゲーム数抽選処理を行って報知フラグがセットされるまでのゲーム数を決定する構成としたが、これに加えて、ＢＢ状態下で所定入賞が成立した場合や所定図柄の組合せが有効ライン上に停止した場合に蓄積カウンタの値を加算する構成としても良い。
【０２１６】
（５）上記実施の形態では、有効ライン上に移行出目が停止した場合に第１ＲＴ状態に移行する構成としたが、ベル入賞が成立した場合に第１ＲＴ状態に移行する構成としても良いことは言うまでもない。但し、かかる構成とした場合には、報知フラグがセットされている状況において、成立させることが可能な特殊ベル入賞と、当該特殊ベル入賞を成立させることが可能なストップスイッチ４２〜４４の操作順序とを報知する必要がある。つまり、かかる構成とした場合、遊技者は、ストップスイッチ４２〜４４を報知された操作順序で操作するのみならず、所定の図柄を狙ってストップスイッチ４２〜４４を操作する必要がある。なお、再遊技入賞等の他の入賞が成立した場合に第１ＲＴ状態に移行する構成としても良いことは言うまでもない。
【０２１７】
（６）上記実施の形態では、左ストップスイッチ４２が最初に操作された場合に限って有効ライン上に移行出目が停止し得る構成としたが、これに代えて又は加えて、中ストップスイッチ４３や右ストップスイッチ４４が最初に操作された場合に有効ライン上に移行出目が停止し得る構成としても良い。
【０２１８】
（７）上記実施の形態では、報知された操作順序でストップスイッチ４２〜４４を操作した場合にベル入賞や昇格再遊技入賞が成立する構成としたが、操作順序を報知するのではなくストップスイッチ４２〜４４の操作タイミングを報知し、当該操作タイミングでストップスイッチ４２〜４４が操作された場合にベル入賞や昇格再遊技入賞が成立する構成としても良い。
【０２１９】
（８）上記実施の形態では、所定の操作順序でストップスイッチ４２〜４４が操作された場合に昇格再遊技入賞が成立し、他の操作順序でストップスイッチ４２〜４４が操作された場合に転落再遊技入賞が成立する構成、すなわち同一遊技回で昇格再遊技入賞と転落再遊技入賞のいずれもが成立し得る構成としたが、これに代えて又は加えて、１の遊技回で転落再遊技入賞又は昇格再遊技入賞の一方のみが成立し得る構成としても良い。なお、１の遊技回で転落再遊技入賞又は昇格再遊技入賞の一方が成立し得る構成とする場合には、所定の操作順序でストップスイッチ４２〜４４が操作されなかった場合に、遊技状態が移行しない再遊技入賞を成立させることが望ましい。
【０２２０】
（９）上記実施の形態では、１の遊技回において複数の再遊技に当選となったりベルと特殊ベルに当選となったりする構成、すなわち１の遊技回において複数の役に当選となる構成について説明したが、１の遊技回において１つの役にのみ当選となる構成であっても良い。かかる構成においては、入賞が成立した場合に第５ＲＴ状態側の遊技状態に移行し、入賞が成立しなかった場合に通常遊技状態に移行する構成とすれば、上記実施の形態と同様の作用効果を奏することが期待できる。
【０２２１】
（１０）上記実施の形態では、第１ＲＴ状態〜第４ＲＴ状態の各遊技状態において、第５ＲＴ状態側の遊技状態ほど昇格再遊技の当選確率が高い構成としたが、各遊技状態における昇格再遊技の当選確率が等しい構成としても良い。
【０２２２】
（１１）上記実施の形態では、転落再遊技入賞が成立した場合、そのときの遊技状態に関わらず通常遊技状態に移行する構成としたが、通常遊技状態側のＲＴ状態に移行する構成としても良い。例えば、第４ＲＴ状態下で転落再遊技入賞が成立した場合に、通常遊技状態ではなく第１ＲＴ状態〜第３ＲＴ状態のいずれかに移行する構成としても良い。すなわち、転落再遊技入賞が成立した場合に、そのときの遊技状態と比して第５ＲＴ状態に移行するまでに要するゲーム数の期待値が大きくなる遊技状態に移行させる構成としても良い。
【０２２３】
（１２）上記実施の形態では、昇格再遊技入賞が成立した場合、第１ＲＴ状態から第２ＲＴ状態というように第５ＲＴ状態側に１段階だけＲＴ状態が移行する構成としたが、第５ＲＴ状態側に２段階以上移行する構成としても良い。すなわち、昇格再遊技入賞が成立した場合に、そのときの遊技状態と比して第５ＲＴ状態に移行するまでに要するゲーム数の期待値が小さくなる遊技状態に移行させる構成であれば良い。
【０２２４】
（１３）上記実施の形態では、第１ＲＴ状態〜第４ＲＴ状態において、第５ＲＴ状態側のＲＴ状態への移行確率よりも通常遊技状態への移行確率や第１ＲＴ状態への移行確率の方が高い構成としたが、かかる構成に限定されるものではなく、第５ＲＴ状態側のＲＴ状態への移行確率の方が通常遊技状態への移行確率や第１ＲＴ状態への移行確率よりも高い構成としても良いし、第５ＲＴ状態側のＲＴ状態への移行確率と、通常遊技状態への移行確率と、第１ＲＴ状態への移行確率と、が全て等しい構成としても良い。また、第５ＲＴ状態側のＲＴ状態への移行確率が通常遊技状態への移行確率や第１ＲＴ状態への移行確率よりも高い一方、第５ＲＴ状態側のＲＴ状態への移行確率が通常遊技状態又は第１ＲＴ状態への移行確率よりも低い構成としても良い。
【０２２５】
（１４）上記実施の形態では、補助表示部６５にてストップスイッチ４２〜４４の操作順序を報知する構成としたが、かかる構成に限定されるものではなく、ストップスイッチ４２〜４４の操作順序を示唆する構成であれば良い。例えば、スピーカ６４から音声を出力して操作順序を報知する構成としても良いし、次に操作するストップスイッチのランプを他のストップスイッチと異なる発光色等で点灯表示することによって操作順序を示唆する構成としても良い。
【０２２６】
（１５）上記実施の形態では、報知フラグがセットされている場合、遊技状態が第１ＲＴ状態〜第４ＲＴ状態のいずれかであれば、ベル又は再遊技に当選した場合に必ずストップスイッチ４２〜４４の操作順序を報知する構成としたが、かかる構成に限定されるものではなく、報知フラグがセットされる前と比してストップスイッチ４２〜４４の操作順序を報知する頻度が高くなる構成であればよい。かかる構成とした場合であっても、報知フラグがセットされる前後において第５ＲＴ状態への移行確率を変化させることが可能となる。
【０２２７】
（１６）上記実施の形態では、６通りのストップスイッチ４２〜４４の操作順序のうち１通りの操作順序に昇格再遊技入賞を対応付け、他の５通りの操作順序に転落再遊技入賞を対応付ける構成としたが、昇格再遊技入賞を対応付ける数は任意である。したがって、例えば６通りのストップスイッチ４２〜４４の操作順序のうち２通りの操作順序に昇格再遊技入賞を対応付け、他の４通りの操作順序に転落再遊技入賞を対応付ける構成としても良いし、６通りのストップスイッチ４２〜４４の操作順序のうち４通りの操作順序に昇格再遊技入賞を対応付け、他の２通りの操作順序に転落再遊技入賞を対応付ける構成としても良い。
【０２２８】
（１７）上記実施の形態では、第１ＲＴ状態〜第４ＲＴ状態において昇格再遊技の入賞態様が遊技状態毎に異なる構成としたが、同じであっても良いことは言うまでもない。
【０２２９】
（１８）上記実施の形態では、第５ＲＴ状態側への遊技状態の移行契機として昇格再遊技入賞を割り当て、通常遊技状態への移行契機として転落再遊技入賞を割り当てる構成としたが、このように再遊技という同一の特典を付与する入賞に対して上記各移行契機を割り当てるのではなく異なる特典を付与する入賞に上記各移行契機を割り当てる構成としても良い。例えば、第５ＲＴ状態側への遊技状態の移行契機として昇格再遊技入賞を割り当て、通常遊技状態への移行契機としてスイカ入賞を割り当てる構成としても良い。なお、このように異なる特典を付与する入賞に対して各移行契機を割り当てる場合には、通常遊技状態に移行することとなる入賞が成立した場合に、第５ＲＴ状態側の遊技状態に移行することとなる入賞が成立した場合よりも多くメダル払出が行われる構成とすることが望ましい。第５ＲＴ状態が遠のいてしまったことで遊技者が遊技意欲を減退させてしまうことを所有するメダルを増加させることで緩和することが可能となるからである。
【０２３０】
（１９）上記実施の形態では、第４ＲＴ状態からのみ第５ＲＴ状態に移行する構成としたが、これに加えて通常遊技状態から第５ＲＴ状態に直接移行する場合がある構成としても良いし、第１ＲＴ状態〜第３ＲＴ状態から第５ＲＴ状態に直接移行する場合がある構成としても良い。これら構成とした場合であっても、第５ＲＴ状態に直接移行する確率が、他の遊技状態を経由して第５ＲＴ状態に移行する確率よりも低いのであれば、上記実施の形態と同様の作用効果を奏することは明らかである。
【０２３１】
（２０）上記実施の形態では、第１ＲＴ状態〜第５ＲＴ状態において、各種再遊技の当選確率に差異を設けることによって遊技者の有利度合いを変化させる構成としたが、これに加えて、ベル等の他の役の当選確率に差異を設けて遊技者の有利度合いを変化させる構成としても良い。
【０２３２】
（２１）上記実施の形態では、ベルと特殊ベルに当選となった場合、所定の操作順序でストップスイッチ４２〜４４を操作すればベル入賞が成立し、上記所定の操作順序でストップスイッチ４２〜４４を操作しなかった場合、所定の操作タイミングでストップスイッチ４２〜４４を操作すれば特殊ベル入賞が成立する構成、すなわち、所定の操作順序→所定の操作タイミングによって報知フラグがクリアされてしまうことを回避できる構成としたが、これに代えて又は加えて、以下のような構成としても良い。
【０２３３】
例えば、所定の操作順序→所定の操作順序によって報知フラグがクリアされてしまうことを回避できる構成とする。
【０２３４】
図３８は、かかる構成を実現する場合に用いる第５ＲＴ状態用抽選テーブルを示す図であり、図３９は、第５ＲＴ状態下でＩＶ＝２０〜２９の際に当選となった場合にセットされる当選フラグと、成立する入賞態様との対応関係を示す説明図である。なお、各役の入賞態様及び入賞成立時に付与される特典は、上記実施の形態と同じである。すなわち、第１再遊技入賞が成立した場合には、再遊技の特典が付与されるとともに遊技状態が通常遊技状態に移行し、第５再遊技入賞が成立した場合には、再遊技の特典が付与されるとともに遊技状態が第５ＲＴ状態に移行すなわち遊技状態が移行せず、第６再遊技入賞〜第９再遊技入賞が成立した場合には、再遊技の特典が付与されるとともに遊技状態が移行しない。
【０２３５】
ＩＶ＝２４の際に当選となった場合を例として説明する。報知フラグがセットされている状況でＩＶ＝２４の際に当選となった場合、表示制御装置８１は、第６再遊技入賞を成立させることができる「右ストップスイッチ４４→中ストップスイッチ４３→左ストップスイッチ４２」の操作順序を報知する。
【０２３６】
操作順序を報知しているにも関わらず左ストップスイッチ４２又は中ストップスイッチ４３が最初に操作された場合、主制御装置１０１及び表示制御装置８１は、上述した救済処理を行う。具体的に説明すると、主制御装置１０１は、約５秒間ストップスイッチ４２〜４４の操作を無効とし、表示制御装置８１は、第６再遊技入賞を成立させることができる操作順序に代えて第５再遊技入賞を成立させることができる操作順序を報知する。したがって遊技者は、新たに報知された操作順序に従って他のストップスイッチを操作することにより、第１再遊技入賞ではなく第５再遊技入賞を成立させることができ、報知フラグがクリアされてしまうことを回避できる。
【０２３７】
例えば、所定の操作タイミング→所定の操作タイミングによって報知フラグがクリアされてしまうことを回避できる構成とする。
【０２３８】
図４０は、かかる構成を実現する場合の入賞態様と付与される特典との関係を示す図であり、図４１は、通常遊技状態用抽選テーブルの一例を示す説明図である。なお、各リール３２Ｌ，３２Ｍ，３２Ｒの図柄配列については上記実施の形態と同じであり、第１ＲＴ状態用抽選テーブル〜第５ＲＴ状態用抽選テーブルのＩＶ＝１〜１８には、上記通常遊技状態用抽選テーブルと同一の当選役及びポイント値ＰＶが設定されている。
【０２３９】
本実施の形態では、上記実施の形態におけるベル及び第１特殊ベル〜第１２特殊ベルに代えて、第１赤ベル〜第８赤ベルと、第１青ベル〜第８青ベルと、第１白ベル〜第８白ベルと、の２４個の入賞態様が設定されている。
【０２４０】
左リール３２Ｌの「赤７」図柄と、中リール３２Ｍと右リール３２Ｒの「赤ベル」図柄又は「白ベル」図柄と、が有効ライン上に停止した場合には、第１赤ベル入賞〜第４赤ベル入賞のいずれかとして９枚のメダル払出が行われる。左リール３２Ｌの「赤７」図柄と、中リール３２Ｍ又は右リール３２Ｒの「リプレイ」図柄と、残り１つのリールの「赤ベル」図柄又は「白ベル」図柄と、が有効ライン上に停止した場合には、第５赤ベル入賞〜第８赤ベル入賞のいずれかとして９枚のメダル払出が行われる。第１青ベル〜第８青ベルは、左リール３２Ｌの図柄が「青７」図柄である点を除いて第１赤ベル〜第８赤ベルと同じであり、第１白ベル〜第８白ベルは、左リール３２Ｌの図柄が「白７」図柄である点を除いて第１赤ベル〜第８赤ベルと同じである。
【０２４１】
ＩＶ＝７の際に当選となった場合を例として説明する。ＩＶ＝７の際に当選となった場合には、第１赤ベル〜第４赤ベル，第１青ベル，第５青ベル，第７青ベル，第１白ベルに当選となる。
【０２４２】
報知フラグがセットされている状況でＩＶ＝７の際に当選となった場合、表示制御装置８１は、「左リール３２Ｌの「赤７」図柄を狙え！」という操作タイミングを報知する。
【０２４３】
左リール３２Ｌの図柄配列について改めて説明すると、図６に示すように、左リール３２Ｌには、「赤７」図柄が１５番と１７番の位置に配置されており、「青７」図柄が３番の位置に配置されており、「白７」図柄が１０番の位置に配置されている。かかる場合、１５番の「赤７」図柄と１７番の「赤７」図柄の間隔は１図柄であり、１７番の「赤７」図柄と３番の「青７」図柄の間隔は６図柄であり、３番の「青７」図柄と１０番の「白７」図柄の間隔は６図柄であり、１０番の「白７」図柄と１５番の「赤７」図柄の間隔は４図柄である。つまり、左リール３２Ｌには、「７」図柄同士の間隔が６図柄以下となるようにして「赤７」図柄，「青７」図柄，「白７」図柄が配置されている。このため、左ストップスイッチ４２が操作された場合には、その操作タイミングに関わらず上段又は下段にいずれかの「７」図柄を停止させることができる。
【０２４４】
左リール３２Ｌの「赤７」図柄を有効ライン上に停止させることができる操作タイミング、すなわち９番〜１７番のいずれかの図柄が下段に到達しているタイミングで左ストップスイッチ４２が最初に操作された場合には、左リール３２Ｌの「赤７」図柄を上段又は下段に停止させる。その後、中ストップスイッチ４３と右ストップスイッチ４４が操作された場合には、その操作順序及び操作タイミングに関わらず、「赤ベル」図柄又は「白ベル」図柄を有効ライン上に停止させ、第１赤ベル入賞〜第４赤ベル入賞のいずれかを成立させる。
【０２４５】
一方、「左リール３２Ｌの「赤７」図柄を狙え！」という操作タイミングを報知しているにも関わらず、「赤７」図柄を有効ライン上に停止させることができないタイミング、すなわち１８番〜８番のいずれかの図柄が下段に到達しているタイミングで左ストップスイッチ４２が最初に操作された場合には、左リール３２Ｌの「青７」図柄又は「白７」図柄を上段又は下段に停止させる。そして、主制御装置１０１及び表示制御装置８１は、上述した救済処理を行う。具体的に説明すると、主制御装置１０１は、約５秒間ストップスイッチ４２〜４４の操作を無効とし、表示制御装置８１は、「左リール３２Ｌの「赤７」図柄を狙え！」という操作タイミングに代えて、「中リール３２Ｍ及び右リール３２Ｒの「赤ベル」図柄を狙え！」という操作タイミングを報知する。中リール３２Ｍ及び右リール３２Ｒの「赤ベル」図柄を有効ライン上に停止させることが可能なタイミングで中ストップスイッチ４３及び右ストップスイッチ４４が操作された場合には、第１青ベル入賞又は第１白ベル入賞を成立させる。また特に、左リール３２Ｌの停止図柄が「青７」図柄であった場合には、中ストップスイッチ４３と右ストップスイッチ４４の一方が上記タイミングで操作されなかったとしても、第５青ベル入賞又は第７青ベル入賞を成立させる。左リール３２Ｌの停止図柄が「白７」図柄であって、「赤ベル」図柄を有効ライン上に停止させることが不可能なタイミングで中ストップスイッチ４３と右ストップスイッチ４４の少なくとも一方が操作された場合と、左リール３２Ｌの停止図柄が「青７」図柄であって、「赤ベル」図柄を有効ライン上に停止させることが不可能なタイミングで中ストップスイッチ４３と右ストップスイッチ４４が共に操作された場合と、には、取りこぼしを発生させ、報知フラグをクリアする。
【０２４６】
加えて、「左リール３２Ｌの「赤７」図柄を狙え！」という操作タイミングを報知しているにも関わらず、左ストップスイッチ４２ではなく中ストップスイッチ４３又は右ストップスイッチ４４が最初に操作された場合には、対応するリールの「リプレイ」図柄を有効ライン上に停止させる。そして、主制御装置１０１及び表示制御装置８１は、上述した救済処理を行う。具体的に説明すると、主制御装置１０１は、約５秒間ストップスイッチ４２〜４４の操作を無効とする。表示制御装置８１は、中ストップスイッチ４３が最初に操作された場合、「左リール３２Ｌの「赤７」図柄を狙え！」という操作タイミングに代えて、「左リール３２Ｌでは「青７」図柄、右リール３２Ｒでは「赤ベル」図柄を狙え！」という操作タイミングを報知し、右ストップスイッチ４４が最初に操作された場合、「左リール３２Ｌの「赤７」図柄を狙え！」という操作タイミングに代えて、「左リール３２Ｌでは「青７」図柄、中リール３２Ｍでは「赤ベル」図柄を狙え！」という操作タイミングを報知する。報知された各図柄を有効ライン上に停止させることが可能なタイミングで残り２つのストップスイッチが操作された場合には、第５青ベル入賞又は第７青ベル入賞を成立させる。報知された各図柄の少なくとも一方を有効ライン上に停止させることが不可能なタイミングで残り２つのストップスイッチの少なくとも一方が操作された場合には、取りこぼしを発生させ、報知フラグをクリアする。
【０２４７】
上記構成とした場合であっても、最初に報知された操作タイミングで左ストップスイッチ４２を操作できなかった、又は他のストップスイッチ４３，４４を操作してしまった場合に、次に報知された操作タイミングで残り２つのストップスイッチを操作することで報知フラグのクリアを回避することができ、上記実施の形態と同様の作用効果を奏することが期待できる。
【０２４８】
例えば、所定の操作タイミング→所定の操作順序によって報知フラグがクリアされてしまうことを回避できる構成とする。
【０２４９】
各リール３２Ｌ，３２Ｍ，３２Ｒの図柄配列については上記実施の形態と同じ図柄配列を有し、図４０に示す入賞態様と付与される特典との関係を備えた構成を例として説明する。
【０２５０】
かかる構成においては、図４１に示すＩＶ＝７〜１８の当選役を変更する。例えばＩＶ＝７には、当選役として、第１赤ベル〜第４赤ベルと、第１青ベル〜第４青ベルと、第１白ベル〜第４白ベルと、の全てを設定するとともに、第５青ベルと第７白ベルを設定する。
【０２５１】
報知フラグがセットされている状況でＩＶ＝７の際に当選となった場合、表示制御装置８１は、「左リール３２Ｌの「赤７」図柄を狙え！」という操作タイミングを報知する。
【０２５２】
左リール３２Ｌの「赤７」図柄を有効ライン上に停止させることができる操作タイミング、すなわち９番〜１７番のいずれかの図柄が下段に到達しているタイミングで左ストップスイッチ４２が最初に操作された場合には、左リール３２Ｌの「赤７」図柄を上段又は下段に停止させる。その後、中ストップスイッチ４３と右ストップスイッチ４４が操作された場合には、その操作順序及び操作タイミングに関わらず、「赤ベル」図柄又は「白ベル」図柄を有効ライン上に停止させ、第１赤ベル入賞〜第４赤ベル入賞のいずれかを成立させる。
【０２５３】
一方、「左リール３２Ｌの「赤７」図柄を狙え！」という操作タイミングを報知しているにも関わらず、「赤７」図柄を有効ライン上に停止させることができないタイミング、すなわち１８番〜８番のいずれかの図柄が下段に到達しているタイミングで左ストップスイッチ４２が最初に操作された場合には、左リール３２Ｌの「青７」図柄又は「白７」図柄を上段又は下段に停止させる。そして、主制御装置１０１及び表示制御装置８１は、上述した救済処理を行う。具体的に説明すると、主制御装置１０１は、約５秒間ストップスイッチ４２〜４４の操作を無効とし、表示制御装置８１は、「左リール３２Ｌの「赤７」図柄を狙え！」という操作タイミングに代えて、左リール３２Ｌの「青７」図柄が停止していれば「右リール３２Ｒを先に停止させろ！」という操作順序を報知し、左リール３２Ｌの「白７」図柄が停止していれば「中リール３２Ｍを先に停止させろ！」という操作順序を報知する。報知した操作順序で中ストップスイッチ４３及び右ストップスイッチ４４が操作された場合には、第１青ベル入賞〜第４青ベル入賞のいずれか、又は第１白ベル入賞〜第４白ベル入賞のいずれかを成立させる。報知した操作順序と逆の順序で中ストップスイッチ４３及び右ストップスイッチ４４が操作された場合には、いずれのベル入賞も成立させず、報知フラグをクリアする。
【０２５４】
「左リール３２Ｌの「赤７」図柄を狙え！」という操作タイミングを報知しているにも関わらず、左ストップスイッチ４２ではなく中ストップスイッチ４３又は右ストップスイッチ４４が最初に操作された場合については、上記所定の操作タイミング→所定の操作タイミングによって報知フラグがクリアされてしまうことを回避できる構成の場合と同じであるため、説明を省略する。
【０２５５】
上記構成とした場合であっても、最初に報知された操作タイミングで左ストップスイッチ４２を操作できなかった場合に、次に報知された操作順序で残り２つのストップスイッチを操作することで報知フラグのクリアを回避することができる。また、他のストップスイッチ４３，４４を操作してしまった場合には、次に報知された操作タイミングで残り２つのストップスイッチを操作することで報知フラグのクリアを回避することができる。故に、上記実施の形態と同様の作用効果を奏することが期待できる。
【０２５６】
（２２）上記実施の形態では、遊技状態が第５ＲＴ状態である場合に限ってストップスイッチ４２〜４４の操作を無効とする構成としたが、かかる構成に限定されるものではない。
【０２５７】
例えば、遊技状態に関わらずストップスイッチ４２〜４４の操作を無効とする構成とする。但し、かかる構成とした場合には、上述したとおり遊技が間延びしてしまう可能性が考えられる。
【０２５８】
例えば、報知フラグがセットされている場合にストップスイッチ４２〜４４の操作を無効とする構成とする。かかる構成とする場合には、表示制御装置８１から主制御装置１０１に対して報知フラグがセットされている状況であることを示すコマンドを送信する構成、又は、表示制御装置８１ではなく主制御装置１０１がストップスイッチ４２〜４４の操作順序の報知に関わる制御を行う構成とする必要がある。
【０２５９】
例えば、ＩＶ＝８〜１９の際に当選となったゲームで１０回連続してベル入賞が成立し、その後のゲームでベル入賞を成立させることができない操作順序でストップスイッチ４２〜４４が操作された場合、ストップスイッチ４２〜４４の操作を無効とする構成とする。
【０２６０】
（２３）上記実施の形態では、主制御装置１０１と表示制御装置８１が共に救済処理を行う構成としたが、主制御装置１０１と表示制御装置８１の一方のみが救済処理を行う構成としても良い。
【０２６１】
（２４）上記実施の形態では、ベル入賞成立時と特殊ベル入賞成立時とで共に９枚のメダル払出を行う構成、すなわちベル入賞成立時と特殊ベル入賞成立時とで付与する特典の有利度合いが等しい構成としたが、ベル入賞成立時の方が特殊ベル入賞成立時よりも付与する特典の有利度合いが大きくなる構成とした方が良い。すなわち、最初に報知した操作方法でストップスイッチ４２〜４４が操作された場合には、次に報知した操作方法でストップスイッチ４２〜４４が操作された場合よりも特典の有利度合いが大きくなる構成とした方が良い。いずれの報知に従ってストップスイッチ４２〜４４を操作したとしても付与される特典が等しい構成とした場合には、最初の報知内容に遊技者が注意を払わなくなる可能性が考えられ、遊技が単調化する可能性が考えられる。一方、最初に報知した操作方法でストップスイッチ４２〜４４が操作された場合、次に報知した操作方法でストップスイッチ４２〜４４が操作された場合よりも特典の有利度合いが大きくなる構成とした場合には、遊技者に最初の報知内容をしっかりと確認させた上でストップスイッチ４２〜４４を操作させることが可能となり、遊技が単調化することを抑制することが可能となる。
【０２６２】
具体的には、ベル入賞成立時には９枚のメダル払出を行う一方、特殊ベル入賞成立時には５枚しかメダル払出を行わない構成とする。
【０２６３】
（２５）上記実施の形態では、報知フラグがセットされている状況で有効ライン上に移行出目が停止した場合、そのときの遊技状態が第１ＲＴ状態〜第５ＲＴ状態のいずれかであれば報知フラグをクリアすることに加えて遊技状態を第１ＲＴ状態に移行させる構成としたが、かかる構成に限定されるものではない。例えば、報知フラグがセットされている状況で有効ライン上に移行出目が停止した場合、そのときの遊技状態が第１ＲＴ状態〜第５ＲＴ状態のいずれかであれば報知フラグのクリアのみを行う構成としても良いし、第１ＲＴ状態への移行のみを行う構成としても良い。また、報知フラグがセットされている第５ＲＴ状態下で有効ライン上に移行出目が停止した場合、報知フラグのクリアや第１ＲＴ状態への移行は行わないものの、報知回数カウンタの値を所定数（例えば５）減算する構成としても良い。このように、第１の操作方法及び第２の操作方法以外の操作方法でストップスイッチ４２〜４４が操作された場合に遊技者に不利な特典を付与する構成とすれば、上記実施の形態と同様の作用効果を奏することが期待できる。
【０２６４】
（２６）上記実施の形態では、遊技状態が第５ＲＴ状態である場合に限ってストップスイッチ４２〜４４の操作を無効とし得る構成としたが、遊技状態が第１ＲＴ状態〜第５ＲＴ状態のいずれかである場合にストップスイッチ４２〜４４の操作を無効とし得る構成とし、そのときの遊技状態によって無効とする時間を変化させる構成としても良い。例えば、第１ＲＴ状態下ではストップスイッチ４２〜４４の操作を１秒間無効とし、第２ＲＴ状態下ではストップスイッチ４２〜４４の操作を２秒間無効とし、第３ＲＴ状態下ではストップスイッチ４２〜４４の操作を３秒間無効とし、第４ＲＴ状態下ではストップスイッチ４２〜４４の操作を４秒間無効とし、第５ＲＴ状態下ではストップスイッチ４２〜４４の操作を５秒間無効とする構成とする。このように、ＲＴ状態が昇格するにつれてストップスイッチ４２〜４４の操作を無効とする時間が長くなる構成としても良い。かかる構成とした場合には、報知フラグがセットされていない状況においてストップスイッチ４２〜４４の操作が無効とされて遊技が間延びしてしまうことを低減することが可能となる。
【０２６５】
また、報知フラグがセットされていない状況において移行する可能性が比較的高い第１ＲＴ状態及び第２ＲＴ状態では、ストップスイッチ４２〜４４の操作を無効とせず、報知フラグがセットされていない状況において移行する可能性が低い第４ＲＴ状態及び第５ＲＴ状態では、ストップスイッチ４２〜４４の操作を無効とする構成としても良い。
【０２６６】
（２７）上記実施の形態において入賞成立となる各図柄の組合せは一例であり、これら図柄の組合せに限定されるものではない。また、入賞成立となる図柄の組合せの数も任意である。
【０２６７】
（２８）上記実施の形態では、ＢＢ状態を備えたスロットマシンについて説明したが、かかる構成に限定されるものではなく、ＢＢ状態を備えないスロットマシンであっても良いし、ＲＢ状態やＳＢ状態等の他の遊技状態を備えたスロットマシンであっても良い。
【０２６８】
（２９）上記実施の形態では、メダルが３枚ベットされた後に開始指令が発生したか否かを判定する構成としたが、１枚ベットされた後や２枚ベットされた後にも開始指令が発生したか否かを判定する構成としてもよいことは言うまでもない。
【０２６９】
（３０）上記実施の形態では、付与される特典として、遊技状態が移行する特典と、再遊技の特典の他に、メダルを払い出す特典を備える構成としたが、かかる構成に限定されるものではなく、遊技者に何らかの特典が付与される構成であればよい。例えば、メダルを払い出す特典に代えてメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０２７０】
（３１）上記実施の形態では、リールを３つ並列して備え、有効ラインとして４ラインを有するスロットマシンについて説明したが、かかる構成に限定されるものではなく、例えばリールを５つ並列して備えたスロットマシンや、有効ラインを７ライン有するスロットマシンであってもよい。
【０２７１】
（３２）上記実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２７２】
以下、本発明の遊技機を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２７３】
遊技機１．複数種の絵柄（図柄）を循環表示させる複数の循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を個別に停止させるべく操作される複数の停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
前記役の抽選結果が所定結果(ＩＶ＝８〜１９の際に当選)である場合、前記各停止操作手段に第１所定操作（ベル入賞を成立させることができるストップスイッチ４２〜４４の操作）がなされれば前記有効位置に第１所定停止出目（ベル図柄の組合せ）を停止させるべく前記各循環表示手段を停止制御し、前記各停止操作手段に第２所定操作（特殊ベル入賞を成立させることができるストップスイッチ４２〜４４の操作）がなされれば前記有効位置に第２所定停止出目（特殊ベル図柄の組合せ）を停止させるべく前記各循環表示手段を停止制御し、前記各停止操作手段に前記第１所定操作及び前記第２所定操作以外の操作がなされれば前記有効位置に第３所定停止出目（移行出目）を停止させるべく前記各循環表示手段を停止制御する停止制御手段（主制御装置１０１の停止情報設定処理機能Ｓ３１０及びリール制御処理機能Ｓ２１０）と、
前記役の抽選結果が前記所定結果であることに基づいて、前記第１所定操作と対応する第１報知（ベル入賞を成立させることができる操作順序の報知）を実行する第１報知実行手段（表示制御装置８１の操作順序報知機能Ｓ８０８）と、
前記役の抽選結果が前記所定結果であることに基づいて、前記第１所定操作がなされたか否かを判定する操作判定手段（主制御装置１０１の停止リール確認機能Ｓ１３０４及び表示制御装置８１の停止操作確認機能Ｓ１４０４）と、
前記第１報知実行手段が前記第１報知を実行するとともに、前記操作判定手段が前記第１所定操作がなされなかったと判定したことに基づいて、前記第２所定操作と対応する第２報知（特殊ベル図柄の報知）を実行する第２報知実行手段（表示制御装置８１の特殊ベル図柄報知機能Ｓ８０８）と、
前記第３所定停止出目が前記有効位置に停止したことに基づいて、前記第１所定停止出目及び前記第２所定停止出目が前記有効位置に停止した場合よりも遊技者に不利な不利特典（報知フラグのクリア、第１ＲＴ状態への移行）を付与する不利特典付与手段（表示制御装置８１の報知フラグクリア機能Ｓ１０１０、主制御装置１０１の第１ＲＴ状態移行処理機能Ｓ５０３）と
を備えたことを特徴とする遊技機。
【０２７４】
本遊技機によれば、役の抽選結果が所定結果となった場合、第１所定操作で各停止操作手段を操作すると有効位置に第１所定停止出目が停止し、第２所定操作で各停止操作手段を操作すると有効位置に第２所定停止出目が停止し、第１所定操作及び第２所定操作以外の操作で各停止操作手段を操作すると有効位置に第３所定停止出目が停止する。そして、第３所定停止出目が有効位置に停止したことに基づいて、第１所定停止出目及び第２所定停止出目が有効位置に停止した場合よりも遊技者に不利な不利特典が付与される場合がある。かかる構成とすることにより、遊技者は、第１報知を見落とした等の理由によって第１所定操作を行わなかった場合に、第２所定操作を行うことで不利特典が付与されることを回避できる。また、第１報知を実行している状況において第１所定操作がなされなかったと操作判定手段が判定したことに基づいて、第２所定操作と対応する第２報知を実行する構成としたため、遊技者に第２所定操作を行うよう促すことができる。
【０２７５】
以上の結果、遊技者が不利益を被ることを抑制することが可能となる。
【０２７６】
遊技機２．上記遊技機１において、前記第１所定操作とは、前記各停止操作手段のうち少なくとも１つを予め定めた操作順序で操作することであり、前記第２所定操作とは、前記各停止操作手段のうち少なくとも１つを予め定めた操作タイミングで操作することであることを特徴とする遊技機。
【０２７７】
本遊技機によれば、第１所定操作とは、各停止操作手段のうち少なくとも１つを予め定めた操作順序で操作することであり、第２所定操作とは、各停止操作手段のうち少なくとも１つを予め定めた操作タイミングで操作することである。かかる構成とすることにより、停止操作手段の少なくとも１つを誤った操作順序で操作してしまった場合であっても、停止操作手段のうち少なくとも１つを予め定めた操作タイミングで操作することによって不利特典が付与されることを回避できる。
【０２７８】
遊技機３．上記遊技機１において、前記第１所定操作とは、前記各停止操作手段のうち少なくとも１つを予め定めた操作順序で操作することであり、前記第２所定操作とは、前記各停止操作手段のうち少なくとも１つを前記第１所定操作と異なる予め定めた操作順序で操作することであることを特徴とする遊技機。
【０２７９】
本遊技機によれば、第１所定操作とは、各停止操作手段のうち少なくとも１つを予め定めた操作順序で操作することであり、第２所定操作とは、各停止操作手段のうち少なくとも１つを第１所定操作と異なる予め定めた操作順序で操作することである。かかる構成とすることにより、停止操作手段の少なくとも１つを誤った操作順序で操作してしまった場合であっても、停止操作手段のうち少なくとも１つを第２所定操作となる操作順序で操作することによって不利特典が付与されることを回避できる。
【０２８０】
遊技機４．上記遊技機２又は遊技機３において、前記停止操作手段が前記循環表示手段の停止制御を行う際に用いる停止情報を設定する停止情報設定手段（主制御装置１０１の停止情報設定処理機能Ｓ３１０）を備え、前記停止情報設定手段は、前記停止操作手段のいずれも操作されていない場合、前記第１所定操作において最初に操作されるべき停止操作手段と対応する循環表示手段の停止情報として、前記第１所定停止出目を形成する第１所定絵柄が前記有効位置に停止する停止情報を設定し、他の循環表示手段の停止情報として、前記第２所定停止出目を形成する第２所定絵柄が前記有効位置に停止する停止情報を設定することを特徴とする遊技機。
【０２８１】
本遊技機によれば、停止操作手段のいずれも操作されていない場合、第１所定操作において最初に操作されるべき停止操作手段と対応する循環表示手段の停止情報として、第１所定停止出目を形成する第１所定絵柄が有効位置に停止する停止情報を設定し、他の循環表示手段の停止情報として、第２所定停止出目を形成する第２所定絵柄が有効位置に停止する停止情報を設定する。かかる構成とすることにより、停止操作手段のいずれが最初に操作された場合であっても、第１所定停止出目又は第２所定停止出目が有効位置に停止する余地を残すことが可能となる。
【０２８２】
遊技機５．上記遊技機３において、前記循環表示手段のいずれかが前記絵柄の循環表示を停止させたことに基づいて、前記停止情報を変更する停止情報変更手段（主制御装置１０１の停止情報第２設定処理機能Ｓ４１１）を備えたことを特徴とする遊技機。
【０２８３】
本遊技機によれば、循環表示手段のいずれかが絵柄の循環表示を停止させたことに基づいて停止情報が変更される。かかる構成とすることにより、各停止操作手段に第１所定操作がなされた場合には、第１所定停止出目を有効位置に停止させることができ、各停止操作手段に第２所定操作がなされた場合には、第２所定停止出目を有効位置に停止させることができる。
【０２８４】
遊技機６．上記遊技機１において、前記第１所定操作とは、前記各停止操作手段のうち少なくとも１つを予め定めた操作タイミングで操作することであり、前記第２所定操作とは、前記各停止操作手段のうち少なくとも１つを予め定めた操作順序で操作することであることを特徴とする遊技機。
【０２８５】
本遊技機によれば、第１所定操作とは、各停止操作手段のうち少なくとも１つを予め定めた操作タイミングで操作することであり、第２所定操作とは、各停止操作手段のうち少なくとも１つを予め定めた操作順序で操作することである。かかる構成とすることにより、停止操作手段の少なくとも１つを誤った操作タイミングで操作してしまった場合であっても、停止操作手段のうち少なくとも１つを予め定めた操作順序で操作することによって不利特典が付与されることを回避できる。
【０２８６】
遊技機７．上記遊技機１において、前記第１所定操作とは、前記各停止操作手段のうち少なくとも１つを予め定めた操作タイミングで操作することであり、前記第２所定操作とは、前記各停止操作手段のうち少なくとも１つを前記第１所定操作と異なる予め定めた操作タイミングで操作することであることを特徴とする遊技機。
【０２８７】
本遊技機によれば、第１所定操作とは、各停止操作手段のうち少なくとも１つを予め定めた操作タイミングで操作することであり、第２所定操作とは、各停止操作手段のうち少なくとも１つを第１所定操作と異なる予め定めた操作タイミングで操作することである。かかる構成とすることにより、停止操作手段の少なくとも１つを誤った操作タイミングで操作してしまった場合であっても、停止操作手段のうち少なくとも１つを第２所定操作となる操作タイミングで操作することによって不利特典が付与されることを回避できる。
【０２８８】
遊技機８．上記遊技機６又は遊技機７において、前記停止操作手段が前記循環表示手段の停止制御を行う際に用いる停止情報を設定する停止情報設定手段（主制御装置１０１の停止情報設定処理機能Ｓ３１０）を備え、前記停止情報設定手段は、前記停止操作手段のいずれも操作されていない場合、前記第１所定操作において前記予め定めた操作タイミングで操作されるべき停止操作手段と対応する循環表示手段の停止情報として、前記予め定めた操作タイミングで対応する停止操作手段が操作されれば前記第１所定停止出目を形成する第１所定絵柄が前記有効位置に停止し、前記予め定めた操作タイミングで対応する停止操作手段が操作されなければ前記第２所定停止出目を形成する第２所定絵柄が前記有効位置に停止する停止情報を設定し、他の循環表示手段の停止情報として、前記第２所定停止出目を形成する第２所定絵柄が前記有効位置に停止する停止情報を設定することを特徴とする遊技機。
【０２８９】
本遊技機によれば、停止操作手段のいずれも操作されていない場合、第１所定操作において予め定めた操作タイミングで操作されるべき停止操作手段と対応する循環表示手段の停止情報として、予め定めた操作タイミングで対応する停止操作手段が操作されれば第１所定停止出目を形成する第１所定絵柄が有効位置に停止し、予め定めた操作タイミングで対応する停止操作手段が操作されなければ第２所定停止出目を形成する第２所定絵柄が有効位置に停止する停止情報を設定し、他の循環表示手段の停止情報として、第２所定停止出目を形成する第２所定絵柄が有効位置に停止する停止情報を設定する。かかる構成とすることにより、停止操作手段のいずれが最初に操作された場合であっても、第１所定停止出目又は第２所定停止出目が有効位置に停止する余地を残すことが可能となる。
【０２９０】
遊技機９．上記遊技機８において、前記循環表示手段のいずれかが前記絵柄の循環表示を停止させたことに基づいて、前記停止情報を変更する停止情報変更手段（主制御装置１０１の停止情報第２設定処理機能Ｓ４１１）を備えたことを特徴とする遊技機。
【０２９１】
本遊技機によれば、循環表示手段のいずれかが絵柄の循環表示を停止させたことに基づいて停止情報が変更される。かかる構成とすることにより、各停止操作手段に第１所定操作がなされた場合には、第１所定停止出目を有効位置に停止させることができ、各停止操作手段に第２所定操作がなされた場合には、第２所定停止出目を有効位置に停止させることができる。
【０２９２】
遊技機１０．上記遊技機１乃至遊技機９のいずれかにおいて、前記所定結果とは、前記第１所定停止出目と対応する第１役（ベル）と、前記第２所定停止出目と対応する第２役（特殊ベル）と、に共に当選となる結果であることを特徴とする遊技機。
【０２９３】
本遊技機によれば、役の抽選結果が所定結果となった場合、第１役と第２役に共に当選となる。そして、停止制御手段は、各停止操作手段に第１所定操作がなされれば有効位置に第１所定停止出目を停止させるべく各循環表示手段を停止制御し、各停止操作手段に第２所定操作がなされれば有効位置に第２所定停止出目を停止させるべく各循環表示手段を停止制御する。かかる構成とすることにより、各停止操作手段に第１所定操作と第２所定操作のいずれがなされた場合であっても、当選役と対応する入賞を成立させるべく各循環表示手段を停止制御することができる。この結果、遊技者が各停止操作手段に第１所定操作ではなく第２所定操作を行った場合であっても、遊技者が不利益を被ることを抑制することが可能となる。
【０２９４】
遊技機１１．上記遊技機１乃至遊技機１０のいずれかにおいて、前記第１所定停止出目が前記有効位置に停止した場合、第１所定特典を付与する第１所定特典付与手段と、前記第２所定停止出目が前記有効位置に停止した場合、第２所定特典を付与する第２所定特典付与手段と、を備え、前記第１所定特典は、前記第２所定特典よりも遊技者の有利度合いが大きいことを特徴とする遊技機。
【０２９５】
本遊技機によれば、第１所定停止出目が有効位置に停止した場合、第２所定停止出目が有効位置に停止した場合よりも遊技者に有利な特典が付与される。かかる構成とすることにより、第１報知を実行した場合に、遊技者に当該第１報知をしっかりと確認させた上で各停止操作手段を操作させることが可能となる。
【０２９６】
遊技機１２．上記遊技機１乃至遊技機１１のいずれかにおいて、前記役の抽選結果が前記所定結果である場合に前記第１報知実行手段が前記第１報知を実行する確率の高い報知高確率モード（報知フラグがセットされている状況における第１ＲＴ状態〜第５ＲＴ状態）と、前記報知高確率モードよりも前記第１報知実行手段が前記第１報知を実行する確率の低い報知低確率モード（報知フラグがセットされていない状況における各遊技状態）と、を少なくとも備え、前記不利特典付与手段は、前記報知高確率モード下で前記第３所定停止出目が前記有効位置に停止した場合、前記不利特典として前記報知高確率モードから前記報知低確率モードに移行させる特典を付与することを特徴とする遊技機。
【０２９７】
本遊技機によれば、報知高確率モード下で第３所定停止出目が有効位置に停止した場合、報知高確率モードから報知低確率モードに移行する。本構成に上記遊技機１乃至遊技機１１のいずれかの構成を適用することにより、遊技者は、第１報知を見落とした等の理由によって第１所定操作を行わなかった場合に、第２所定操作を行うことで報知高確率モードが終了してしまうことを回避できる。故に、遊技者が不利益を被ることを抑制することが可能となる。
【０２９８】
遊技機１３．上記遊技機１乃至遊技機１２のいずれかにおいて、前記操作判定手段が前記第１所定操作がなされなかったと判定したことに基づいて、所定時間が経過するまで他の停止操作手段の操作を無効とする無効化手段（主制御装置１０１の操作無効処理機能Ｓ１３０５〜Ｓ１３０８）を備えたことを特徴とする遊技機。
【０２９９】
本遊技機によれば、操作判定手段が第１所定操作がなされなかったと判定したことに基づいて、所定時間が経過するまで他の停止操作手段の操作が無効とされる。かかる構成とすることにより、他の停止操作手段の操作が無効とされたことを通じて、第１所定操作と異なる操作を行ったことを遊技者に把握させることが可能となる。また、第１所定操作と異なる操作を行ってしまった場合に、第１所定操作のみならず第２所定操作とも異なる操作を他の停止操作手段に行ってしまうことを抑制することが可能となる。
【０３００】
遊技機１４．上記遊技機１３において、遊技者に有利な特定遊技状態（第５ＲＴ状態）を含む複数の遊技状態を備えるとともに、遊技状態を判定する遊技状態判定手段（主制御装置１０１の停止リール把握処理における遊技状態判定処理機能Ｓ１３０１）を備え、前記無効化手段は、前記遊技状態判定手段の判定結果に基づいて、所定時間が経過するまで他の停止操作手段の操作を無効とすることを特徴とする遊技機。
【０３０１】
本遊技機によれば、第１所定操作と異なる操作を行った場合、遊技状態の判定結果に基づいて、所定時間が経過するまで他の停止操作手段の操作が無効とされる。所定時間が経過するまで他の停止操作手段の操作を無効とした場合には、前記事象を発生させなかった場合と比して１遊技回を終了させるまでに要する時間が長くなる。このため、前記事象を繰り返し発生させた場合、遊技者によっては遊技が間延びすることで遊技意欲を減退させてしまう可能性が考えられる。しかしながら、遊技状態の判定結果に基づいて他の停止操作手段の操作を無効とするか否かを決定する構成においては、前記事象の発生頻度を低減させることが可能となり、遊技者が遊技意欲を減退させてしまうことを抑制することが可能となる。
【０３０２】
遊技機１５．上記遊技機１４において、前記不利特典付与手段は、遊技状態が前記特定遊技状態である場合、前記不利特典として前記特定遊技状態よりも遊技者に不利な不利遊技状態（第１ＲＴ状態）に移行させる特典を付与し、前記無効化手段は、前記遊技状態判定手段が前記特定遊技状態であると判定した場合、所定時間が経過するまで他の停止操作手段の操作を無効とすることを特徴とする遊技機。
【０３０３】
本遊技機によれば、特定遊技状態下で有効位置に第３所定停止出目が停止した場合、特定遊技状態よりも遊技者に不利な不利遊技状態に移行する。かかる構成において、特定遊技状態下で第１所定操作と異なる操作が行われた場合に所定時間が経過するまで他の停止操作手段の操作を無効とする構成とすることにより、遊技者が不利益を被る可能性が生じたことを、他の停止操作手段の操作が無効となったことを通じて遊技者に報知することが可能となる。さらにいうと、かかる構成においては、特定遊技状態下で有効位置に第３所定停止出目が停止して不利遊技状態に移行することと、他の停止操作手段の操作が無効とされた結果として１遊技回を終了させるまでに要する時間が長くなることと、を比較した場合、遊技者の被る不利益は前者の方が大きくなる。故に、所定時間が経過するまで他の停止操作手段の操作を無効とした場合であっても、遊技が間延びすることで遊技者が遊技意欲を減退させてしまうことを回避することが可能となる。
【０３０４】
遊技機１６．複数種の絵柄（図柄）を循環表示させる複数の循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を個別に停止させるべく操作される複数の停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
前記役の抽選結果が所定結果(ＩＶ＝８〜１９の際に当選)である場合、前記各停止操作手段に第１所定操作（ベル入賞を成立させることができるストップスイッチ４２〜４４の操作）がなされれば前記有効位置に第１所定停止出目（ベル図柄の組合せ）を停止させるべく前記各循環表示手段を停止制御し、前記各停止操作手段に第２所定操作（特殊ベル入賞を成立させることができるストップスイッチ４２〜４４の操作）がなされれば前記有効位置に第２所定停止出目（特殊ベル図柄の組合せ）を停止させるべく前記各循環表示手段を停止制御し、前記各停止操作手段に前記第１所定操作及び前記第２所定操作以外の操作がなされれば前記有効位置に第３所定停止出目（移行出目）を停止させるべく前記各循環表示手段を停止制御する停止制御手段（主制御装置１０１の停止情報設定処理機能Ｓ３１０及びリール制御処理機能Ｓ２１０）と、
前記第３所定停止出目が前記有効位置に停止したことに基づいて、前記第１所定停止出目及び前記第２所定停止出目が前記有効位置に停止した場合よりも遊技者に不利な不利特典（報知フラグのクリア、第１ＲＴ状態への移行）を付与する不利特典付与手段（表示制御装置８１の報知フラグクリア機能Ｓ１０１０、主制御装置１０１の第１ＲＴ状態移行処理機能Ｓ５０３）と、
前記役の抽選結果が前記所定結果であることに基づいて、前記各停止操作手段のいずれかが操作された場合に、前記第１所定操作と対応する操作がなされたか否かを判定する操作判定手段（主制御装置１０１の停止リール確認機能Ｓ１３０４）と、
前記操作判定手段が前記第１所定操作と対応する操作がなされなかったと判定したことに基づいて、所定時間が経過するまで他の停止操作手段の操作を無効とする無効化手段（主制御装置１０１の操作無効処理機能Ｓ１３０５〜Ｓ１３０８）と
を備えたことを特徴とする遊技機。
【０３０５】
本遊技機によれば、役の抽選結果が所定結果となった場合、第１所定操作で各停止操作手段を操作すると有効位置に第１所定停止出目が停止し、第２所定操作で各停止操作手段を操作すると有効位置に第２所定停止出目が停止し、第１所定操作及び第２所定操作以外の操作で各停止操作手段を操作すると有効位置に第３所定停止出目が停止する。そして、第３所定停止出目が有効位置に停止したことに基づいて、第１所定停止出目及び第２所定停止出目が有効位置に停止した場合よりも遊技者に不利な不利特典が付与される場合がある。かかる構成とすることにより、遊技者は、第１所定操作を行わなかった場合に、第２所定操作を行うことで不利特典が付与されることを回避できる。
【０３０６】
また、操作判定手段が第１所定操作と対応する操作がなされなかったと判定したことに基づいて、所定時間が経過するまで他の停止操作手段の操作が無効とされる。かかる構成とすることにより、他の停止操作手段の操作が無効とされたことを通じて、第１所定操作と異なる操作を行ったことを遊技者に把握させることが可能となる。また、第１所定操作と異なる操作を行ってしまった場合に、第１所定操作のみならず第２所定操作とも異なる操作を他の停止操作手段に行ってしまうことを抑制することが可能となる。
【０３０７】
以上の結果、遊技者が不利益を被ることを抑制することが可能となる。
【０３０８】
遊技機１７．上記遊技機１６において、遊技者に有利な特定遊技状態（第５ＲＴ状態）を含む複数の遊技状態を備えるとともに、遊技状態を判定する遊技状態判定手段（主制御装置１０１の停止リール把握処理における遊技状態判定処理機能Ｓ１３０１）を備え、前記無効化手段は、前記遊技状態判定手段の判定結果に基づいて、所定時間が経過するまで他の停止操作手段の操作を無効とすることを特徴とする遊技機。
【０３０９】
本遊技機によれば、第１所定操作と異なる操作を行った場合、遊技状態の判定結果に基づいて、所定時間が経過するまで他の停止操作手段の操作が無効とされる。所定時間が経過するまで他の停止操作手段の操作を無効とした場合には、前記事象を発生させなかった場合と比して１遊技回を終了させるまでに要する時間が長くなる。このため、前記事象を繰り返し発生させた場合、遊技者によっては遊技が間延びすることで遊技意欲を減退させてしまう可能性が考えられる。しかしながら、遊技状態の判定結果に基づいて他の停止操作手段の操作を無効とするか否かを決定する構成においては、前記事象の発生頻度を低減させることが可能となり、遊技者が遊技意欲を減退させてしまうことを抑制することが可能となる。
【０３１０】
遊技機１８．上記遊技機１７において、前記不利特典付与手段は、遊技状態が前記特定遊技状態である場合、前記不利特典として前記特定遊技状態よりも遊技者に不利な不利遊技状態（第１ＲＴ状態）に移行させる特典を付与し、前記無効化手段は、前記遊技状態判定手段が前記特定遊技状態であると判定した場合、所定時間が経過するまで他の停止操作手段の操作を無効とすることを特徴とする遊技機。
【０３１１】
本遊技機によれば、特定遊技状態下で有効位置に第３所定停止出目が停止した場合、特定遊技状態よりも遊技者に不利な不利遊技状態に移行する。かかる構成において、特定遊技状態下で第１所定操作と異なる操作が行われた場合に所定時間が経過するまで他の停止操作手段の操作を無効とする構成とすることにより、遊技者が不利益を被る可能性が生じたことを、他の停止操作手段の操作が無効となったことを通じて遊技者に報知することが可能となる。さらにいうと、かかる構成においては、特定遊技状態下で有効位置に第３所定停止出目が停止して不利遊技状態に移行することと、他の停止操作手段の操作が無効とされた結果として１遊技回を終了させるまでに要する時間が長くなることと、を比較した場合、遊技者の被る不利益は前者の方が大きくなる。故に、所定時間が経過するまで他の停止操作手段の操作を無効とした場合であっても、遊技が間延びすることで遊技者が遊技意欲を減退させてしまうことを回避することが可能となる。
【０３１２】
遊技機１９．上記遊技機１６乃至遊技機１８のいずれかにおいて、前記役の抽選結果が前記所定結果であることに基づいて、前記第１所定操作と対応する第１報知（ベル入賞を成立させることができる操作順序の報知）を実行する第１報知実行手段（表示制御装置８１の操作順序報知機能Ｓ８０８）と、前記第１報知実行手段が前記第１報知を実行するとともに、前記操作判定手段が前記第１所定操作がなされなかったと判定したことに基づいて、前記第２所定操作と対応する第２報知（特殊ベル図柄の報知）を実行する第２報知実行手段（表示制御装置８１の特殊ベル図柄報知機能Ｓ８０８）と、を備えたことを特徴とする遊技機。
【０３１３】
本遊技機によれば、第１報知を実行している状況において第１所定操作がなされなかったと操作判定手段が判定したことに基づいて、第２所定操作と対応する第２報知を実行する構成としたため、遊技者に第２所定操作を行うよう促すことができる。
【０３１４】
遊技機２０．上記遊技機１９において、前記第１所定操作とは、前記各停止操作手段のうち少なくとも１つを予め定めた操作順序で操作することであり、前記第２所定操作とは、前記各停止操作手段のうち少なくとも１つを予め定めた操作タイミングで操作することであることを特徴とする遊技機。
【０３１５】
本遊技機によれば、第１所定操作とは、各停止操作手段のうち少なくとも１つを予め定めた操作順序で操作することであり、第２所定操作とは、各停止操作手段のうち少なくとも１つを予め定めた操作タイミングで操作することである。かかる構成とすることにより、停止操作手段の少なくとも１つを誤った操作順序で操作してしまった場合であっても、停止操作手段のうち少なくとも１つを予め定めた操作タイミングで操作することによって不利特典が付与されることを回避できる。
【０３１６】
遊技機２１．上記遊技機１９において、前記第１所定操作とは、前記各停止操作手段のうち少なくとも１つを予め定めた操作順序で操作することであり、前記第２所定操作とは、前記各停止操作手段のうち少なくとも１つを前記第１所定操作と異なる予め定めた操作順序で操作することであることを特徴とする遊技機。
【０３１７】
本遊技機によれば、第１所定操作とは、各停止操作手段のうち少なくとも１つを予め定めた操作順序で操作することであり、第２所定操作とは、各停止操作手段のうち少なくとも１つを第１所定操作と異なる予め定めた操作順序で操作することである。かかる構成とすることにより、停止操作手段の少なくとも１つを誤った操作順序で操作してしまった場合であっても、停止操作手段のうち少なくとも１つを第２所定操作となる操作順序で操作することによって不利特典が付与されることを回避できる。
【０３１８】
遊技機２２．上記遊技機２０又は遊技機２１において、前記停止操作手段が前記循環表示手段の停止制御を行う際に用いる停止情報を設定する停止情報設定手段（主制御装置１０１の停止情報設定処理機能Ｓ３１０）を備え、前記停止情報設定手段は、前記停止操作手段のいずれも操作されていない場合、前記第１所定操作において最初に操作されるべき停止操作手段と対応する循環表示手段の停止情報として、前記第１所定停止出目を形成する第１所定絵柄が前記有効位置に停止する停止情報を設定し、他の循環表示手段の停止情報として、前記第２所定停止出目を形成する第２所定絵柄が前記有効位置に停止する停止情報を設定することを特徴とする遊技機。
【０３１９】
本遊技機によれば、停止操作手段のいずれも操作されていない場合、第１所定操作において最初に操作されるべき停止操作手段と対応する循環表示手段の停止情報として、第１所定停止出目を形成する第１所定絵柄が有効位置に停止する停止情報を設定し、他の循環表示手段の停止情報として、第２所定停止出目を形成する第２所定絵柄が有効位置に停止する停止情報を設定する。かかる構成とすることにより、停止操作手段のいずれが最初に操作された場合であっても、第１所定停止出目又は第２所定停止出目が有効位置に停止する余地を残すことが可能となる。
【０３２０】
遊技機２３．上記遊技機２２において、前記循環表示手段のいずれかが前記絵柄の循環表示を停止させたことに基づいて、前記停止情報を変更する停止情報変更手段（主制御装置１０１の停止情報第２設定処理機能Ｓ４１１）を備えたことを特徴とする遊技機。
【０３２１】
本遊技機によれば、循環表示手段のいずれかが絵柄の循環表示を停止させたことに基づいて停止情報が変更される。かかる構成とすることにより、各停止操作手段に第１所定操作がなされた場合には、第１所定停止出目を有効位置に停止させることができ、各停止操作手段に第２所定操作がなされた場合には、第２所定停止出目を有効位置に停止させることができる。
【０３２２】
遊技機２４．上記遊技機１９において、前記第１所定操作とは、前記各停止操作手段のうち少なくとも１つを予め定めた操作タイミングで操作することであり、前記第２所定操作とは、前記各停止操作手段のうち少なくとも１つを予め定めた操作順序で操作することであることを特徴とする遊技機。
【０３２３】
本遊技機によれば、第１所定操作とは、各停止操作手段のうち少なくとも１つを予め定めた操作タイミングで操作することであり、第２所定操作とは、各停止操作手段のうち少なくとも１つを予め定めた操作順序で操作することである。かかる構成とすることにより、停止操作手段の少なくとも１つを誤った操作タイミングで操作してしまった場合であっても、停止操作手段のうち少なくとも１つを予め定めた操作順序で操作することによって不利特典が付与されることを回避できる。
【０３２４】
遊技機２５．上記遊技機１９において、前記第１所定操作とは、前記各停止操作手段のうち少なくとも１つを予め定めた操作タイミングで操作することであり、前記第２所定操作とは、前記各停止操作手段のうち少なくとも１つを前記第１所定操作と異なる予め定めた操作タイミングで操作することであることを特徴とする遊技機。
【０３２５】
本遊技機によれば、第１所定操作とは、各停止操作手段のうち少なくとも１つを予め定めた操作タイミングで操作することであり、第２所定操作とは、各停止操作手段のうち少なくとも１つを第１所定操作と異なる予め定めた操作タイミングで操作することである。かかる構成とすることにより、停止操作手段の少なくとも１つを誤った操作タイミングで操作してしまった場合であっても、停止操作手段のうち少なくとも１つを第２所定操作となる操作タイミングで操作することによって不利特典が付与されることを回避できる。
【０３２６】
遊技機２６．上記遊技機２４又は遊技機２５において、前記停止操作手段が前記循環表示手段の停止制御を行う際に用いる停止情報を設定する停止情報設定手段（主制御装置１０１の停止情報設定処理機能Ｓ３１０）を備え、前記停止情報設定手段は、前記停止操作手段のいずれも操作されていない場合、前記第１所定操作において前記予め定めた操作タイミングで操作されるべき停止操作手段と対応する循環表示手段の停止情報として、前記予め定めた操作タイミングで対応する停止操作手段が操作されれば前記第１所定停止出目を形成する第１所定絵柄が前記有効位置に停止し、前記予め定めた操作タイミングで対応する停止操作手段が操作されなければ前記第２所定停止出目を形成する第２所定絵柄が前記有効位置に停止する停止情報を設定し、他の循環表示手段の停止情報として、前記第２所定停止出目を形成する第２所定絵柄が前記有効位置に停止する停止情報を設定することを特徴とする遊技機。
【０３２７】
本遊技機によれば、停止操作手段のいずれも操作されていない場合、第１所定操作において予め定めた操作タイミングで操作されるべき停止操作手段と対応する循環表示手段の停止情報として、予め定めた操作タイミングで対応する停止操作手段が操作されれば第１所定停止出目を形成する第１所定絵柄が有効位置に停止し、予め定めた操作タイミングで対応する停止操作手段が操作されなければ第２所定停止出目を形成する第２所定絵柄が有効位置に停止する停止情報を設定し、他の循環表示手段の停止情報として、第２所定停止出目を形成する第２所定絵柄が有効位置に停止する停止情報を設定する。かかる構成とすることにより、停止操作手段のいずれが最初に操作された場合であっても、第１所定停止出目又は第２所定停止出目が有効位置に停止する余地を残すことが可能となる。
【０３２８】
遊技機２７．上記遊技機２６において、前記循環表示手段のいずれかが前記絵柄の循環表示を停止させたことに基づいて、前記停止情報を変更する停止情報変更手段（主制御装置１０１の停止情報第２設定処理機能Ｓ４１１）を備えたことを特徴とする遊技機。
【０３２９】
本遊技機によれば、循環表示手段のいずれかが絵柄の循環表示を停止させたことに基づいて停止情報が変更される。かかる構成とすることにより、各停止操作手段に第１所定操作がなされた場合には、第１所定停止出目を有効位置に停止させることができ、各停止操作手段に第２所定操作がなされた場合には、第２所定停止出目を有効位置に停止させることができる。
【０３３０】
遊技機２８．上記遊技機１６乃至遊技機２７のいずれかにおいて、前記所定結果とは、前記第１所定停止出目と対応する第１役（ベル）と、前記第２所定停止出目と対応する第２役（特殊ベル）と、に共に当選となる結果であることを特徴とする遊技機。
【０３３１】
本遊技機によれば、役の抽選結果が所定結果となった場合、第１役と第２役に共に当選となる。そして、停止制御手段は、各停止操作手段に第１所定操作がなされれば有効位置に第１所定停止出目を停止させるべく各循環表示手段を停止制御し、各停止操作手段に第２所定操作がなされれば有効位置に第２所定停止出目を停止させるべく各循環表示手段を停止制御する。かかる構成とすることにより、各停止操作手段に第１所定操作と第２所定操作のいずれがなされた場合であっても、当選役と対応する入賞を成立させるべく各循環表示手段を停止制御することができる。この結果、遊技者が各停止操作手段に第１所定操作ではなく第２所定操作を行った場合であっても、遊技者が不利益を被ることを抑制することが可能となる。
【０３３２】
遊技機２９．上記遊技機１６乃至遊技機２７のいずれかにおいて、前記第１所定停止出目が前記有効位置に停止した場合、第１所定特典を付与する第１所定特典付与手段と、前記第２所定停止出目が前記有効位置に停止した場合、第２所定特典を付与する第２所定特典付与手段と、を備え、前記第１所定特典は、前記第２所定特典よりも遊技者の有利度合いが大きいことを特徴とする遊技機。
【０３３３】
本遊技機によれば、第１所定停止出目が有効位置に停止した場合、第２所定停止出目が有効位置に停止した場合よりも遊技者に有利な特典が付与される。かかる構成とすることにより、第１報知を実行した場合に、遊技者に当該第１報知をしっかりと確認させた上で各停止操作手段を操作させることが可能となる。
【０３３４】
遊技機３０．上記遊技機１６乃至遊技機２９のいずれかにおいて、前記役の抽選結果が前記所定結果である場合に前記第１報知実行手段が前記第１報知を実行する確率の高い報知高確率モード（報知フラグがセットされている状況における第１ＲＴ状態〜第５ＲＴ状態）と、前記報知高確率モードよりも前記第１報知実行手段が前記第１報知を実行する確率の低い報知低確率モード（報知フラグがセットされていない状況における各遊技状態）と、を少なくとも備え、前記不利特典付与手段は、前記報知高確率モード下で前記第３所定停止出目が前記有効位置に停止した場合、前記不利特典として前記報知高確率モードから前記報知低確率モードに移行させる特典を付与することを特徴とする遊技機。
【０３３５】
本遊技機によれば、報知高確率モード下で第３所定停止出目が有効位置に停止した場合、報知高確率モードから報知低確率モードに移行する。本構成に上記遊技機１６乃至遊技機２９のいずれかの構成を適用することにより、遊技者は、第１報知を見落とした等の理由によって第１所定操作を行わなかった場合に、第２所定操作を行うことで報知高確率モードが終了してしまうことを回避できる。故に、遊技者が不利益を被ることを抑制することが可能となる。
【０３３６】
遊技機３１．複数種の絵柄（図柄）を循環表示させる複数の循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を個別に停止させるべく操作される複数の停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
前記役の抽選結果が所定結果(ＩＶ＝８〜１９の際に当選)である場合、前記各停止操作手段に第１所定操作（ベル入賞を成立させることができるストップスイッチ４２〜４４の操作）がなされれば前記有効位置に第１所定停止出目（ベル図柄の組合せ）を停止させるべく前記各循環表示手段を停止制御し、前記各停止操作手段に第２所定操作（特殊ベル入賞を成立させることができるストップスイッチ４２〜４４の操作）がなされれば前記有効位置に第２所定停止出目（特殊ベル図柄の組合せ）を停止させるべく前記各循環表示手段を停止制御し、前記各停止操作手段に前記第１所定操作及び前記第２所定操作以外の操作がなされれば前記有効位置に第３所定停止出目（移行出目）を停止させるべく前記各循環表示手段を停止制御する停止制御手段（主制御装置１０１の停止情報設定処理機能Ｓ３１０及びリール制御処理機能Ｓ２１０）と、
前記役の抽選結果が前記所定結果であることに基づいて、前記第１所定操作と対応する第１報知（ベル入賞を成立させることができる操作順序の報知）を実行する第１報知実行手段（表示制御装置８１の操作順序報知機能Ｓ８０８）と、
前記役の抽選結果が前記所定結果であることに基づいて、前記第１所定操作がなされたか否かを判定する操作判定手段（主制御装置１０１の停止リール確認機能Ｓ１３０４及び表示制御装置８１の停止操作確認機能Ｓ１４０４）と、
前記第１報知実行手段が前記第１報知を実行するとともに、前記操作判定手段が前記第１所定操作がなされなかったと判定したことに基づいて、前記第２所定操作と対応する第２報知（特殊ベル図柄の報知）を実行する第２報知実行手段（表示制御装置８１の特殊ベル図柄報知機能Ｓ８０８）と、
前記第１所定停止出目が前記有効位置に停止した場合、第１所定特典を付与する第１所定特典付与手段と、
前記第２所定停止出目が前記有効位置に停止した場合、第２所定特典を付与する第２所定特典付与手段と、
前記第３所定停止出目が前記有効位置に停止したことに基づいて、前記第１所定停止出目及び前記第２所定停止出目が前記有効位置に停止した場合よりも遊技者に不利な不利特典（報知フラグのクリア、第１ＲＴ状態への移行）を付与する不利特典付与手段（表示制御装置８１の報知フラグクリア機能Ｓ１０１０、主制御装置１０１の第１ＲＴ状態移行処理機能Ｓ５０３）と
を備え、
前記第１所定特典は、前記第２所定特典よりも遊技者の有利度合いが大きいことを特徴とする遊技機。
【０３３７】
本遊技機によれば、役の抽選結果が所定結果となった場合、第１所定操作で各停止操作手段を操作すると有効位置に第１所定停止出目が停止し、第２所定操作で各停止操作手段を操作すると有効位置に第２所定停止出目が停止し、第１所定操作及び第２所定操作以外の操作で各停止操作手段を操作すると有効位置に第３所定停止出目が停止する。そして、第３所定停止出目が有効位置に停止したことに基づいて、第１所定停止出目及び第２所定停止出目が有効位置に停止した場合よりも遊技者に不利な不利特典が付与される場合がある。かかる構成とすることにより、遊技者は、第１報知を見落とした等の理由によって第１所定操作を行わなかった場合に、第２所定操作を行うことで不利特典が付与されることを回避できる。また、第１報知を実行している状況において第１所定操作がなされなかったと操作判定手段が判定したことに基づいて、第２所定操作と対応する第２報知を実行する構成としたため、遊技者に第２所定操作を行うよう促すことができる。
【０３３８】
以上の結果、遊技者が不利益を被ることを抑制することが可能となる。
【０３３９】
さらにいうと、このように第１所定操作と異なる操作を行った場合であっても第２所定操作を行うことで不利特典が付与されることを回避できる構成とした場合には、第１報知の報知内容に遊技者が注意を払わなくなる可能性が考えられ、遊技が単調化する可能性が考えられる。しかしながら、第１所定特典が第２所定特典よりも遊技者の有利度合いが大きい構成とした場合には、第１報知を実行した場合に、遊技者に当該第１報知をしっかりと確認させた上で各停止操作手段を操作させることが可能となり、上記懸念を好適に解消することが可能となる。
【０３４０】
なお、本構成に上記遊技機１乃至遊技機３０のいずれかの構成を適宜組み合わせても良く、かかる場合であっても上述した作用効果を奏することが期待できる。
【０３４１】
遊技機３２．複数種の絵柄（図柄）を循環表示させる循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を停止させるべく操作される停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
前記役の抽選結果が第１結果（ＩＶ＝１２〜１９の際に当選）であって前記停止操作手段に第１特定操作（移行出目を有効ライン上に停止させることが可能な操作順序での操作）がなされた場合、前記有効位置に第１特定絵柄（移行出目）を停止させるべく前記循環表示手段を停止制御する第１停止制御手段（主制御装置１０１のリール制御処理機能Ｓ２１０及び停止情報設定処理機能Ｓ３１０）と、
前記有効位置に前記第１特定絵柄が停止したことに基づいて、遊技状態を第１遊技状態（通常遊技状態）から第２遊技状態（第１ＲＴ状態〜第４ＲＴ状態）に移行させる第２遊技状態移行手段（主制御装置１０１の第１ＲＴ設定フラグ設定処理機能Ｓ５０３）と、
前記役の抽選結果が第２結果（昇格再遊技に当選）であって前記停止操作手段に第２特定操作（昇格再遊技入賞を成立させることができる操作順序での操作）がなされた場合、前記有効位置に第２特定絵柄（昇格再遊技図柄の組合せ）を停止させるべく前記循環表示手段を制御する第２停止制御手段（主制御装置１０１のリール制御処理機能Ｓ２１０及び停止情報設定処理機能Ｓ３１０）と、
前記第２遊技状態下で前記有効位置に前記第２特定絵柄が停止したことに基づいて、遊技状態を前記第１遊技状態よりも遊技者に有利な特別遊技状態（第５ＲＴ状態）に移行させる特別遊技状態移行手段（主制御装置１０１の第５ＲＴ設定フラグ設定処理機能Ｓ５１４）と、
前記各特定操作を示唆可能な示唆手段（補助表示部６５）と、
前記各特定操作を示唆するか否かを決定する示唆決定手段（表示制御装置８１）と
を備え、
前記第１遊技状態から前記特別遊技状態に移行する場合には前記第２遊技状態を介する場合がある構成とするとともに、前記示唆決定手段を、所定条件（待機ゲーム数０）が成立した場合、所定条件が成立する前と比して前記各特定操作のうち少なくとも一方を高い頻度で示唆すると決定する構成としたことを特徴とする遊技機。
【０３４２】
本遊技機によれば、役の抽選結果が第１結果であって停止操作手段に第１特定操作がなされた場合、有効位置に第１特定絵柄を停止させるべく循環表示手段が停止制御され、有効位置に第１特定絵柄が停止したことに基づいて、遊技状態が第１遊技状態から第２遊技状態に移行する。また、役の抽選結果が第２結果であって停止操作手段に第２特定操作がなされた場合、有効位置に第２特定絵柄を停止させるべく循環表示手段が停止制御され、第２遊技状態下で有効位置に第２特定絵柄が停止したことに基づいて、遊技状態が特別遊技状態に移行する。このように、第１遊技状態から特別遊技状態に移行する場合には、第１遊技状態から第２遊技状態に移行し、当該第２遊技状態から特別遊技状態に移行する場合がある構成とすることにより、第１遊技状態から特別遊技状態に至るまでの間に複数回の特定操作を遊技者に行わせることが可能となり、遊技者を遊技に積極参加させることが可能となる。
【０３４３】
また、所定条件が成立した場合、所定条件が成立する前と比して各特定操作のうち少なくとも一方を高い頻度で示唆する構成とすることにより、所定条件が成立する前と成立した後とにおいて特別遊技状態に移行する確率を変化させることが可能となる。この結果、特別遊技状態への移行が単調となることを抑制することが可能となる。さらに、第１遊技状態から第２遊技状態を介して特別遊技状態に移行し得る構成とすることにより、所定条件が成立してから特別遊技状態に移行するまでに要する遊技回数の短縮化を図ることが可能となり、遊技が間延びしてしまうことを回避することが可能となる。
【０３４４】
以上の結果、遊技が単調化することを好適に抑制することが可能となる。
【０３４５】
遊技機３３．上記遊技機３２において、前記停止操作手段に第３特定操作（転落再遊技入賞を成立させることができる操作順序での操作）がなされたことに基づいて、前記有効位置に第３特定絵柄（転落再遊技図柄の組合せ）を停止させるべく前記循環表示手段を制御する第３停止制御手段（主制御装置１０１のリール制御処理機能Ｓ２１０及び停止情報設定処理機能Ｓ３１０）と、前記第２遊技状態下で前記有効位置に前記第３特定絵柄が停止したことに基づいて、遊技状態を第２遊技状態から第１遊技状態に移行させる第１遊技状態移行手段（主制御装置１０１のＲＴ設定フラグクリア処理機能Ｓ５０６）と、を備えたことを特徴とする遊技機。
【０３４６】
本遊技機によれば、停止操作手段に第３特定操作がなされた場合、有効位置に第３特定絵柄を停止させるべく循環表示手段が停止制御され、第２遊技状態下で有効位置に第３特定絵柄が停止したことに基づいて、遊技状態が第２遊技状態から第１遊技状態に移行する。かかる構成とすることにより、遊技者に現在の遊技状態を推測させながら遊技を行わせることが可能となり、遊技者を遊技に積極参加させることが可能となる。また、所定条件が成立していない状況において、遊技状態が特別遊技状態に移行することを困難なものとすることが可能となる。この結果、所定条件が成立する前における第１遊技状態から特別遊技状態に移行する確率と、所定条件が成立した後における第１遊技状態から特別遊技状態に移行する確率と、の差異を大きくすることが可能となり、特別遊技状態への移行が単調となることを好適に抑制することが可能となる。
【０３４７】
遊技機３４．上記遊技機３３において、前記第３停止制御手段は、前記役の抽選結果が前記第２結果であって前記停止操作手段に前記第２特定操作がなされなかった場合、前記有効位置に前記第３特定絵柄を停止させるべく前記循環表示手段を制御することを特徴とする遊技機。
【０３４８】
本遊技機によれば、役の抽選結果が第２結果であって停止操作手段に第２特定操作がなされなかった場合、有効位置に第３特定絵柄を停止させるべく循環表示手段が停止制御される。かかる構成とすることにより、１遊技回において第１特定絵柄又は第３特定絵柄を有効位置に停止させることが可能となる。この結果、遊技者に慎重に停止操作手段を操作させることが可能となり、遊技者を遊技に積極参加させることが可能となる。
【０３４９】
遊技機３５．上記遊技機３４において、前記第２特定操作がなされたか否かを判定する判定手段（主制御装置１０１のリール制御処理機能Ｓ２１０）を備え、当該判定手段は、少なくとも前記所定条件が成立していない場合、前記第２特定操作がなされたと判定する機会よりも前記第２特定操作がなされなかったと判定する機会の方が多いことを特徴とする遊技機。
【０３５０】
本遊技機によれば、役の抽選結果が第２結果となった場合、少なくとも所定条件が成立していない状況においては、第２特定操作がなされたと判定される機会よりも第２特定操作がなされなかったと判定される機会の方が多い。かかる構成とすることにより、所定条件が成立していない状況において特別遊技状態に移行することを困難なものとすることが可能となり、所定条件が成立する前における第１遊技状態から特別遊技状態に移行する確率と、所定条件が成立した後における第１遊技状態から特別遊技状態に移行する確率と、の差異を大きくすることが可能となる。
【０３５１】
遊技機３６．上記遊技機３３乃至遊技機３５のいずれかにおいて、前記第２結果とは、前記第２特定絵柄と対応する第１役（昇格再遊技）と、前記第３特定絵柄と対応する第２役（転落再遊技）と、に共に当選となる結果であって、前記第２特定絵柄が前記有効位置に停止した場合、遊技に用いる遊技媒体を払い出す特典又は前記遊技媒体の払出と同等の特典を付与する第１特典付与手段（主制御装置１０１の開始待ち処理Ｓ２０４における自動投入処理機能）と、前記第３特定絵柄が前記有効位置に停止した場合、前記遊技媒体を払い出す特典又は前記遊技媒体の払出と同等の特典を付与する第２特典付与手段（主制御装置１０１の開始待ち処理Ｓ２０４における自動投入処理機能）と、を備え、前記第２特典付与手段は、前記第１特典付与手段が付与する特典と等しい又は前記第１特典付与手段が付与する特典よりも遊技媒体が多い特典を付与することを特徴とする遊技機。
【０３５２】
本遊技機によれば、第３特定絵柄が有効位置に停止した場合に付与される遊技媒体に関する特典は、第２特定絵柄が有効位置に停止した場合に付与される遊技媒体に関する特典と等しい又はそれよりも多い。かかる構成とすることにより、遊技状態が第１遊技状態に移行することによって遊技者が遊技意欲を減退させることを緩和することが可能となる。
【０３５３】
なお、「遊技媒体の払出と同等の特典」とは、遊技者の所有する遊技媒体を減少させることなく次回の遊技を可能とする再遊技の特典が代表例として挙げられる。
【０３５４】
遊技機３７．上記遊技機３２乃至遊技機３６のいずれかにおいて、遊技状態が前記第１遊技状態である場合に前記役の抽選に用いられる第１抽選情報（通常遊技状態用抽選テーブル）を記憶する第１抽選情報記憶手段（主制御装置１０１のＲＯＭ１０５）と、遊技状態が前記第２遊技状態である場合に前記役の抽選に用いられる第２抽選情報（第１ＲＴ状態用抽選テーブル〜第４ＲＴ状態用抽選テーブル）を記憶する第２抽選情報記憶手段（主制御装置１０１のＲＯＭ１０５）と、を備え、前記第２抽選情報を、前記役の抽選結果が前記第２結果となる機会が前記第１抽選情報を用いて役の抽選を行った場合よりも多くなる構成としたことを特徴とする遊技機。
【０３５５】
本遊技機によれば、遊技状態が第１遊技状態から第２遊技状態に移行した場合、役の抽選結果が第２結果となる機会が第１遊技状態よりも多くなる。かかる構成とすることにより、所定条件が成立してから特別遊技状態に移行するまでに要する遊技回数を少なくすることが可能となる。
【０３５６】
遊技機３８．上記遊技機３２乃至遊技機３７のいずれかにおいて、前記停止操作手段を複数備えるとともに、前記第２特定操作を前記各停止操作手段の操作順序としたことを特徴とする遊技機。
【０３５７】
本遊技機によれば、役の抽選結果が第２結果である場合、各停止操作手段を操作する操作順序によって第２特定絵柄が有効位置に停止したり停止しなかったりする。かかる構成とすることにより、所定条件が成立した場合には、絵柄を狙って停止操作手段を操作する技量に関わらず遊技状態を特別遊技状態に移行させることが可能となる。故に、絵柄を狙って停止操作手段を操作する技量の優劣によって特別遊技状態への移行確率に差異が生じることを回避することが可能となり、例えば遊技の初心者等であっても積極的に遊技を行うことが可能となる。
【０３５８】
遊技機３９．上記遊技機３２乃至遊技機３８のいずれかにおいて、前記第２特定絵柄が前記有効位置に停止した場合、遊技に用いる遊技媒体を払い出す特典又は前記遊技媒体の払出と同等の特典を付与する第１特典付与手段（主制御装置１０１の開始待ち処理Ｓ２０４における自動投入処理機能）と、前記第１遊技状態下で所定絵柄が前記有効位置に停止した場合、前記第１特典付与手段が付与する特典と同一の特典を付与する同一特典付与手段（主制御装置１０１の開始待ち処理Ｓ２０４における自動投入処理機能）と、を備え、前記第１遊技状態では前記役の抽選結果が前記第２結果とならず、前記第２遊技状態では前記所定絵柄と対応する役に当選とならない構成としたことを特徴とする遊技機。
【０３５９】
本遊技機によれば、有効位置に第２特定絵柄と所定絵柄のいずれが停止するかにより、遊技状態が第１遊技状態と第２遊技状態のいずれであったかを示唆することが可能となる。
【０３６０】
遊技機４０．複数種の絵柄（図柄）を循環表示させる循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を停止させるべく操作される停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
遊技状態として、遊技者に有利な特別遊技状態（第５ＲＴ状態）と、前記特別遊技状態に移行しない又は移行し難い第１遊技状態（通常遊技状態）と、前記第１遊技状態から前記特別遊技状態に移行する場合に経由し得る遊技状態であって前記特別遊技状態に移行するまでに要する遊技回数の期待値が異なる複数の中継遊技状態（第１ＲＴ状態〜第４ＲＴ状態）と、を備え、
前記停止操作手段に第１特定操作（昇格再遊技入賞を成立させることができる操作順序での操作）がなされたことに基づいて、前記有効位置に第１特定絵柄（昇格再遊技図柄の組合せ）を停止させるべく前記循環表示手段を停止制御する第１停止制御手段（主制御装置１０１のリール制御処理機能Ｓ２１０及び停止情報設定処理機能Ｓ３１０）と、
前記停止操作手段に第２特定操作（転落再遊技入賞を成立させることができる操作順序での操作）がなされたことに基づいて、前記有効位置に第２特定絵柄（転落再遊技図柄の組合せ）を停止させるべく前記循環表示手段を停止制御する第２停止制御手段（主制御装置１０１のリール制御処理機能Ｓ２１０及び停止情報設定処理機能Ｓ３１０）と、
前記有効位置に前記第１特定絵柄が停止した場合、前記特別遊技状態、又は前記第１特定絵柄が停止した遊技回の遊技状態と比して前記特別遊技状態に移行するまでに要する遊技回数の期待値が小さい中継遊技状態に移行させる有利移行手段（主制御装置１０１のＲＴ設定フラグ設定処理機能Ｓ５０８，Ｓ５１０，Ｓ５１２，Ｓ５１４）と、
前記有効位置に前記第２特定絵柄が停止した場合、前記第１遊技状態、又は前記第１特定絵柄が停止した遊技回の遊技状態と比して前記特別遊技状態に移行するまでに要する遊技回数の期待値が大きい中継遊技状態に移行させる不利移行手段（主制御装置１０１のＲＴ設定フラグクリア処理機能Ｓ５０６）と、
前記各特定操作のうち少なくとも一方を示唆可能な示唆手段（補助表示部６５）と、
前記各特定操作を示唆するか否かを決定する示唆決定手段（表示制御装置８１）と
を備え、
前記示唆決定手段を、所定条件（待機ゲーム数０）が成立した場合、所定条件が成立する前と比して前記各特定操作のうち少なくとも一方を高い頻度で示唆すると決定する構成とし、前記各移行手段を、前記不利移行手段が遊技状態を移行させた場合、前記不利移行手段が遊技状態を移行させる前の遊技状態に復帰するためには前記有利移行手段が遊技状態を複数回移行させる必要がある構成としたことを特徴とする遊技機。
【０３６１】
本遊技機によれば、第１遊技状態から特別遊技状態に移行する場合には、中継遊技状態を経由した上で特別遊技状態に移行し得る。また、停止操作手段に第１特定操作がなされた場合、有効位置に第１特定絵柄を停止させるべく循環表示手段が停止制御される。そして、有効位置に第１特定絵柄が停止したした場合には、特別遊技状態、又は第１特定絵柄が停止した遊技回の遊技状態と比して特別遊技状態に移行するまでに要する遊技回数の期待値が小さい中継遊技状態に移行する。かかる構成とすることにより、第１遊技状態から特別遊技状態に至るまでの間に複数回の特定操作を遊技者に行わせることが可能となり、遊技者を遊技に積極参加させることが可能となる。
【０３６２】
また、所定条件が成立した場合、所定条件が成立する前と比して各特定操作のうち少なくとも一方を高い頻度で示唆する構成とすることにより、所定条件が成立する前と成立した後とにおいて、特別遊技状態に移行するまでに要する遊技回数の期待値を変化させることが可能となる。
【０３６３】
加えて、停止操作手段に第２特定操作がなされた場合、有効位置に第２特定絵柄を停止させるべく循環表示手段が停止制御される。そして、有効位置に第２特定絵柄が停止したした場合には、第１遊技状態、又は第１特定絵柄が停止した遊技回の遊技状態と比して特別遊技状態に移行するまでに要する遊技回数の期待値が大きい中継遊技状態に移行する。さらに、不利移行手段が遊技状態を移行させた場合には、不利移行手段が遊技状態を移行させる前の遊技状態に復帰するために有利移行手段が遊技状態を複数回移行させる必要がある。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。以上の結果、特別遊技状態への移行が単調となることを好適に抑制することが可能となる。
【０３６４】
さらに、第１遊技状態から中継遊技状態を経由して特別遊技状態に移行し得る構成とし、特別遊技状態に移行するまでに要する遊技回数の期待値が異なる複数の中継遊技状態を備えることにより、中継遊技状態を１つのみ備えた構成と比して、所定条件が成立してから特別遊技状態に移行するまでに要する遊技回数を少なくすることが可能となる。この結果、遊技が間延びしてしまうことを回避することが可能となる。
【０３６５】
以上の結果、遊技が単調化することを好適に抑制することが可能となる。
【０３６６】
遊技機４１．上記遊技機４０において、前記不利移行手段は、前記有効位置に前記第２特定絵柄が停止した場合、前記第１特定絵柄が停止した遊技回の遊技状態に関わらず前記第１遊技状態に移行させることを特徴とする遊技機。
【０３６７】
本遊技機によれば、有効位置に第２特定絵柄が停止した場合、第１特定絵柄が停止した遊技回の遊技状態に関わらず第１遊技状態に移行する。かかる構成とすることにより、所定条件が成立していない状況において特別遊技状態に移行することをより困難なものとすることが可能となる。
【０３６８】
遊技機４２．上記遊技機４０又は遊技機４１において、前記有利移行手段は、前記有効位置に前記第１特定絵柄が停止した遊技回の遊技状態が前記各中継遊技状態のいずれかであって、前記特別遊技状態に移行するまでに要する遊技回数の期待値が小さな中継遊技状態が他にある場合、前記期待値が小さな中継遊技状態のうち前記期待値が最も大きな中継遊技状態に移行させ、前記特別遊技状態に移行するまでに要する遊技回数の期待値が小さな中継遊技状態が他にない場合、前記特別遊技状態に移行させることを特徴とする遊技機。
【０３６９】
本遊技機によれば、有効位置に第１特定絵柄が停止した遊技回の遊技状態が各中継遊技状態のいずれかであって、特別遊技状態に移行するまでに要する遊技回数の期待値が小さな中継遊技状態が他にある場合、期待値が小さな中継遊技状態のうち期待値が最も大きな中継遊技状態に移行し、特別遊技状態に移行するまでに要する遊技回数の期待値が小さな中継遊技状態が他にない場合、特別遊技状態に移行する。かかる構成とすることにより、所定条件が成立していない状況において特別遊技状態に移行することをより困難なものとすることが可能となる。
【０３７０】
遊技機４３．上記遊技機４０乃至遊技機４２のいずれかにおいて、前記第１停止制御手段は、前記役の抽選結果が第１結果（昇格再遊技に当選）であって前記停止操作手段に前記第１特定操作がなされた場合、前記有効位置に前記第１特定絵柄を停止させるべく前記循環表示手段を停止制御し、前記第２停止制御手段は、前記役の抽選結果が前記第１結果であって前記停止操作手段に前記第１特定操作がなされなかった場合、前記有効位置に前記第２特定絵柄を停止させるべく前記循環表示手段を停止制御することを特徴とする遊技機。
【０３７１】
本遊技機によれば、役の抽選結果が第１結果であって停止操作手段に第１特定操作がなされた場合、有効位置に第１特定絵柄を停止させるべく循環表示手段が停止制御され、役の抽選結果が第１結果であって停止操作手段に第１特定操作がなされなかった場合、有効位置に第２特定絵柄を停止させるべく循環表示手段が停止制御される。かかる構成とすることにより、１遊技回において第１特定絵柄又は第２特定絵柄を有効位置に停止させることが可能となる。この結果、遊技者に慎重に停止操作手段を操作させることが可能となり、遊技者を遊技に積極参加させることが可能となる。
【０３７２】
遊技機４４．上記遊技機４３において、前記第２特定操作がなされたか否かを判定する判定手段（主制御装置１０１のリール制御処理機能Ｓ２１０）を備え、当該判定手段は、少なくとも前記所定条件が成立していない場合、前記第１特定操作がなされたと判定する機会よりも前記第１特定操作がなされなかったと判定する機会の方が多いことを特徴とする遊技機。
【０３７３】
本遊技機によれば、役の抽選結果が第１結果となった場合、少なくとも所定条件が成立していない状況においては、第１特定操作がなされたと判定される機会よりも第１特定操作がなされなかったと判定される機会の方が多い。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。
【０３７４】
遊技機４５．上記遊技機４０乃至遊技機４４のいずれかにおいて、前記第１特定絵柄が前記有効位置に停止した場合、遊技に用いる遊技媒体を払い出す特典又は前記遊技媒体の払出と同等の特典を付与する第１特典付与手段（主制御装置１０１の開始待ち処理Ｓ２０４における自動投入処理機能）と、前記第２特定絵柄が前記有効位置に停止した場合、前記遊技媒体を払い出す特典又は前記遊技媒体の払出と同等の特典を付与する第２特典付与手段（主制御装置１０１の開始待ち処理Ｓ２０４における自動投入処理機能）と、を備え、前記第２特典付与手段は、前記第１特典付与手段が付与する特典と等しい又は前記第１特典付与手段が付与する特典よりも遊技媒体が多い特典を付与することを特徴とする遊技機。
【０３７５】
本遊技機によれば、第２特定絵柄が有効位置に停止した場合に付与される遊技媒体に関する特典は、第１特定絵柄が有効位置に停止した場合に付与される遊技媒体に関する特典と等しい又はそれよりも多い。かかる構成とすることにより、遊技状態が特別遊技状態に移行するまでに要する遊技回数の期待値が大きい遊技状態に移行することによって遊技者が遊技意欲を減退させることを緩和することが可能となる。
【０３７６】
なお、「遊技媒体の払出と同等の特典」とは、遊技者の所有する遊技媒体を減少させることなく次回の遊技を可能とする再遊技の特典が代表例として挙げられる。
【０３７７】
遊技機４６．上記遊技機４０乃至遊技機４５のいずれかにおいて、前記停止操作手段を複数備えるとともに、前記各特定操作を前記各停止操作手段の操作順序としたことを特徴とする遊技機。
【０３７８】
本遊技機によれば、各停止操作手段を操作する操作順序によって第１特定絵柄が有効位置に停止したり第２特定絵柄が有効位置に停止したりする。かかる構成とすることにより、所定条件が成立した場合には、絵柄を狙って停止操作手段を操作する技量に関わらず遊技状態を特別遊技状態に移行させることが可能となる。故に、絵柄を狙って停止操作手段を操作する技量の優劣によって特別遊技状態に移行するまでに要する遊技回数の期待値に差異が生じることを回避することが可能となり、例えば遊技の初心者等であっても積極的に遊技を行うことが可能となる。
【０３７９】
遊技機４７．上記遊技機４０乃至遊技機４６のいずれかにおいて、前記停止操作手段に第３特定操作（移行出目を有効ライン上に停止させることが可能な操作順序での操作）がなされたことに基づいて、前記有効位置に第３特定絵柄（移行出目）を停止させるべく前記循環表示手段を制御する第３停止制御手段（主制御装置１０１のリール制御処理機能Ｓ２１０及び停止情報設定処理機能Ｓ３１０）と、前記有効位置に前記第３特定絵柄が停止した場合、前記第３特定絵柄が停止した遊技回の遊技状態に関わらず、前記各中継遊技状態のうち前記特別遊技状態に移行するまでに要する遊技回数の期待値が最も大きな中継遊技状態（第１ＲＴ状態）に移行させる中継遊技状態移行手段（主制御装置１０１の第１ＲＴ設定フラグ設定処理機能Ｓ５０３）と、を備えたことを特徴とする遊技機。
【０３８０】
本遊技機によれば、停止操作手段に第３特定操作がなされたことに基づいて、有効位置に第３特定絵柄を停止させるべく循環表示手段が停止制御される。そして、有効位置に第３特定絵柄が停止した場合には、第３特定絵柄が停止した遊技回の遊技状態に関わらず、各中継遊技状態のうち特別遊技状態に移行するまでに要する遊技回数の期待値が最も大きな中継遊技状態に移行する。かかる構成においては、例えば遊技状態が第１遊技状態である場合、特別遊技状態に移行しない又は移行し難い第１遊技状態から特別遊技状態に移行するまでに要する遊技回数の期待値が最も大きな中継遊技状態に移行することとなり、遊技者にとって有利な遊技状態の移行となる。また、例えば遊技状態が特別遊技状態に移行するまでに要する遊技回数の期待値が最も小さな中継遊技状態である場合、期待値が最も小さな中継遊技状態から期待値が最も大きな中継遊技状態に移行することとなり、遊技者にとって不利な遊技状態の移行となる。つまり、第３特定絵柄が有効位置に停止した場合には、そのときの遊技状態によって遊技者に有利となる場合と不利となる場合とが生じる。この結果、遊技者に現在の遊技状態を推測させながら遊技を行わせることが可能となり、遊技者を遊技に積極参加させることが可能となる。また、所定条件が成立していない状況において、遊技状態が特別遊技状態に移行することを困難なものとすることが可能となる。この結果、所定条件が成立する前における特別遊技状態に移行するまでに要する遊技回数の期待値と、所定条件が成立した後における特別遊技状態に移行するまでに要する遊技回数の期待値と、の差異を大きくすることが可能となり、特別遊技状態への移行が単調となることを好適に抑制することが可能となる。
【０３８１】
遊技機４８．複数種の絵柄（図柄）を循環表示させる循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を停止させるべく操作される停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
遊技状態として、遊技者に有利な特別遊技状態（第５ＲＴ状態）と、前記特別遊技状態に移行しない又は移行し難い第１遊技状態（通常遊技状態）と、前記第１遊技状態から前記特別遊技状態に移行する場合に経由し得る遊技状態であって前記特別遊技状態に移行するまでに要する遊技回数の期待値が異なる複数の中継遊技状態（第１ＲＴ状態〜第４ＲＴ状態）と、を備え、
前記停止操作手段に第１特定操作（昇格再遊技入賞を成立させることができる操作順序での操作）がなされたことに基づいて、前記有効位置に第１特定絵柄（昇格再遊技図柄の組合せ）を停止させるべく前記循環表示手段を停止制御する第１停止制御手段（主制御装置１０１のリール制御処理機能Ｓ２１０及び停止情報設定処理機能Ｓ３１０）と、
前記停止操作手段に第２特定操作（転落再遊技入賞を成立させることができる操作順序での操作）がなされたことに基づいて、前記有効位置に第２特定絵柄（転落再遊技図柄の組合せ）を停止させるべく前記循環表示手段を停止制御する第２停止制御手段（主制御装置１０１のリール制御処理機能Ｓ２１０及び停止情報設定処理機能Ｓ３１０）と、
前記有効位置に前記第１特定絵柄が停止した場合、前記特別遊技状態、又は前記第１特定絵柄が停止した遊技回の遊技状態と比して前記特別遊技状態に移行するまでに要する遊技回数の期待値が小さい中継遊技状態に移行させる有利移行手段（主制御装置１０１のＲＴ設定フラグ設定処理機能Ｓ５０８，Ｓ５１０，Ｓ５１２，Ｓ５１４）と、
前記有効位置に前記第２特定絵柄が停止した場合、前記第１遊技状態、又は前記第１特定絵柄が停止した遊技回の遊技状態と比して前記特別遊技状態に移行するまでに要する遊技回数の期待値が大きい中継遊技状態に移行させる不利移行手段（主制御装置１０１のＲＴ設定フラグクリア処理機能Ｓ５０６）と、
前記各特定操作のうち少なくとも一方を示唆可能な示唆手段（補助表示部６５）と、
前記各特定操作を示唆するか否かを決定する示唆決定手段（表示制御装置８１）と
を備え、
前記示唆決定手段を、所定条件（待機ゲーム数０）が成立した場合、所定条件が成立する前と比して前記各特定操作のうち少なくとも一方を高い頻度で示唆すると決定する構成とするとともに、遊技状態が前記各中継遊技状態のいずれかであって少なくとも前記所定条件が成立していない場合、前記第１特定絵柄が前記有効位置に停止する機会を前記第２特定絵柄が前記有効位置に停止する機会より少なくなる構成としたことを特徴とする遊技機。
【０３８２】
本遊技機によれば、第１遊技状態から特別遊技状態に移行する場合には、中継遊技状態を経由した上で特別遊技状態に移行し得る。また、停止操作手段に第１特定操作がなされた場合、有効位置に第１特定絵柄を停止させるべく循環表示手段が停止制御される。そして、有効位置に第１特定絵柄が停止したした場合には、特別遊技状態、又は第１特定絵柄が停止した遊技回の遊技状態と比して特別遊技状態に移行するまでに要する遊技回数の期待値が小さい中継遊技状態に移行する。かかる構成とすることにより、第１遊技状態から特別遊技状態に至るまでの間に複数回の特定操作を遊技者に行わせることが可能となり、遊技者を遊技に積極参加させることが可能となる。
【０３８３】
また、所定条件が成立した場合、所定条件が成立する前と比して各特定操作のうち少なくとも一方を高い頻度で示唆する構成とすることにより、所定条件が成立する前と成立した後とにおいて、特別遊技状態に移行するまでに要する遊技回数の期待値を変化させることが可能となる。
【０３８４】
加えて、停止操作手段に第２特定操作がなされた場合、有効位置に第２特定絵柄を停止させるべく循環表示手段が停止制御される。そして、有効位置に第２特定絵柄が停止したした場合には、第１遊技状態、又は第１特定絵柄が停止した遊技回の遊技状態と比して特別遊技状態に移行するまでに要する遊技回数の期待値が大きい中継遊技状態に移行する。さらに、各中継遊技状態下で少なくとも所定条件が成立していない場合には、第１特定絵柄の有効位置に停止する機会が第２特定絵柄の有効位置に停止する機会より少ない。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。以上の結果、特別遊技状態への移行が単調となることを好適に抑制することが可能となる。
【０３８５】
さらに、第１遊技状態から中継遊技状態を経由して特別遊技状態に移行し得る構成とし、特別遊技状態に移行するまでに要する遊技回数の期待値が異なる複数の中継遊技状態を備えることにより、中継遊技状態を１つのみ備えた構成と比して、所定条件が成立してから特別遊技状態に移行するまでに要する遊技回数を少なくすることが可能となる。この結果、遊技が間延びしてしまうことを回避することが可能となる。
【０３８６】
以上の結果、遊技が単調化することを好適に抑制することが可能となる。
【０３８７】
遊技機４９．上記遊技機４８において、前記停止操作手段に第３特定操作（移行出目を有効ライン上に停止させることが可能な操作順序での操作）がなされたことに基づいて、前記有効位置に第３特定絵柄（移行出目）を停止させるべく前記循環表示手段を制御する第３停止制御手段（主制御装置１０１のリール制御処理機能Ｓ２１０及び停止情報設定処理機能Ｓ３１０）と、前記有効位置に前記第３特定絵柄が停止した場合、前記第３特定絵柄が停止した遊技回の遊技状態に関わらず、前記各中継遊技状態のうち前記特別遊技状態に移行するまでに要する遊技回数の期待値が最も大きな中継遊技状態（第１ＲＴ状態）に移行させる中継遊技状態移行手段（主制御装置１０１の第１ＲＴ設定フラグ設定処理機能Ｓ５０３）と、を備えたことを特徴とする遊技機。
【０３８８】
本遊技機によれば、停止操作手段に第３特定操作がなされたことに基づいて、有効位置に第３特定絵柄を停止させるべく循環表示手段が停止制御される。そして、有効位置に第３特定絵柄が停止した場合には、第３特定絵柄が停止した遊技回の遊技状態に関わらず、各中継遊技状態のうち特別遊技状態に移行するまでに要する遊技回数の期待値が最も大きな中継遊技状態に移行する。かかる構成においては、例えば遊技状態が第１遊技状態である場合、特別遊技状態に移行しない又は移行し難い第１遊技状態から特別遊技状態に移行するまでに要する遊技回数の期待値が最も大きな中継遊技状態に移行することとなり、遊技者にとって有利な遊技状態の移行となる。また、例えば遊技状態が特別遊技状態に移行するまでに要する遊技回数の期待値が最も小さな中継遊技状態である場合、期待値が最も小さな中継遊技状態から期待値が最も大きな中継遊技状態に移行することとなり、遊技者にとって不利な遊技状態の移行となる。つまり、第３特定絵柄が有効位置に停止した場合には、そのときの遊技状態によって遊技者に有利となる場合と不利となる場合とが生じる。この結果、遊技者に現在の遊技状態を推測させながら遊技を行わせることが可能となり、遊技者を遊技に積極参加させることが可能となる。また、所定条件が成立していない状況において、遊技状態が特別遊技状態に移行することを困難なものとすることが可能となる。この結果、所定条件が成立する前における特別遊技状態に移行するまでに要する遊技回数の期待値と、所定条件が成立した後における特別遊技状態に移行するまでに要する遊技回数の期待値と、の差異を大きくすることが可能となり、特別遊技状態への移行が単調となることを好適に抑制することが可能となる。
【０３８９】
遊技機５０．上記遊技機４９において、前記第３停止制御手段は、前記役の抽選結果が所定結果（ＩＶ＝１２〜１９の際に当選）であって前記停止操作手段に前記第３特定操作がなされた場合、前記有効位置に前記第３特定絵柄を停止させるべく前記循環表示手段を停止制御するものであって、前記役の抽選結果が前記所定結果である場合には、前記停止操作手段の操作に関わらず前記有効位置に前記第１特定絵柄が停止しない構成とし、遊技状態が前記各中継遊技状態のいずれかであって少なくとも前記所定条件が成立していない場合には、前記第１特定絵柄が前記有効位置に停止する機会を前記第３特定絵柄が前記有効位置に停止する機会より少なくなる構成としたことを特徴とする遊技機。
【０３９０】
本遊技機によれば、役の抽選結果が所定結果であって停止操作手段に第３特定操作がなされた場合、有効位置に第３特定絵柄が停止する。また、役の抽選結果が所定結果である場合には停止操作手段の操作に関わらず有効位置に第１特定絵柄が停止せず、遊技状態が各中継遊技状態のいずれかであって少なくとも所定条件が成立していない場合には、第１特定絵柄の有効位置に停止する機会が第３特定絵柄の前記有効位置に停止する機会より少ない。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。
【０３９１】
遊技機５１．上記遊技機４８乃至遊技機５０のいずれかにおいて、前記第１停止制御手段は、前記役の抽選結果が第１結果（昇格再遊技に当選）であって前記停止操作手段に前記第１特定操作がなされた場合、前記有効位置に前記第１特定絵柄を停止させるべく前記循環表示手段を停止制御し、前記第２停止制御手段は、前記役の抽選結果が前記第１結果であって前記停止操作手段に前記第１特定操作がなされなかった場合、前記有効位置に前記第２特定絵柄を停止させるべく前記循環表示手段を停止制御することを特徴とする遊技機。
【０３９２】
本遊技機によれば、役の抽選結果が第１結果であって停止操作手段に第１特定操作がなされた場合、有効位置に第１特定絵柄を停止させるべく循環表示手段が停止制御され、役の抽選結果が第１結果であって停止操作手段に第１特定操作がなされなかった場合、有効位置に第２特定絵柄を停止させるべく循環表示手段が停止制御される。かかる構成とすることにより、１遊技回において第１特定絵柄又は第２特定絵柄を有効位置に停止させることが可能となる。この結果、遊技者に慎重に停止操作手段を操作させることが可能となり、遊技者を遊技に積極参加させることが可能となる。
【０３９３】
遊技機５２．上記遊技機５１において、前記第２特定操作がなされたか否かを判定する判定手段（主制御装置１０１のリール制御処理機能Ｓ２１０）を備え、当該判定手段は、少なくとも前記所定条件が成立していない場合、前記第１特定操作がなされたと判定する機会よりも前記第１特定操作がなされなかったと判定する機会の方が多いことを特徴とする遊技機。
【０３９４】
本遊技機によれば、役の抽選結果が第１結果となった場合、少なくとも所定条件が成立していない状況においては、第１特定操作がなされたと判定される機会よりも第１特定操作がなされなかったと判定される機会の方が多い。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。
【０３９５】
遊技機５３．上記遊技機４８乃至遊技機５２のいずれかにおいて、前記不利移行手段は、前記有効位置に前記第２特定絵柄が停止した場合、前記第１特定絵柄が停止した遊技回の遊技状態に関わらず前記第１遊技状態に移行させることを特徴とする遊技機。
【０３９６】
本遊技機によれば、有効位置に第２特定絵柄が停止した場合、第１特定絵柄が停止した遊技回の遊技状態に関わらず第１遊技状態に移行する。かかる構成とすることにより、所定条件が成立していない状況において特別遊技状態に移行することをより困難なものとすることが可能となる。
【０３９７】
遊技機５４．上記遊技機４８乃至遊技機５３のいずれかにおいて、前記有利移行手段は、前記有効位置に前記第１特定絵柄が停止した遊技回の遊技状態が前記各中継遊技状態のいずれかであって、前記特別遊技状態に移行するまでに要する遊技回数の期待値が小さな中継遊技状態が他にある場合、前記期待値が小さな中継遊技状態のうち前記期待値が最も大きな中継遊技状態に移行させ、前記特別遊技状態に移行するまでに要する遊技回数の期待値が小さな中継遊技状態が他にない場合、前記特別遊技状態に移行させることを特徴とする遊技機。
【０３９８】
本遊技機によれば、有効位置に第１特定絵柄が停止した遊技回の遊技状態が各中継遊技状態のいずれかであって、特別遊技状態に移行するまでに要する遊技回数の期待値が小さな中継遊技状態が他にある場合、期待値が小さな中継遊技状態のうち期待値が最も大きな中継遊技状態に移行し、特別遊技状態に移行するまでに要する遊技回数の期待値が小さな中継遊技状態が他にない場合、特別遊技状態に移行する。かかる構成とすることにより、所定条件が成立していない状況において特別遊技状態に移行することをより困難なものとすることが可能となる。
【０３９９】
遊技機５５．上記遊技機４８乃至遊技機５４のいずれかにおいて、前記第１特定絵柄が前記有効位置に停止した場合、遊技に用いる遊技媒体を払い出す特典又は前記遊技媒体の払出と同等の特典を付与する第１特典付与手段（主制御装置１０１の開始待ち処理Ｓ２０４における自動投入処理機能）と、前記第２特定絵柄が前記有効位置に停止した場合、前記遊技媒体を払い出す特典又は前記遊技媒体の払出と同等の特典を付与する第２特典付与手段（主制御装置１０１の開始待ち処理Ｓ２０４における自動投入処理機能）と、を備え、前記第２特典付与手段は、前記第１特典付与手段が付与する特典と等しい又は前記第１特典付与手段が付与する特典よりも遊技媒体が多い特典を付与することを特徴とする遊技機。
【０４００】
本遊技機によれば、第２特定絵柄が有効位置に停止した場合に付与される遊技媒体に関する特典は、第１特定絵柄が有効位置に停止した場合に付与される遊技媒体に関する特典と等しい又はそれよりも多い。かかる構成とすることにより、遊技状態が特別遊技状態に移行するまでに要する遊技回数の期待値が大きい遊技状態に移行することによって遊技者が遊技意欲を減退させることを緩和することが可能となる。
【０４０１】
なお、「遊技媒体の払出と同等の特典」とは、遊技者の所有する遊技媒体を減少させることなく次回の遊技を可能とする再遊技の特典が代表例として挙げられる。
【０４０２】
遊技機５６．上記遊技機４８乃至遊技機５５のいずれかにおいて、前記停止操作手段を複数備えるとともに、前記各特定操作を前記各停止操作手段の操作順序としたことを特徴とする遊技機。
【０４０３】
本遊技機によれば、各停止操作手段を操作する操作順序によって第１特定絵柄が有効位置に停止したり第２特定絵柄が有効位置に停止したりする。かかる構成とすることにより、所定条件が成立した場合には、絵柄を狙って停止操作手段を操作する技量に関わらず遊技状態を特別遊技状態に移行させることが可能となる。故に、絵柄を狙って停止操作手段を操作する技量の優劣によって特別遊技状態に移行するまでに要する遊技回数の期待値に差異が生じることを回避することが可能となり、例えば遊技の初心者等であっても積極的に遊技を行うことが可能となる。
【０４０４】
遊技機５７．複数種の絵柄（図柄）を循環表示させる循環表示手段（リール３２Ｌ，３２Ｍ，３２Ｒ）と、
前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を停止させるべく操作される停止操作手段（ストップスイッチ４２〜４４）と、
前記役の抽選に当選した当選役と対応する当選絵柄が有効位置（有効ライン）に所定の組合せ（小役図柄の組合せ等）を形成して停止したことに基づいて、入賞成立として遊技者に特典を付与する特典付与手段（主制御装置１０１のメダル払出処理Ｓ２１１、ＢＢ状態処理Ｓ２１３等）と
を備えた遊技機において、
遊技状態として、遊技者に有利な特別遊技状態（第５ＲＴ状態）と、前記特別遊技状態に移行しない又は移行し難い第１遊技状態（通常遊技状態、第１ＲＴ状態〜第３ＲＴ状態）と、前記第１遊技状態から前記特別遊技状態に移行する場合に経由し得る中継遊技状態（第４ＲＴ状態）と、を備え、
前記停止操作手段に第１特定操作（昇格再遊技入賞を成立させることができる操作順序での操作）がなされたことに基づいて、前記有効位置に第１特定絵柄（昇格再遊技図柄の組合せ）を停止させるべく前記循環表示手段を停止制御する第１停止制御手段（主制御装置１０１のリール制御処理機能Ｓ２１０及び停止情報設定処理機能Ｓ３１０）と、
前記停止操作手段に第２特定操作（転落再遊技入賞を成立させることができる操作順序での操作）がなされたことに基づいて、前記有効位置に第２特定絵柄（転落再遊技図柄の組合せ）を停止させるべく前記循環表示手段を停止制御する第２停止制御手段（主制御装置１０１のリール制御処理機能Ｓ２１０及び停止情報設定処理機能Ｓ３１０）と、
前記有効位置に前記第１特定絵柄が停止した場合、前記特別遊技状態、又は前記第１特定絵柄が停止した遊技回の遊技状態と比して前記特別遊技状態に移行するまでに要する遊技回数の期待値が小さい遊技状態に移行させる有利移行手段（主制御装置１０１のＲＴ設定フラグ設定処理機能Ｓ５０８，Ｓ５１０，Ｓ５１２，Ｓ５１４）と、
前記有効位置に前記第２特定絵柄が停止した場合、前記第１遊技状態、又は前記第１特定絵柄が停止した遊技回の遊技状態と比して前記特別遊技状態に移行するまでに要する遊技回数の期待値が大きい遊技状態に移行させる不利移行手段（主制御装置１０１のＲＴ設定フラグクリア処理機能Ｓ５０６）と、
前記各特定操作のうち少なくとも一方を示唆可能な示唆手段（補助表示部６５）と、
前記各特定操作を示唆するか否かを決定する示唆決定手段（表示制御装置８１）と
を備え、
前記示唆決定手段を、所定条件（待機ゲーム数０）が成立した場合、所定条件が成立する前と比して前記各特定操作のうち少なくとも一方を高い頻度で示唆すると決定する構成とするとともに、遊技状態が前記中継遊技状態であって少なくとも前記所定条件が成立していない場合、前記第１特定絵柄が前記有効位置に停止する機会を前記第２特定絵柄が前記有効位置に停止する機会より少なくなる構成としたことを特徴とする遊技機。
【０４０５】
本遊技機によれば、第１遊技状態から特別遊技状態に移行する場合には、中継遊技状態を経由した上で特別遊技状態に移行し得る。また、停止操作手段に第１特定操作がなされた場合、有効位置に第１特定絵柄を停止させるべく循環表示手段が停止制御される。そして、有効位置に第１特定絵柄が停止したした場合には、特別遊技状態、又は第１特定絵柄が停止した遊技回の遊技状態と比して特別遊技状態に移行するまでに要する遊技回数の期待値が小さい遊技状態に移行する。かかる構成とすることにより、第１遊技状態から特別遊技状態に至るまでの間に複数回の特定操作を遊技者に行わせることが可能となり、遊技者を遊技に積極参加させることが可能となる。
【０４０６】
また、所定条件が成立した場合、所定条件が成立する前と比して各特定操作のうち少なくとも一方を高い頻度で示唆する構成とすることにより、所定条件が成立する前と成立した後とにおいて、特別遊技状態に移行するまでに要する遊技回数の期待値を変化させることが可能となる。
【０４０７】
加えて、停止操作手段に第２特定操作がなされた場合、有効位置に第２特定絵柄を停止させるべく循環表示手段が停止制御される。そして、有効位置に第２特定絵柄が停止したした場合には、第１遊技状態、又は第１特定絵柄が停止した遊技回の遊技状態と比して特別遊技状態に移行するまでに要する遊技回数の期待値が大きい遊技状態に移行する。さらに、中継遊技状態下で少なくとも所定条件が成立していない場合には、第１特定絵柄の有効位置に停止する機会が第２特定絵柄の有効位置に停止する機会より少ない。かかる構成とすることにより、所定条件が成立していない状況において特別遊技状態に移行することを困難なものとすることが可能となり、所定条件が成立する前における第１遊技状態から特別遊技状態に移行するまでに要する遊技回数の期待値と、所定条件が成立した後における第１遊技状態から特別遊技状態に移行するまでに要する遊技回数の期待値と、の差異を大きくすることが可能となる。故に、特別遊技状態への移行が単調となることを好適に抑制することが可能となる。
【０４０８】
以上の結果、遊技が単調化することを好適に抑制することが可能となる。
【符号の説明】
【０４０９】
１０…遊技機としてのスロットマシン、３２…循環表示手段を構成すると共に周回体としてのリール、４１…開始操作手段又は始動操作手段としてのスタートレバー、４２〜４４…停止操作手段としてのストップスイッチ、５６…開始操作手段又は入力操作手段としての第１クレジット投入スイッチ、５７…開始操作手段又は入力操作手段としての第２クレジット投入スイッチ、５８…開始操作手段又は入力操作手段としての第３クレジット投入スイッチ、６３…補助演出部又は示唆手段を構成する上部ランプ、６４…補助演出部又は示唆手段を構成するスピーカ、６５…補助演出部又は示唆手段を構成する補助表示部、８１…サブ制御基板又は示唆決定手段としての表示制御装置、１０１…メイン制御基板としての主制御装置、１０２…抽選手段やメイン制御手段等の各種制御手段を構成するＣＰＵ。
【図１】
2015171654.tif 000003
【図２】
2015171654.tif 000004
【図３】
2015171654.tif 000005
【図４】
2015171654.tif 000006
【図５】
2015171654.tif 000007
【図６】
2015171654.tif 000008
【図７】
2015171654.tif 000009
【図８】
2015171654.tif 000010
【図９】
2015171654.tif 000011
【図１０】
2015171654.tif 000012
【図１１】
2015171654.tif 000013
【図１２】
2015171654.tif 000014
【図１３】
2015171654.tif 000015
【図１４】
2015171654.tif 000016
【図１５】
2015171654.tif 000017
【図１６】
2015171654.tif 000018
【図１７】
2015171654.tif 000019
【図１８】
2015171654.tif 000020
【図１９】
2015171654.tif 000021
【図２０】
2015171654.tif 000022
【図２１】
2015171654.tif 000023
【図２２】
2015171654.tif 000024
【図２３】
2015171654.tif 000025
【図２４】
2015171654.tif 000026
【図２５】
2015171654.tif 000027
【図２６】
2015171654.tif 000028
【図２７】
2015171654.tif 000029
【図２８】
2015171654.tif 000030
【図２９】
2015171654.tif 000031
【図３０】
2015171654.tif 000032
【図３１】
2015171654.tif 000033
【図３２】
2015171654.tif 000034
【図３３】
2015171654.tif 000035
【図３４】
2015171654.tif 000036
【図３５】
2015171654.tif 000037
【図３６】
2015171654.tif 000038
【図３７】
2015171654.tif 000039
【図３８】
2015171654.tif 000040
【図３９】
2015171654.tif 000041
【図４０】
2015171654.tif 000042
【図４１】
2015171654.tif 000043